(57)【特許請求の範囲】
【請求項１】
遊技を行うことが可能な遊技機であって、
報知を実行する報知実行手段、
を備え、
前記報知には、獲得した価値の大きさが第１価値である場合に成立する第１条件が成立したときに第１報知期間において実行される第１価値報知と、獲得した価値の大きさが第２価値である場合に成立する第２条件が成立したときに第２報知期間において実行される第２価値報知と、エラーが発生した場合に実行可能なエラー報知と、が含まれ、
前記第１条件と前記第２条件とが成立していない状態において、一の契機により前記第１条件と前記第２条件とが共に成立するときがあり、
前記第１報知期間と前記第２報知期間とが重なった場合、前記第１価値報知と前記第２価値報知とで優先度合いが異なり、
前記第１価値報知及び前記第２価値報知よりも前記エラー報知を優先的に実行する
ことを特徴とする遊技機。
【発明の詳細な説明】
【技術分野】
【０００１】
本発明は、パチンコ遊技機等の遊技機に係り、詳しくは、遊技を行うことが可能な遊技機に関する。
【背景技術】
【０００２】
遊技機として、大当り後に通常遊技状態よりも遊技者に有利な特別遊技状態の発生契機となる特別大当りを含む複数種類の大当りを実行可能なものがある。更に、遊技者が大当り中に獲得した獲得球数を計数するものがある。
【０００３】
このような遊技機において、獲得球数を遊技者に報知するものが提案されている（例えば特許文献１）。
【先行技術文献】
【特許文献】
【０００４】
【特許文献１】特開２０１２−１５２５９５号公報
【発明の概要】
【発明が解決しようとする課題】
【０００５】
こうした特許文献１に記載の技術では、獲得球数を遊技者に報知する報知演出を含む複数の報知演出を実行する場合に、好適に実行することができない虞がある。
【０００６】
この発明は、上記実情に鑑みて成されたものであり、複数の報知演出を好適に実行させることを目的とする。
【課題を解決するための手段】
【０００７】
（１）上記目的を達成するため、本願発明に係る遊技機は、遊技を行うことが可能な遊技機（例えばパチンコ遊技機１、パチスロ機等）であって、報知を実行する報知実行手段（例えば賞球数報知演出、獲得枚数報知演出、累積賞球数報知演出、累積獲得枚数報知演出、確変確定報知演出、連チャン回数報知、大当り中楽曲名報知、右打ち報知、エラー報知、大当り中昇格演出を実行する演出制御用ＣＰＵ１２０等）、を備え、前記報知には、獲得した価値の大きさが第１価値である場合に成立する第１条件が成立したときに第１報知期間において実行される第１価値報知（例えば大当り中に賞球として払い出された賞球数を報知する賞球数報知演出や、連チャン中における大当り中に賞球として払い出された賞球数を報知する賞球数報知演出等）と、獲得した価値の大きさが第２価値である場合に成立する第２条件が成立したときに第２報知期間において実行される第２価値報知と、エラーが発生した場合に実行可能なエラー報知（例えば磁石を用いて不正に遊技球を入賞口に誘導させるような行為を検出したことを報知するエラー報知等）と、が含まれ、前記第１条件と前記第２条件とが成立していない状態において、一の契機により前記第１条件と前記第２条件とが共に成立するときがあり、前記第１報知期間と前記第２報知期間とが重なった場合、前記第１価値報知と前記第２価値報知とで優先度合いが異なり、前記第１価値報知及び前記第２価値報知よりも前記エラー報知を優先的に実行する（例えば図２１の賞球数報知演出動作制御処理におけるステップＳ２１７の処理にてエラー報知の実行中である場合には、ステップＳ２１９にてエラー報知が実行されているレイヤーよりも下位のレイヤーで賞球数報知演出を実行するための動作制御を行うことや、図２２の累積賞球数報知演出動作制御処理におけるステップＳ３９９の処理にてエラー報知の実行中である場合には、ステップＳ４０１にてエラー報知が実行されているレイヤーよりも下位のレイヤーで累積賞球数報知演出を実行するための動作制御を行うこと等）。
【０００８】
このような構成によれば、複数の報知演出を好適に実行することができる。
【０００９】
（２）上記（１）の遊技機において、前記報知には、１回の遊技者にとって有利な有利期間において獲得した価値の大きさを報知する第１報知（例えば大当り中に賞球として払い出された賞球数を報知する賞球数報知演出や、連チャン中における大当り中に賞球として払い出された賞球数を報知する賞球数報知演出等）と、複数回の前記有利期間において獲得した価値の大きさを報知可能な第２報知（例えば磁石を用いて不正に遊技球を入賞口に誘導させるような行為を検出したことを報知するエラー報知等）とが含まれ、前記第２報知として、前記第１価値報知及び前記第２価値報知を実行可能である。
【００１０】
このような構成によれば、複数の報知演出を好適に実行することができる。
【００１１】
（３）上記（１）又は（２）の遊技機において、前記報知演出実行手段は、前記価値報知として、特定期間において獲得した価値の大きさを報知する第１報知（例えば大当り中に賞球として払い出された賞球数を報知する賞球数報知演出等）と、特別期間において獲得した価値の大きさを報知する第２報知（例えば連チャン中における大当り中に賞球として払い出された賞球数を報知する賞球数報知演出等）とを実行可能であり、前記第２報知よりも前記第１報知の優先度合いが高い（例えば図２２の累積賞球数報知演出動作制御処理におけるステップＳ３９７の処理にて、賞球数報知演出が実行中である場合には、累積賞球数報知演出は実行されないこと等）。
【００１２】
このような構成によれば、複数の報知演出を好適に実行することができる。
【００１３】
（４）上記（３）の遊技機において、遊技媒体（例えば遊技球等）が入賞容易な第１状態（例えば下大入賞口を開放状態とすること等）と、入賞困難な第２状態（例えば下大入賞口を閉鎖状態とすること等）とに変化可能な可変入賞手段（例えば特別可変入賞球装置７Ｂ等）を備え、前記報知演出実行手段は、前記報知演出として、前記可変入賞手段に入賞した遊技媒体が特定領域を通過したことを報知する第３報知（例えば下大入賞口に入賞した遊技球が特定領域を通過したことを報知する確変確定報知演出等）を実行可能であり、前記第１報知よりも前記第３報知の優先度合いが高い（例えば図２１に示す賞球数報知演出動作制御処理におけるステップＳ２１６にて確変確定報知演出の実行中である場合には、ステップＳ２２０にて確変確定報知演出が実行されているレイヤーよりも下位のレイヤーで賞球数報知演出を実行するための動作制御を行うこと等）。
【００１４】
このような構成においては、適切な報知を実行することができる。
【００１５】
（５）上記（３）又は（４）の遊技機において、遊技者にとって有利な有利状態（例えば大当り遊技状態等）に制御可能であり、前記報知演出実行手段は、前記報知演出として、前記特別期間において前記有利状態に制御された回数を報知する第４報知（例えば連チャン回数を報知する連チャン回数報知等）を実行可能であり、前記第４報知よりも前記第１報知の優先度合いが高い（例えば図２３における連チャン回数報知動作制御処理におけるステップＳ４６２にて賞球数報知演出の実行中である場合には、ステップＳ４６８にて賞球数報知演出が実行されているレイヤーよりも下位のレイヤーで連チャン回数報知を実行するための動作制御を行うこと等）。
【００１６】
このような構成においては、適切な報知を実行することができる。
【００１７】
（６）上記（３）から（５）のうちいずれかの遊技機において、前記報知演出実行手段は、前記報知演出として、前記特定期間において実行される他の演出に関する情報を報知する第５報知（例えば大当り中に再生されている楽曲名を報知する大当り中楽曲名報知等）を実行可能であり、前記第５報知よりも前記第１報知の優先度合いが高い（例えば図２４における大当り中楽曲名報知動作制御処理におけるステップＳ４７２にて賞球数報知演出の実行中である場合には、ステップＳ４７８にて賞球数報知演出が実行されているレイヤーよりも下位のレイヤーで大当り中楽曲名報知を実行するための動作制御を行うこと等）。
【００１８】
このような構成においては、適切な報知を実行することができる。
【００１９】
（７）上記（３）から（６）のうちいずれかの遊技機において、前記報知演出実行手段は、前記報知演出として、前記特定期間において特別価値が付与されるか否かを報知する第６報知（例えば確変状態に制御するか否かの報知演出となる大当り中昇格演出等）を実行可能であり、前記第６報知を実行するまでは前記第２報知の実行を制限してもよい（例えば図２２に示す累積賞球数報知演出動作制御処理におけるステップＳ３９１にて大当り中昇格演出が終了していなければ、累積賞球数報知演出は実行されないこと等）。
【００２０】
このような構成においては、演出状況に合わせた報知を実行することができる。
【００２１】
（８）上記（３）から（７）のうちいずれかの遊技機において、遊技者にとって有利な有利状態に制御可能であり、前記特定期間は、前記有利状態に制御される期間（例えば大当り中等）であってもよい。
【００２２】
このような構成においては、有利状態における演出効果を向上させることができる。
【００２３】
（９）上記（３）から（８）のうちいずれかの遊技機において、遊技者にとって有利な有利状態（例えば大当り遊技状態等）に制御可能であると共に、前記有利状態に制御された後に、遊技者にとって有利な特別状態（例えば確変状態や時短状態等）に制御可能であり、前記有利状態に制御されてから通常状態に制御されるまでの期間（例えば連チャン中等）であってもよい。
【００２４】
このような構成においては、有利状態に制御されてから通常状態に制御されるまでの期間における演出効果を向上させることができる。
【図面の簡単な説明】
【００２５】
【図１】この実施の形態におけるパチンコ遊技機の正面図である。
【図２】パチンコ遊技機に搭載された各種の制御基板等を示す構成図である。
【図３】遊技制御用タイマ割込み処理の一例を示すフローチャートである。
【図４】センサエラー報知処理の一例を示すフローチャートである。
【図５】特別図柄プロセス処理の一例を示すフローチャートである。
【図６】特別図柄通常処理の一例を示すフローチャートである。
【図７】特図表示結果や大当り種別の決定例を示す図である。
【図８】特別図柄停止処理の一例を示すフローチャートである。
【図９】大当り開放前処理の一例を示すフローチャートである。
【図１０】開放する大入賞口や大入賞口開放上限時間の決定例を示す図である。
【図１１】大当り開放中処理の一例を示すフローチャートである。
【図１２】ラウンド遊技の実行例を示す説明図である。
【図１３】大当り開放後処理の一例を示すフローチャート等である。
【図１４】大当り終了処理の一例を示すフローチャートである。
【図１５】演出制御メイン処理の一例を示すフローチャートである。
【図１６】コマンド解析処理の一例を示すフローチャートである。
【図１７】エラー報知処理の一例を示すフローチャートである。
【図１８】演出制御プロセス処理の一例を示すフローチャートである。
【図１９】大当り中演出処理の一例を示すフローチャート等である。
【図２０】確変確定報知演出動作制御処理の一例を示すフローチャートである。
【図２１】賞球数報知演出動作制御処理の一例を示すフローチャートである。
【図２２】累積賞球数報知演出動作制御処理の一例を示すフローチャートである。
【図２３】連チャン回数報知動作制御処理の一例を示すフローチャートである。
【図２４】大当り中楽曲名報知動作制御処理の一例を示すフローチャートである。
【図２５】報知画像とＺ軸との関係等の一例を示す図である。
【図２６】Ｚ値設定テーブル等の一例を示す図である。
【図２７】賞球数報知演出、累積賞球数報知演出、連チャン回数報知、大当り中楽曲名報知の実行期間が重なった場合に対応した報知画像を例示する図である。
【図２８】確変確定報知演出、賞球数報知演出、連チャン回数報知、大当り中楽曲名報知の実行期間が重なった場合に対応した報知画像を例示する図である。
【図２９】エラー報知、賞球数報知演出、連チャン回数報知、大当り中楽曲名報知の実行期間が重なった場合に対応した報知画像を例示する図である。
【図３０】エラー報知、確変確定報知演出、連チャン回数報知、大当り中楽曲名報知の実行期間が重なった場合に対応した報知画像を例示する図である。
【図３１】第１変形例における報知画像とＺ軸との関係等の一例を示す図である。
【図３２】第２変形例における報知画像とＺ軸との関係等の一例を示す図である。
【図３３】第３変形例における報知画像とＺ軸との関係等の一例を示す図である。
【図３４】第４変形例における報知画像とＺ軸との関係等の一例を示す図である。
【発明を実施するための形態】
【００２６】
以下、図面を参照しつつ、本発明の一実施形態を詳細に説明する。図１は、本実施の形態におけるパチンコ遊技機の正面図であり、主要部材の配置レイアウトを示す。パチンコ遊技機１は、大別して、遊技盤面を構成する遊技盤と、遊技盤を支持固定する遊技機用枠３とから構成されている。遊技盤には、ガイドレールによって囲まれた、略円形状の遊技領域２が形成されている。この遊技領域２には、遊技媒体としての遊技球が、所定の打球発射装置から発射されて打ち込まれる。
【００２７】
遊技盤の所定位置には、第１特別図柄表示装置４Ａと、第２特別図柄表示装置４Ｂとが設けられている。第１特別図柄表示装置４Ａと第２特別図柄表示装置４Ｂはそれぞれ、例えば７セグメントやドットマトリクスのＬＥＤ等から構成され、可変表示ゲームの一例となる特図ゲームにおいて、各々を識別可能な複数種類の識別情報である特別図柄が、変動可能に表示される。例えば、第１特別図柄表示装置４Ａと第２特別図柄表示装置４Ｂはそれぞれ、「０」〜「９」を示す数字や「−」を示す記号等から構成される複数種類の特別図柄を可変表示する。
【００２８】
なお、第１特別図柄表示装置４Ａや第２特別図柄表示装置４Ｂにおいて表示される特別図柄は、「０」〜「９」を示す数字や「−」を示す記号等から構成されるものに限定されず、例えば７セグメントのＬＥＤにおいて点灯させるものと消灯させるものとの組み合わせを異ならせた複数種類の点灯パターンが、複数種類の特別図柄として予め設定されていればよい。以下では、第１特別図柄表示装置４Ａにおいて可変表示される特別図柄を「第１特図」ともいい、第２特別図柄表示装置４Ｂにおいて可変表示される特別図柄を「第２特図」ともいう。
【００２９】
遊技盤における遊技領域２の中央付近には、画像表示装置５が設けられている。画像表示装置５は、例えばＬＣＤ等から構成され、各種の演出画像を表示する表示領域を形成している。画像表示装置５の表示領域では、特図ゲームにおける第１特別図柄表示装置４Ａによる第１特図の可変表示や第２特別図柄表示装置４Ｂによる第２特図の可変表示のそれぞれに対応して、例えば３つといった複数の可変表示部となる飾り図柄表示エリアにて、各々を識別可能な複数種類の識別情報である飾り図柄が可変表示される。この飾り図柄の可変表示も、可変表示ゲームに含まれる。
【００３０】
一例として、画像表示装置５の表示領域には、「左」、「中」、「右」の飾り図柄表示エリアが配置されている。そして、特図ゲームにおいて第１特別図柄表示装置４Ａにおける第１特図の変動と第２特別図柄表示装置４Ｂにおける第２特図の変動のうち、いずれかが開始されることに対応して、「左」、「中」、「右」の各飾り図柄表示エリアにおいて飾り図柄の変動が開始される。その後、特図ゲームにおける可変表示結果として確定特別図柄が停止表示されるときに、画像表示装置５における「左」、「中」、「右」の各飾り図柄表示エリアにて、飾り図柄の可変表示結果となる確定飾り図柄が停止表示される。
【００３１】
このように、画像表示装置５の表示領域では、第１特別図柄表示装置４Ａにおける第１特図を用いた特図ゲーム、又は第２特別図柄表示装置４Ｂにおける第２特図を用いた特図ゲームと同期して、各々が識別可能な複数種類の飾り図柄の可変表示を行い、可変表示結果となる確定飾り図柄を導出表示する。なお、例えば特別図柄や飾り図柄といった、各種の表示図柄を導出表示するとは、飾り図柄等の識別情報を停止表示して可変表示を終了させることである。これに対して、飾り図柄の可変表示を開始してから可変表示結果となる確定飾り図柄が導出表示されるまでの可変表示中には、飾り図柄の変動速度が「０」となって、飾り図柄が停留して表示され、例えば微少な揺れや伸縮等を生じさせる表示状態となることがある。このような表示状態は、仮停止表示ともいい、可変表示における表示結果が確定的に表示されていないものの、スクロール表示や更新表示による飾り図柄の変動が進行していないことを遊技者が認識可能となる。なお、仮停止表示には、微少な揺れや伸縮等も生じさせず、所定時間よりも短い時間だけ、飾り図柄を完全停止表示すること等が含まれてもよい。
【００３２】
画像表示装置５の表示領域には、始動入賞記憶表示エリアが配置されてもよい。始動入賞記憶表示エリアでは、可変表示の保留数を特定可能に表示する保留記憶表示が行われる。ここで、可変表示の保留は、普通入賞球装置６Ａが形成する第１始動入賞口や普通可変入賞球装置６Ｂが形成する第２始動入賞口に遊技球が進入したことに基づき、特図ゲームや飾り図柄の可変表示といった可変表示ゲームを実行するための始動条件は成立したが、先に成立した開始条件に基づく可変表示ゲームが実行中であることやパチンコ遊技機１が大当り遊技状態に制御されていること等により、可変表示ゲームを開始するための開始条件は成立していないときに発生する。
【００３３】
例えば、第１始動入賞口を遊技球が通過する第１始動入賞の発生により、第１特別図柄表示装置４Ａによる第１特図を用いた特図ゲームの始動条件が成立したときに、当該第１始動条件の成立に基づく第１特図を用いた特図ゲームを開始するための第１開始条件が成立しなければ、第１特図保留記憶数が１加算され、第１特図を用いた特図ゲームの実行が保留される。また、第２始動入賞口を遊技球が通過する第２始動入賞の発生により、第２特別図柄表示装置４Ｂによる第２特図を用いた特図ゲームの始動条件が成立したときに、当該第２始動条件の成立に基づく第２特図を用いた特図ゲームを開始するための第２開始条件が成立しなければ、第２特図保留記憶数が１加算され、第２特図を用いた特図ゲームの実行が保留される。これに対して、第１特図を用いた特図ゲームの実行が開始されるときには、第１特図保留記憶数が１減算される。第２特図を用いた特図ゲームの実行が開始されるときには、第２特図保留記憶数が１減算される。
【００３４】
第１特図保留記憶数と第２特図保留記憶数とを加算した可変表示の保留記憶数は、特に、合計保留記憶数ともいう。単に「特図保留記憶数」というときには、通常、第１特図保留記憶数、第２特図保留記憶数及び合計保留記憶数のいずれも含む概念を指すが、特に、これらの一部を指すこともあるものとする。
【００３５】
始動入賞記憶表示エリアと共に、あるいは始動入賞記憶表示エリアに代えて、特図保留記憶数を表示する表示器を設けるようにしてもよい。図１に示す例では、始動入賞記憶表示エリアと共に、第１特別図柄表示装置４Ａ及び第２特別図柄表示装置４Ｂの上部に、特図保留記憶数を特定可能に表示するための第１保留表示器２５Ａと第２保留表示器２５Ｂとが設けられている。第１保留表示器２５Ａは、第１特図保留記憶数を特定可能に表示する。第２保留表示器２５Ｂは、第２特図保留記憶数を特定可能に表示する。第１保留表示器２５Ａと第２保留表示器２５Ｂはそれぞれ、例えば第１特図保留記憶数と第２特図保留記憶数のそれぞれにおける上限値に対応した個数のＬＥＤを含んで構成されている。
【００３６】
遊技盤の盤面上に形成された遊技領域２には、画像表示装置５の天辺よりも左側の左遊技領域２Ａと、右側の右遊技領域２Ｂとがある。第１遊技領域である左遊技領域２Ａと、第２遊技領域である右遊技領域２Ｂは、例えば遊技領域２の内部における画像表示装置５の端面や釘の配列ＰＬ等により区分けされていればよい。打球発射装置から発射されて遊技領域２に打ち込まれた遊技球は、第１遊技領域である左遊技領域２Ａへと誘導された場合に、例えば釘の配列ＰＬに沿って誘導されることにより、第２遊技領域である右遊技領域２Ｂへと誘導不可能又は誘導困難となる。
【００３７】
左遊技領域２Ａには、普通入賞球装置６Ａが設けられている。例えば普通入賞球装置６Ａは、画像表示装置５の中央下方に設けられている。普通入賞球装置６Ａは、例えば所定の玉受部材によって常に一定の開放状態に保たれる第１始動入賞口を形成する。このように、左遊技領域２Ａには、常時遊技球が進入可能な第１始動入賞口を形成する普通入賞球装置６Ａが設けられている。
【００３８】
右遊技領域２Ｂには、普通可変入賞球装置６Ｂと通過ゲート４１とが設けられている。例えば普通可変入賞球装置６Ｂは、画像表示装置５の右側方に設けられ、通過ゲート４１は、普通可変入賞球装置６Ｂの上方に設けられている。普通可変入賞球装置６Ｂは、図２に示す普通電動役物用のソレノイド８１によって垂直位置となる閉鎖状態と傾動位置となる開放状態とに変化する一対の可動翼片を有する電動チューリップ型役物を備え、第２始動入賞口を形成する。一例として、普通可変入賞球装置６Ｂでは、普通電動役物用のソレノイド８１がオフ状態であるときに可動翼片が垂直位置となることにより、第２始動入賞口を遊技球が通過しない閉鎖状態にする。その一方で、普通可変入賞球装置６Ｂでは、普通電動役物用のソレノイド８１がオン状態であるときに可動翼片が傾動位置となることにより、第２始動入賞口を遊技球が通過できる開放状態にする。なお、普通可変入賞球装置６Ｂは、ソレノイド８１がオフ状態であるときに通常開放状態となり、第２始動入賞口を遊技球が進入できる一方、ソレノイド８１がオン状態であるときの拡大開放状態よりも遊技球が進入し難いように構成してもよい。このように、右遊技領域２Ｂには、第２始動入賞口を遊技球が通過可能な第１可変状態と、遊技球が通過不可能又は通過困難な第２可変状態とに変化可能な普通可変入賞球装置６Ｂが設けられている。
【００３９】
左遊技領域２Ａや右遊技領域２Ｂにおける普通入賞球装置６Ａや普通可変入賞球装置６Ｂ等の配置により、第１遊技領域である左遊技領域２Ａへと誘導された遊技球は、第２遊技領域である右遊技領域２Ｂに設けられた通過ゲート４１を通過したり、普通可変入賞球装置６Ｂが形成する第２始動入賞口を通過したりすることが不可能又は困難である。加えて、第２遊技領域である右遊技領域２Ｂへと誘導された遊技球は、第１遊技領域である左遊技領域２Ａに設けられた普通入賞球装置６Ａが形成する第１始動入賞口を通過することが不可能又は困難である。
【００４０】
普通入賞球装置６Ａに形成された第１始動入賞口に進入した遊技球は、例えば図２に示す第１始動口スイッチ２２Ａによって検出される。普通可変入賞球装置６Ｂに形成された第２始動入賞口に進入した遊技球は、例えば図２に示す第２始動口スイッチ２２Ｂによって検出される。第１始動口スイッチ２２Ａによって遊技球が検出されたことに基づき、所定個数の遊技球が賞球として払い出され、第１保留記憶数が所定の上限値以下であれば、第１始動条件が成立する。第２始動口スイッチ２２Ｂによって遊技球が検出されたことに基づき、所定個数の遊技球が賞球として払い出され、第２保留記憶数が所定の上限値以下であれば、第２始動条件が成立する。なお、第１始動口スイッチ２２Ａによって遊技球が検出されたことに基づいて払い出される賞球の個数と、第２始動口スイッチ２２Ｂによって遊技球が検出されたことに基づいて払い出される賞球の個数は、互いに同一の個数であってもよいし、異なる個数であってもよい。
【００４１】
普通可変入賞球装置６Ｂの下方には、２つの特別可変入賞球装置７Ａ、７Ｂが設けられている。即ち、特別可変入賞球装置７Ａ、７Ｂは、第２遊技領域となる右遊技領域２Ｂに設けられている。
【００４２】
特別可変入賞球装置７Ａは、図２に示す上大入賞口扉用のソレノイド８２Ａによって開閉駆動される上大入賞口扉を備え、その上大入賞口扉によって開放状態と閉鎖状態とに変化する上大入賞口を形成する。一例として、特別可変入賞球装置７Ａでは、上大入賞口扉用のソレノイド８２Ａがオフ状態であるときに上大入賞口扉が上大入賞口を閉鎖状態にする。その一方で、特別可変入賞球装置７Ａでは、上大入賞口扉用のソレノイド８２Ａがオン状態であるときに上大入賞口扉が上大入賞口を開放状態にする。特別可変入賞球装置７Ａに形成された上大入賞口に進入した遊技球は、例えば図２に示す上大入賞口スイッチ２３Ａによって検出される。
【００４３】
特別可変入賞球装置７Ｂは、図２に示す下大入賞口扉用のソレノイド８２Ｂによって開閉駆動される下大入賞口扉を備え、その下大入賞口扉によって開放状態と閉鎖状態とに変化する下大入賞口を形成する。一例として、特別可変入賞球装置７Ｂでは、下大入賞口扉用のソレノイド８２Ｂがオフ状態であるときに下大入賞口扉が下大入賞口を閉鎖状態にする。その一方で、特別可変入賞球装置７Ｂでは、下大入賞口扉用のソレノイド８２Ｂがオン状態であるときに下大入賞口扉が下大入賞口を開放状態にする。特別可変入賞球装置７Ｂに形成された下大入賞口に進入した遊技球は、例えば図２に示す下大入賞口スイッチ２３Ｂや特定領域スイッチ２４によって検出される。
【００４４】
特別可変入賞球装置７Ａが形成する上大入賞口や特別可変入賞球装置７Ｂが形成する下大入賞口を遊技球が通過することにより、多数の遊技球が賞球として払い出される。即ち、特別可変入賞球装置７Ａは、上大入賞口扉により上大入賞口を開放状態とすることにより、遊技者にとって有利な第１状態となる。特別可変入賞球装置７Ｂは、下大入賞口扉により下大入賞口を開放状態とすることにより、遊技者にとって有利な第１状態となる。一方、特別可変入賞球装置７Ａは、上大入賞口扉により上大入賞口を閉鎖状態とすることにより、遊技者にとって不利な第２状態となる。特別可変入賞球装置７Ｂは、下大入賞口扉により下大入賞口を閉鎖状態とすることにより、遊技者にとって不利な第２状態となる。なお、遊技球が上大入賞口や下大入賞口を通過できない閉鎖状態に代えて、あるいは閉鎖状態の他に、遊技球が上大入賞口や下大入賞口を通過し難い一部開放状態を設けてもよい。
【００４５】
遊技盤の所定位置には、普通図柄表示器２０が設けられている。一例として、普通図柄表示器２０は、第１特別図柄表示装置４Ａや第２特別図柄表示装置４Ｂと同様に７セグメントやドットマトリクスのＬＥＤ等から構成され、特別図柄とは異なる複数種類の識別情報である普通図柄を変動可能に表示する。このような普通図柄の可変表示は、普図ゲームと称される。
【００４６】
遊技盤の表面には、上記の構成以外にも、遊技球の流下方向や速度を変化させる風車、及び多数の障害釘が設けられている。また、第１始動入賞口、第２始動入賞口及び大入賞口とは異なる入賞口として、例えば所定の玉受部材によって常に一定の開放状態に保たれる単一又は複数の一般入賞口が設けられてもよい。この場合には、一般入賞口のいずれかに進入した遊技球が所定の一般入賞球スイッチによって検出されたことに基づき、所定個数の遊技球が賞球として払い出されればよい。遊技領域２の最下方には、いずれの入賞口にも進入しなかった遊技球が取り込まれるアウト口が設けられている。
【００４７】
遊技機用枠３の左右上部位置には、効果音等を再生出力するためのスピーカ８Ｌ、８Ｒが設けられており、更に遊技領域２の周辺部には、遊技効果ランプ９が設けられている。パチンコ遊技機１の遊技領域２における各構造物の周囲には、装飾用ＬＥＤが配置されていてもよい。
【００４８】
パチンコ遊技機１における筐体前面の右下方には、遊技媒体としての遊技球を遊技領域２に向けて発射するために遊技者等によって操作される打球操作ハンドルが設けられている。例えば、打球操作ハンドルは、遊技者等による操作量に応じて遊技球の弾発力を調整する。打球操作ハンドルには、打球発射装置が備える発射モータの駆動を停止させるための単発発射スイッチや、タッチリングが設けられていればよい。遊技領域２の下方における所定位置には、賞球として払い出された遊技球や所定の球貸機により貸し出された遊技球を、打球発射装置へと供給可能に保持する上皿が設けられている。上皿の下方には、上皿から溢れた余剰球等を、パチンコ遊技機１の外部へと排出可能に保持する下皿が設けられている。
【００４９】
パチンコ遊技機１には、例えば図２に示すような主基板１１、演出制御基板１２、音声制御基板１３、ランプ制御基板１４といった、各種の制御基板が搭載されている。また、パチンコ遊技機１には、主基板１１と演出制御基板１２との間で伝送される各種の制御信号を中継するための中継基板１５等も搭載されている。その他にも、パチンコ遊技機１における遊技盤等の背面には、例えば払出制御基板、情報端子基板、発射制御基板、インタフェース基板、タッチセンサ基板等といった、各種の基板が配置されている。
【００５０】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２等から成るサブ側の制御基板に宛てて、指令情報の一例となる制御コマンドを制御信号として出力して送信する機能、ホールの管理コンピュータに対して各種情報を出力する機能等を備えている。また、主基板１１は、第１特別図柄表示装置４Ａと第２特別図柄表示装置４Ｂを構成する各ＬＥＤ等の点灯／消灯制御を行って第１特図や第２特図の可変表示を制御することや、普通図柄表示器２０の点灯／消灯／発色制御等を行って普通図柄表示器２０による普通図柄の可変表示を制御することといった、所定の表示図柄の可変表示を制御する機能も備えている。
【００５１】
主基板１１には、例えば遊技制御用マイクロコンピュータ１００やスイッチ回路１１０、ソレノイド回路１１１等が搭載されている。スイッチ回路１１０は、遊技球検出用の各種スイッチからの検出信号を取り込んで遊技制御用マイクロコンピュータ１００に伝送する。ソレノイド回路１１１は、遊技制御用マイクロコンピュータ１００からのソレノイド駆動信号を、普通電動役物用のソレノイド８１、上大入賞口扉用のソレノイド８２Ａ、下大入賞口扉用のソレノイド８２Ｂへと伝送する。
【００５２】
演出制御基板１２は、主基板１１とは独立したサブ側の制御基板であり、中継基板１５を介して主基板１１から伝送された制御信号を受信して、画像表示装置５、スピーカ８Ｌ、８Ｒ、及び遊技効果ランプ９や装飾用ＬＥＤといった演出用の電気部品による演出動作を制御するための各種回路が搭載されている。即ち、演出制御基板１２は、画像表示装置５における表示動作や、スピーカ８Ｌ、８Ｒからの音声出力動作の全部又は一部、遊技効果ランプ９や装飾用ＬＥＤ等における点灯／消灯動作の全部又は一部といった、演出用の電気部品に所定の演出動作を実行させるための制御内容を決定する機能を備えている。
【００５３】
音声制御基板１３は、演出制御基板１２とは別個に設けられた音声出力制御用の制御基板であり、演出制御基板１２からの指令や制御データ等に基づき、スピーカ８Ｌ、８Ｒから音声を出力させるための音声信号処理を実行する処理回路等が搭載されている。ランプ制御基板１４は、演出制御基板１２とは別個に設けられたランプ出力制御用の制御基板であり、演出制御基板１２からの指令や制御データ等に基づき、遊技効果ランプ９や装飾用ＬＥＤといった発光体における点灯／消灯駆動を行うランプドライバ回路等が搭載されている。
【００５４】
図２に示すように、主基板１１には、ゲートスイッチ２１、始動口スイッチ、大入賞口スイッチ、特定領域スイッチ２４といった、各種スイッチからの検出信号を伝送する配線が接続されている。なお、各種スイッチは、例えばセンサと称されるもの等のように、遊技媒体としての遊技球を検出できる任意の構成を有するものであればよい。また、主基板１１には、第１特別図柄表示装置４Ａ、第２特別図柄表示装置４Ｂ等の表示制御を行うための指令信号を伝送する配線が接続されている。
【００５５】
主基板１１から演出制御基板１２に向けて伝送される制御信号は、中継基板１５によって中継される。中継基板１５を介して主基板１１から演出制御基板１２に対して伝送される制御コマンドは、例えば電気信号として送受信される演出制御コマンドである。演出制御コマンドには、例えば画像表示装置５における画像表示動作を制御するために用いられる表示制御コマンドや、スピーカ８Ｌ、８Ｒからの音声出力を制御するために用いられる音声制御コマンド、遊技効果ランプ９や装飾用ＬＥＤの点灯動作等を制御するために用いられるランプ制御コマンドが含まれている。これらの演出制御コマンドはいずれも、例えば２バイト構成であり、１バイト目はＭＯＤＥを示し、２バイト目はＥＸＴを表す。ＭＯＤＥデータの先頭ビットは必ず「１」となり、ＥＸＴデータの先頭ビットは「０」となるように、予め設定されていればよい。
【００５６】
主基板１１に搭載された遊技制御用マイクロコンピュータ１００は、例えば１チップのマイクロコンピュータであり、遊技制御用のプログラムや固定データ等を記憶するＲＯＭ１０１と、遊技制御用のワークエリアを提供するＲＡＭ１０２と、遊技制御用のプログラムを実行して制御動作を行うＣＰＵ１０３と、ＣＰＵ１０３とは独立して乱数値を示す数値データの更新を行う乱数回路１０４と、Ｉ／Ｏ１０５とを備えて構成される。
【００５７】
一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。このときには、ＣＰＵ１０３がＲＯＭ１０１から固定データを読み出す固定データ読出動作や、ＣＰＵ１０３がＲＡＭ１０２に各種の変動データを書き込んで一時記憶させる変動データ書込動作、ＣＰＵ１０３がＲＡＭ１０２に一時記憶されている各種の変動データを読み出す変動データ読出動作、ＣＰＵ１０３がＩ／Ｏ１０５を介して遊技制御用マイクロコンピュータ１００の外部から各種信号の入力を受け付ける受信動作、ＣＰＵ１０３がＩ／Ｏ１０５を介して遊技制御用マイクロコンピュータ１００の外部へと各種信号を出力する送信動作等も行われる。
【００５８】
なお、遊技制御用マイクロコンピュータ１００を構成する１チップのマイクロコンピュータは、少なくともＣＰＵ１０３の他にＲＡＭ１０２が内蔵されていればよく、ＲＯＭ１０１や乱数回路１０４、Ｉ／Ｏ１０５等は外付けされてもよい。
【００５９】
遊技制御用マイクロコンピュータ１００では、ＣＰＵ１０３がＲＯＭ１０１に格納されているプログラムに従って制御を実行するので、以下、遊技制御用マイクロコンピュータ１００が実行するということは、具体的には、ＣＰＵ１０３がプログラムに従って制御を実行することである。このことは、主基板１１以外の他の基板に搭載されているマイクロコンピュータについても同様である。
【００６０】
遊技制御用マイクロコンピュータ１００では、例えば乱数回路１０４等により、遊技の進行を制御するために用いられる各種の乱数値を示す数値データが更新可能にカウントされる。遊技の進行を制御するために用いられる乱数は、遊技用乱数ともいう。遊技用乱数は、乱数回路１０４等のハードウェアによって更新されるものであってもよいし、遊技制御用マイクロコンピュータ１００のＣＰＵ１０３が所定のコンピュータプログラムを実行することでソフトウェアによって更新されるものであってもよい。例えば、遊技制御用マイクロコンピュータ１００におけるＲＡＭ１０２の所定領域に設けられたランダムカウンタや、ＲＡＭ１０２とは別個の内部レジスタに設けられたランダムカウンタに、所定の乱数値を示す数値データを格納し、ＣＰＵ１０３が定期的又は不定期的に格納値を更新することで、乱数値の更新が行われるようにしてもよい。
【００６１】
この実施の形態では、主基板１１の側において、特図表示結果決定用の乱数値ＭＲ１、大当り種別決定用の乱数値ＭＲ２、変動パターン決定用の乱数値ＭＲ３、普図表示結果決定用の乱数値ＭＲ４のそれぞれを示す数値データが、カウント可能に制御される。なお、遊技効果を高めるために、これら以外の乱数値が用いられてもよい。
【００６２】
特図表示結果決定用の乱数値ＭＲ１は、特図ゲームにおける特別図柄等の可変表示結果を「大当り」として大当り遊技状態に制御するか否かを決定するために用いられる乱数値である。大当り種別決定用の乱数値ＭＲ２は、可変表示結果を「大当り」とする場合に、大当り種別を複数種類のいずれかに決定するために用いられる乱数値である。変動パターン決定用の乱数値ＭＲ３は、飾り図柄の変動パターンを予め用意された複数種類のいずれかに決定するために用いられる乱数値である。普図表示結果決定用の乱数値ＭＲ４は、普図ゲームにおける普通図柄の可変表示結果を「普図当り」として普通可変入賞球装置６Ｂを第１可変状態となる開放状態や拡大開放状態に制御するか否かを、決定するために用いられる乱数値である。
【００６３】
遊技制御用マイクロコンピュータ１００が備えるＲＯＭ１０１には、ゲーム制御用のプログラムの他にも、遊技の進行を制御するために用いられる各種の選択用データ、テーブルデータ等が格納されている。例えば、ＲＯＭ１０１には、ＣＰＵ１０３が各種の判定や決定、設定を行うために用意された複数の判定テーブルや決定テーブル、設定テーブル等を構成するデータが記憶されている。また、ＲＯＭ１０１には、ＣＰＵ１０３が主基板１１から各種の制御コマンドとなる制御信号を送信するために用いられる複数のコマンドテーブルを構成するテーブルデータや、変動パターンを複数種類格納する変動パターンテーブルを構成するテーブルデータ等が、記憶されている。
【００６４】
遊技制御用マイクロコンピュータ１００が備えるＲＡＭ１０２は、その一部又は全部が所定の電源基板において作成されるバックアップ電源によってバックアップされているバックアップＲＡＭであればよい。即ち、パチンコ遊技機１に対する電力供給が停止しても、所定期間は、ＲＡＭ１０２の一部又は全部の内容は保存される。特に、少なくとも、遊技状態、即ち遊技制御手段の制御状態に応じたデータと未払出賞球数を示すデータは、バックアップＲＡＭに保存されるようにすればよい。遊技制御手段の制御状態に応じたデータとは、停電等が生じた後に復旧した場合に、そのデータに基づいて、制御状態を停電等の発生前に復旧させるために必要なデータである。また、制御状態に応じたデータと未払出賞球数を示すデータとを遊技の進行状態を示すデータと定義する。こうしたＲＡＭ１０２には、パチンコ遊技機１における遊技の進行等を制御するために用いられる各種のデータが記憶される。
【００６５】
また、この実施の形態では、遊技領域２の所定領域の背面には磁石センサが設けられている。なお、遊技領域２の構成の仕方等によって磁石センサを様々な数・位置に配置してもよい。この実施の形態では、磁石センサが設けられていることによって磁石を用いて不正に遊技球を入賞口に誘導させるような行為を検出することができる。遊技制御用マイクロコンピュータ１００には、磁石センサ信号が入力される。なお、磁石センサに代えて又は加えて、電波センサを設けられているようにしてもよい。電波センサが設けられていることによって電波を用いて不正に遊技球を入賞口に誘導させるような行為を検出することができる。遊技制御用マイクロコンピュータ１００には、電波センサ信号が入力される。
【００６６】
演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、画像表示装置５における表示動作の制御内容を決定するための処理等を実行する表示制御部１２３と、演出制御用ＣＰＵ１２０とは独立して乱数値を示す数値データの更新を行う乱数回路１２４と、Ｉ／Ｏ１２５とが搭載されている。
【００６７】
一例として、演出制御基板１２では、演出制御用ＣＰＵ１２０がＲＯＭ１２１から読み出した演出制御用のプログラムを実行することにより、演出用の電気部品による演出動作を制御するための処理が実行される。このときには、演出制御用ＣＰＵ１２０がＲＯＭ１２１から固定データを読み出す固定データ読出動作や、演出制御用ＣＰＵ１２０がＲＡＭ１２２に各種の変動データを書き込んで一時記憶させる変動データ書込動作、演出制御用ＣＰＵ１２０がＲＡＭ１２２に一時記憶されている各種の変動データを読み出す変動データ読出動作、演出制御用ＣＰＵ１２０がＩ／Ｏ１２５を介して演出制御基板１２の外部から各種信号の入力を受け付ける受信動作、演出制御用ＣＰＵ１２０がＩ／Ｏ１２５を介して演出制御基板１２の外部へと各種信号を出力する送信動作等も行われる。
【００６８】
演出制御用ＣＰＵ１２０、ＲＯＭ１２１、ＲＡＭ１２２は、演出制御基板１２に搭載された１チップの演出制御用マイクロコンピュータに含まれてもよい。演出制御基板１２には、画像表示装置５に対して映像信号を伝送するための配線や、音声制御基板１３に対して音番号データを示す情報信号としての効果音信号を伝送するための配線、ランプ制御基板１４に対してランプデータを示す情報信号としての電飾信号を伝送するための配線等が接続されている。
【００６９】
演出制御基板１２では、例えば乱数回路１２４等により、演出動作を制御するために用いられる各種の乱数値を示す数値データが更新可能にカウントされる。こうした演出動作を制御するために用いられる乱数は、演出用乱数ともいう。
【００７０】
図２に示す演出制御基板１２に搭載されたＲＯＭ１２１には、演出制御用のプログラムの他にも、演出動作を制御するために用いられる各種のデータテーブル等が格納されている。例えば、ＲＯＭ１２１には、演出制御用ＣＰＵ１２０が各種の判定や決定、設定を行うために用意された複数の判定テーブルや決定テーブルを構成するテーブルデータ、各種の演出制御パターンを構成するパターンデータ等が記憶されている。演出制御基板１２に搭載されたＲＡＭ１２２には、演出動作を制御するために用いられる各種データが記憶される。
【００７１】
演出制御基板１２に搭載された表示制御部１２３は、演出制御用ＣＰＵ１２０からの表示制御指令等に基づき、画像表示装置５における表示動作の制御内容を決定する。例えば、表示制御部１２３は、画像表示装置５の表示領域内に表示させる演出画像の切換タイミングを決定すること等により、飾り図柄の可変表示や各種の演出表示を実行させるための制御を行う。一例として、表示制御部１２１には、ＶＤＰ、ＣＧＲＯＭ、ＶＲＡＭ、ＬＣＤ駆動回路等が搭載されていればよい。なお、ＶＤＰは、ＧＰＵ、ＧＣＬ、あるいは、より一般的にＤＳＰと称される画像処理用のマイクロプロセッサであってもよい。ＣＧＲＯＭは、例えば書換不能な半導体メモリであってもよいし、フラッシュメモリ等の書換可能な半導体メモリであってもよく、あるいは、磁気メモリ、光学メモリといった、不揮発性記録媒体のいずれかを用いて構成されたものであればよい。
【００７２】
演出制御基板１２に搭載されたＩ／Ｏ１２５は、例えば主基板１１等から伝送された演出制御コマンドや操作検出ユニット３１から伝送された操作検出信号等の各種信号を取り込むための入力ポートと、演出制御基板１２の外部へと各種信号を伝送するための出力ポートとを含んで構成される。例えば、Ｉ／Ｏ１２５の出力ポートからは、画像表示装置５へと伝送される映像信号や、音声制御基板１３へと伝送される指令、ランプ制御基板１４へと伝送される指令等が出力される。
【００７３】
パチンコ遊技機１においては、遊技媒体としての遊技球を用いた所定の遊技が行われ、その遊技結果に基づいて所定の遊技価値が付与可能となる。遊技球を用いた遊技の一例として、パチンコ遊技機１における筐体前面の右下方に設置された打球操作ハンドルが遊技者によって所定操作されたことに基づいて、所定の打球発射装置が備える発射モータ等により、遊技媒体としての遊技球が遊技領域に向けて発射される。この遊技球が左遊技領域２Ａにおいて普通入賞球装置６Ａに形成された第１始動入賞口を通過すると、その遊技球が図２に示す第１始動口スイッチ２２Ａによって検出されたこと等により第１始動条件が成立する。その後、例えば前回の特図ゲームや大当り遊技状態が終了したこと等により第１開始条件が成立したことに基づいて、第１特別図柄表示装置４Ａによる第１特図を用いた特図ゲームが開始される。
【００７４】
また、右遊技領域２Ｂにおいて普通可変入賞球装置６Ｂが形成する第２始動入賞口を遊技球が通過すると、その遊技球が図２に示す第２始動口スイッチ２２Ｂによって検出されたこと等により第２始動条件が成立する。その後、例えば前回の特図ゲームや大当り遊技状態が終了したこと等により第２開始条件が成立したことに基づいて、第２特別図柄表示装置４Ｂによる第２特図を用いた特図ゲームが開始される。但し、普通可変入賞球装置６Ｂが第２可変状態としての通常開放状態や閉鎖状態であるときには、第２始動入賞口を遊技球が通過困難又は通過不可能である。
【００７５】
普通可変入賞球装置６Ｂの上方に設けられた通過ゲート４１を通過した遊技球が図２に示すゲートスイッチ２１によって検出されたことに基づいて、普通図柄表示器２０にて普通図柄の可変表示を実行するための普図始動条件が成立する。その後、例えば前回の普図ゲームが終了したことといった、普通図柄の可変表示を開始するための普図開始条件が成立したことに基づいて、普通図柄表示器２０による普図ゲームが開始される。この普図ゲームでは、普通図柄の変動を開始させた後、所定期間が経過すると、普通図柄の可変表示結果となる確定普通図柄を停止表示する。このとき、確定普通図柄として特定の普通図柄が停止表示されれば、普通図柄の可変表示結果が「普図当り」となる。その一方、確定普通図柄として普図当り図柄以外の普通図柄が停止表示されれば、普通図柄の可変表示結果が「普図ハズレ」となる。普通図柄の可変表示結果が「普図当り」となったことに対応して、普通可変入賞球装置６Ｂを構成する電動チューリップの可動翼片が傾動位置となる開放制御や拡大開放制御が行われ、所定時間が経過すると垂直位置に戻る閉鎖制御や通常開放制御が行われる。
【００７６】
第１特別図柄表示装置４Ａによる第１特図を用いた特図ゲームが開始されるときや、第２特別図柄表示装置４Ｂによる第２特図を用いた特図ゲームが開始されるときには、特別図柄の可変表示結果を予め定められた特定表示結果としての「大当り」にするか否かが、その可変表示結果を導出表示する以前に決定される。そして、可変表示結果の決定に基づく所定割合で、変動パターンの決定等が行われ、可変表示結果や変動パターンを指定する演出制御コマンドが、図２に示す主基板１１の遊技制御用マイクロコンピュータ１００から演出制御基板１２に向けて伝送される。
【００７７】
こうした可変表示結果や変動パターンの決定に基づいて特図ゲームが開始された後、例えば変動パターンに対応して予め定められた可変表示時間が経過したときには、可変表示結果となる確定特別図柄が導出表示される。第１特別図柄表示装置４Ａや第２特別図柄表示装置４Ｂによる特別図柄の可変表示に対応して、画像表示装置５の表示領域に配置された「左」、「中」、「右」の飾り図柄表示エリアでは、特別図柄とは異なる飾り図柄の可変表示が行われる。
【００７８】
第１特別図柄表示装置４Ａによる第１特図を用いた特図ゲームや、第２特別図柄表示装置４Ｂによる第２特図を用いた特図ゲームにおいて、特別図柄の可変表示結果となる確定特別図柄が導出表示されるときには、画像表示装置５において飾り図柄の可変表示結果となる確定飾り図柄が導出表示される。特別図柄の可変表示結果として予め定められた大当り図柄が導出表示されたときには、可変表示結果が「大当り」となり、遊技者によって有利な特定遊技状態としての大当り遊技状態に制御される。即ち、大当り遊技状態に制御されるか否かは、可変表示結果が「大当り」となるか否かに対応しており、その可変表示結果を導出表示する以前に決定される。
【００７９】
特図ゲームにおける特別図柄の可変表示結果が「大当り」となるときには、画像表示装置５の表示領域において、予め定められた大当り組み合わせとなる確定飾り図柄が導出表示される。一例として、「左」、「中」、「右」の飾り図柄表示エリアにおける所定の有効ライン上に同一の飾り図柄が揃って停止表示されることにより、大当り組み合わせとなる確定飾り図柄が導出表示されればよい。
【００８０】
大当り遊技状態では、上大入賞口又は下大入賞口が開放状態となって特別可変入賞球装置７Ａ又は特別可変入賞球装置７Ｂが遊技者によって有利な第１状態となる。そして、所定期間、あるいは所定個数の遊技球が上大入賞口又は下大入賞口に進入して入賞球が発生するまでの期間にて、上大入賞口又は下大入賞口を継続して開放状態とするラウンド遊技が実行される。こうしたラウンド遊技の実行期間以外の期間では、上大入賞口や下大入賞口が閉鎖状態となり、入賞球が発生困難又は発生不可能となる。上大入賞口に遊技球が進入したときには、上大入賞口スイッチ２３Ａにより入賞球が検出され、その検出毎に所定個数の遊技球が賞球として払い出される。大当り遊技状態におけるラウンド遊技は、所定の上限回数に達するまで繰り返し実行される。したがって、大当り遊技状態では、遊技者が多数の賞球を極めて容易に獲得することができ、遊技者によって有利な遊技状態となる。なお、パチンコ遊技機１は、賞球となる遊技球を直接に払い出すものであってもよいし、賞球となる遊技球の個数に対応した得点を付与するものであってもよい。
【００８１】
大当り遊技状態が終了した後には、所定の確変制御条件が成立したことに基づいて、可変表示結果が「大当り」となる確率が通常状態よりも高くなる確変状態に制御されることがある。確変状態は、所定回数の可変表示が実行されること、あるいは次回の大当り遊技状態が開始されることといった、所定の確変終了条件が成立するまで、継続するように制御される。また、大当り遊技状態が終了した後には、平均的な可変表示時間が通常状態よりも短くなる時短状態に制御されることがある。時短状態は、所定回数の可変表示が実行されたことと、次回の大当り遊技状態が開始されたことのうち、いずれか一方の時短終了条件が先に成立するまで、継続するように制御される。
【００８２】
確変状態や時短状態では、通常状態よりも第２始動入賞口を遊技球が通過し易い有利変化態様で、普通可変入賞球装置６Ｂを第１可変状態と第２可変状態とに変化させる。例えば、普通図柄表示器２０による普図ゲームにおける普通図柄の変動時間を通常状態のときよりも短くする制御や、各回の普図ゲームで普通図柄の可変表示結果が「普図当り」となる確率を通常状態のときよりも向上させる制御、可変表示結果が「普図当り」となったことに基づく普通可変入賞球装置６Ｂにおける可動翼片の傾動制御を行う傾動制御時間を通常状態のときよりも長くする制御、その傾動回数を通常状態のときよりも増加させる制御により、普通可変入賞球装置６Ｂを有利変化態様で第１可変状態と第２可変状態とに変化させればよい。なお、これらの制御のいずれか１つが行われるようにしてもよいし、複数の制御が組み合わせられて行われるようにしてもよい。このように、普通可変入賞球装置６Ｂを有利変化態様で第１可変状態と第２可変状態とに変化させる制御は、高開放制御と称される。こうした確変状態や時短状態に制御されることにより、次に可変表示結果が「大当り」となるまでの所要時間が短縮され、通常状態よりも遊技者によって有利な特別遊技状態となる。
【００８３】
なお、確変状態にて確変制御が行われるときでも、高開放制御が行われない場合があってもよい。例えば可変表示結果が「大当り」となる場合には、大当り遊技状態にて上大入賞口や下大入賞口が開放状態となる上限時間が短く、遊技球が通過困難又は通過不可能なラウンド遊技が実行され、大当り遊技状態の終了後には確変状態に制御される場合がある。このような場合は、大当り種別が「突確」であるとも称される。そして、高開放制御が行われていないときに可変表示結果が「大当り」で大当り種別が「突確」となった場合には、大当り遊技状態の終了後に確変状態となり確変制御が行われるものの、高開放制御が行われないようにしてもよい。
【００８４】
パチンコ遊技機１において遊技媒体として用いられる遊技球や、その個数に対応して付与される得点の記録情報は、例えば数量に応じて特殊景品や一般景品に交換可能な有価価値を有するものであればよい。あるいは、これらの遊技球や得点の記録情報は、特殊景品や一般景品には交換できないものの、パチンコ遊技機１で再度の遊技に使用可能な有価価値を有するものであってもよい。
【００８５】
また、パチンコ遊技機１において付与可能となる遊技価値は、賞球となる遊技球の払い出しや得点の付与に限定されず、例えば大当り遊技状態に制御することや、確変状態等の特別遊技状態に制御すること、大当り遊技状態にて実行可能なラウンドの上限回数が第２ラウンド数よりも多い第１ラウンド数となること、時短状態にて実行可能な可変表示の上限回数が第２回数よりも多い第１回数となること、確変状態における大当り確率が第２確率よりも高い第１確率となること、通常状態に制御されることなく大当り遊技状態に繰り返し制御される回数である連チャン回数が第２連チャン数よりも多い第１連チャン数となることの一部又は全部といった、遊技者によってより有利な遊技状況となることが含まれていてもよい。
【００８６】
この実施の形態では、大当り遊技状態におけるラウンド遊技の実行回数が特定回数としての「６」となったときに、下大入賞口を開放状態とするラウンド遊技が実行されて特別可変入賞球装置７Ｂが遊技者にとって有利な第１状態となる。一方、ラウンド遊技の実行回数が特定回数としての「６」以外であるときには、上大入賞口を開放状態とするラウンド遊技が実行されて特別可変入賞球装置７Ａが遊技者にとって有利な第１状態となる。そして、下大入賞口に進入した遊技球が図２に示す特定領域スイッチ２４によって検出されることで、大当り遊技状態の終了後に確変状態となるための確変制御条件が成立する。即ち、特定領域スイッチ２４の設置個所を特定領域とし、この特定領域を遊技球が通過したことに基づいて、所定の確変制御条件を成立させることができる。
【００８７】
大当り遊技状態には、ラウンド遊技の実行回数が特定回数としての「６」であるときに、下大入賞口を開放状態とする上限時間を異ならせた複数種類の大当り種別がある。一例として、大当り種別が「大当りＡ」の場合には、下大入賞口を開放状態とする上限時間が２９．５秒に設定される。一方、大当り種別が「大当りＢ」の場合には、下大入賞口を開放状態とする上限時間が０．２秒に設定される。したがって、大当り種別が「大当りＢ」の場合には、下大入賞口を遊技球が通過する可能性は低く、大当り遊技状態の終了後に確変状態となるための確変制御条件が成立し難い。これに対して、大当り種別が「大当りＡ」の場合には、下大入賞口を遊技球が通過する可能性が高く、大当り遊技状態の終了後に確変状態となるための確変制御条件が成立し易い。大当り種別を複数種類のいずれとするかは、例えば特図ゲームの開始時に可変表示結果を「大当り」とする決定が成されたことに対応して、所定割合で決定される。
【００８８】
次に、本実施例におけるパチンコ遊技機１の動作を説明する。
【００８９】
主基板１１では、所定の電源基板からの電力供給が開始されると、遊技制御用マイクロコンピュータ１００が起動し、ＣＰＵ１０３によって遊技制御メイン処理となる所定の処理が実行される。遊技制御メイン処理を開始すると、ＣＰＵ１０３は、割込み禁止に設定した後、必要な初期設定を行う。この初期設定では、例えばＲＡＭ１０２がクリアされる。また、遊技制御用マイクロコンピュータ１００に内蔵されたＣＴＣのレジスタ設定を行う。これにより、以後、所定時間毎にＣＴＣから割込み要求信号がＣＰＵ１０３へ送出され、ＣＰＵ１０３は定期的にタイマ割込み処理を実行することができる。初期設定が終了すると、割込みを許可した後、ループ処理に入る。なお、遊技制御メイン処理では、パチンコ遊技機１の内部状態を前回の電力供給停止時における状態に復帰させるための処理を実行してから、ループ処理に入るようにしてもよい。
【００９０】
こうした遊技制御メイン処理を実行したＣＰＵ１０３は、ＣＴＣからの割込み要求信号を受信して割込み要求を受け付けると、図３のフローチャートに示す遊技制御用タイマ割込み処理を実行する。図３に示す遊技制御用タイマ割込み処理を開始すると、ＣＰＵ１０３は、まず、所定のスイッチ処理を実行することにより、スイッチ回路１１０を介して各種スイッチから入力される検出信号の状態を判定する（ステップＳ１１）。次いで、ＣＰＵ１０３は、磁石センサから検出信号を入力したことに基づいて磁石センサエラー報知を行うセンサエラー報知処理を実行する（ステップＳ１２）。なお、電波センサが設けられている場合には、電波センサから検出信号を入力したことに基づいて電波センサエラー報知を行うセンサエラー報知処理を実行してもよい。この後、所定の情報出力処理を実行することにより、例えばパチンコ遊技機１の外部に設置されたホール管理用コンピュータに供給される大当り情報、始動情報、確率変動情報等のデータを出力する（ステップＳ１３）。
【００９１】
情報出力処理に続いて、主基板１１の側で用いられる遊技用乱数の少なくとも一部をソフトウェアにより更新するための遊技用乱数更新処理を実行する（ステップＳ１４）。この後、ＣＰＵ１０３は、特別図柄プロセス処理を実行する（ステップＳ１５）。特別図柄プロセス処理では、ＲＡＭ１０２の所定領域に設けられた特図プロセスフラグの値をパチンコ遊技機１における遊技の進行状況に応じて更新し、第１特別図柄表示装置４Ａや第２特別図柄表示装置４Ｂにおける表示動作の制御や、特別可変入賞球装置７Ａ、７Ｂにおける大入賞口の開閉動作設定等を、所定の手順で行うために、各種の処理が選択されて実行される。
【００９２】
特別図柄プロセス処理に続いて、普通図柄プロセス処理が実行される（ステップＳ１６）。ＣＰＵ１０３は、普通図柄プロセス処理を実行することにより、普通図柄表示器２０における表示動作を制御して、普通図柄の可変表示や普通可変入賞球装置６Ｂにおける可動翼片の傾動動作設定等を可能にする。
【００９３】
普通図柄プロセス処理を実行した後、ＣＰＵ１０３は、コマンド制御処理を実行することにより、主基板１１から演出制御基板１２等のサブ側の制御基板に対して制御コマンドを伝送させる（ステップＳ１７）。一例として、コマンド制御処理では、遊技制御バッファ設定部といったＲＡＭ１０２の所定領域に設けられた送信コマンドバッファの値によって指定されたコマンド送信テーブルにおける設定に対応して、Ｉ／Ｏ１０５に含まれる出力ポートのうち、演出制御基板１２に対して演出制御コマンドを送信するための出力ポートに制御データをセットした後、演出制御ＩＮＴ信号の出力ポートに所定の制御データをセットして演出制御ＩＮＴ信号を所定時間にわたりオン状態としてからオフ状態とすること等により、コマンド送信テーブルでの設定に基づく演出制御コマンドの伝送を可能にする。コマンド制御処理を実行した後には、割込み許可状態に設定してから、遊技制御用タイマ割込み処理を終了する。
【００９４】
図４は、ステップＳ１２のセンサエラー報知処理を示すフローチャートである。センサエラー報知処理において、遊技制御用マイクロコンピュータ１００は、磁石センサからの磁石センサ信号を入力したか否かを確認する（ステップＳ５３１）。
【００９５】
磁石センサ信号を入力していれば、ＣＰＵ１０３は、磁気異常が発生したと判定し、磁気異常を検出したことを示す磁気異常フラグをセットする（ステップＳ５３２）。
【００９６】
また、ＣＰＵ１０３は、エラー報知用ＬＥＤを点灯させて磁気異常が発生したことを報知すると共に（ステップＳ５３３）、磁気異常が発生したことを報知することを指定する磁気異常報知指定コマンドを演出制御基板１２に対して送信する制御を行う（ステップＳ５３４）。
【００９７】
なお、図４では、磁石センサエラー報知を行うセンサエラー報知処理について説明したが、磁石センサエラー報知を行うセンサエラー報知処理などについても同様である。
【００９８】
図５は、特別図柄プロセス処理の一例を示すフローチャートである。この特別図柄プロセス処理において、ＣＰＵ１０３は、まず、始動入賞判定処理を実行する（ステップＳ１０１）。始動入賞判定処理では、第１始動口スイッチ２２Ａや第２始動口スイッチ２２Ｂオンであるか否かが判定される。このとき、第１始動口スイッチ２２Ａがオンであれば、普通入賞球装置６Ａに形成された第１始動入賞口を遊技球が通過したことに基づいて、第１特図を用いた特図ゲームの保留記憶数である第１特図保留記憶数を更新するための第１始動入賞処理が行われる。一方、第２始動口スイッチ２２Ｂがオンであれば、普通可変入賞球装置６Ｂに形成された第２始動入賞口を遊技球が通過したことに基づいて、第２特図を用いた特図ゲームの保留記憶数である第２特図保留記憶数を更新するための第２始動入賞処理が行われる。
【００９９】
一例として、第１始動入賞処理では、第１特図保留記憶数が所定の上限値となっているか否かを判定する。このとき第１特図保留記憶数が上限値に達していれば、第１始動入賞処理を終了する。一方、第１特図保留記憶数が上限値未満であれば、ＲＡＭ１０２の所定領域に設けられた第１保留記憶数カウンタの格納値である第１保留記憶数カウント値を１加算する。こうして、第１保留記憶数カウント値は、第１始動入賞口を遊技球が通過して第１特図を用いた特図ゲームに対応した第１始動条件が成立したときに、１増加するように更新される。その後、始動入賞の発生に対応した所定の遊技用乱数を抽出して、ＲＡＭ１０２の所定領域に保留データとして記憶させる。
【０１００】
第２始動入賞処理では、第２特図保留記憶数が、所定の上限値となっているか否かを判定する。このとき第２特図保留記憶数が上限値に達していれば、第２始動入賞処理を終了する。一方、第２特図保留記憶数が上限値未満であれば、ＲＡＭ１０２の所定領域に設けられた第２保留記憶数カウンタの格納値である第２保留記憶数カウント値を１加算する。こうして、第２保留記憶数カウント値は、第２始動入賞口を遊技球が通過して第２特図を用いた特図ゲームに対応した第２始動条件が成立したときに、１増加するように更新される。その後、始動入賞の発生に対応した所定の遊技用乱数を抽出して、ＲＡＭ１０２の所定領域に保留データとして記憶させる。
【０１０１】
ステップＳ１０１にて始動入賞判定処理を実行した後、ＣＰＵ１０３は、ＲＡＭ１０２の所定領域に設けられた特図プロセスフラグの値に応じて、ステップＳ１１０〜Ｓ１１７の処理のいずれかを選択して実行する。
【０１０２】
ステップＳ１１０の特別図柄通常処理は、特図プロセスフラグの値が“０”のときに実行される。この特別図柄通常処理では、第１特図保留記憶部や第２特図保留記憶部といった、ＲＡＭ１０２の所定領域に記憶されている保留データの有無等に基づいて、第１特別図柄表示装置４Ａや第２特別図柄表示装置４Ｂによる特図ゲームを開始するか否かの判定が行われる。また、特別図柄通常処理では、特図表示結果決定用の乱数値ＭＲ１を示す数値データに基づき、特別図柄や飾り図柄の可変表示結果を「大当り」とするか否かを、その可変表示結果が導出表示される以前に決定する。更に、特別図柄通常処理では、特図ゲームにおける特別図柄の可変表示結果に対応して、第１特別図柄表示装置４Ａや第２特別図柄表示装置４Ｂによる特図ゲームにおける確定特別図柄が設定される。特別図柄通常処理では、特別図柄や飾り図柄の可変表示結果を事前決定したときに、特図プロセスフラグの値が“１”に更新される。
【０１０３】
ステップＳ１１１の変動パターン設定処理は、特図プロセスフラグの値が“１”のときに実行される。この変動パターン設定処理には、可変表示結果を「大当り」とするか否かの事前決定結果等に基づいて、変動パターンを複数種類のいずれかに決定する処理等が含まれている。特別図柄や飾り図柄の可変表示時間は、変動パターンに対応して予め設定されている。したがって、変動パターン設定処理にて変動パターンを決定することにより、特別図柄の可変表示を開始してから可変表示結果となる確定特別図柄を導出するまでの可変表示時間が決定される。また、変動パターン設定処理は、可変表示結果が「ハズレ」となる場合に、飾り図柄の可変表示態様を「リーチ」とするか否かを決定する処理を含んでもよい。あるいは、変動パターン設定処理にて可変表示結果が「ハズレ」となる場合の変動パターンを所定割合で決定することにより、飾り図柄の可変表示態様を「リーチ」とするか否かが決定されてもよい。更に、変動パターン設定処理は、第１特別図柄表示装置４Ａや第２特別図柄表示装置４Ｂにおいて特別図柄の変動を開始させるための設定を行う処理を含んでもよい。変動パターン設定処理が実行されたときには、特図プロセスフラグの値が“２”に更新される。
【０１０４】
ステップＳ１１２の特別図柄変動処理は、特図プロセスフラグの値が“２”のときに実行される。この特別図柄変動処理には、第１特別図柄表示装置４Ａや第２特別図柄表示装置４Ｂにおいて特別図柄を変動させるための設定を行う処理や、その特別図柄が変動を開始してからの経過時間を計測する処理等が含まれている。そして、特別図柄の変動を開始してからの経過時間が特図変動時間に達したときには、特図プロセスフラグの値が“３”に更新される。
【０１０５】
ステップＳ１１３の特別図柄停止処理は、特図プロセスフラグの値が“３”のときに実行される。この特別図柄停止処理には、第１特別図柄表示装置４Ａや第２特別図柄表示装置４Ｂにて特別図柄の変動を停止させ、特別図柄の可変表示結果となる確定特別図柄を停止表示させるための設定を行う処理が含まれている。そして、ＲＡＭ１０２の所定領域に設けられた大当りフラグがオンとなっているか否かの判定等が行われ、大当りフラグがオンである場合には特図プロセスフラグの値が“４”に更新される。その一方で、大当りフラグがオフである場合には、特図プロセスフラグの値が“０”に更新される。
【０１０６】
ステップＳ１１４の大当り開放前処理は、特図プロセスフラグの値が“４”のときに実行される。この大当り開放前処理には、可変表示結果が「大当り」となったこと等に基づき、大当り遊技状態においてラウンド遊技の実行を開始して上大入賞口又は下大入賞口を開放状態とするための設定を行う処理等が含まれている。大当り開放前処理が実行されたときには、特図プロセスフラグの値が“５”に更新される。
【０１０７】
ステップＳ１１５の大当り開放中処理は、特図プロセスフラグの値が“５”のときに実行される。この大当り開放中処理には、上大入賞口又は下大入賞口を開放状態としてからの経過時間を計測する処理や、その計測した経過時間や上大入賞口スイッチ２３Ａ又は下大入賞口スイッチ２３Ｂによって検出された遊技球の個数等に基づいて、上大入賞口又は下大入賞口を開放状態から閉鎖状態に戻すタイミングとなったか否かを判定する処理等が含まれている。そして、上大入賞口又は下大入賞口を閉鎖状態に戻したときには、特図プロセスフラグの値が“６”に更新される。
【０１０８】
ステップＳ１１６の大当り開放後処理は、特図プロセスフラグの値が“６”のときに実行される。この大当り開放後処理には、上大入賞口又は下大入賞口を開放状態とするラウンド遊技の実行回数が所定の上限回数に達したか否かを判定する処理や、上限回数に達していない場合に次回のラウンド遊技が開始されるまで待機する処理等が含まれている。そして、次回のラウンド遊技が開始されるときには、特図プロセスフラグの値が“４”に更新される一方、ラウンド遊技の実行回数が上限回数に達したときには、特図プロセスフラグの値が“７”に更新される。
【０１０９】
ステップＳ１１７の大当り終了処理は、特図プロセスフラグの値が“７”のときに実行される。この大当り終了処理には、画像表示装置５やスピーカ８Ｌ、８Ｒ、遊技効果ランプ９等といった演出装置により、大当り遊技状態の終了を報知する演出動作としてのエンディング演出が実行される期間に対応した待ち時間が経過するまで待機する処理や、確変制御条件の成否に対応して確変状態や時短状態に制御するための各種の設定を行う処理等が含まれている。そして、確変状態や時短状態に制御するための設定が行われたときには、特図プロセスフラグの値が“０”に更新される。
【０１１０】
図６は、特別図柄通常処理として、図５のステップＳ１１０にて実行される処理の一例を示すフローチャートである。図６に示す特別図柄通常処理において、ＣＰＵ１０３は、まず、第２特図保留記憶数が「０」であるか否かを判定する（ステップＳ２３１）。第２特図保留記憶数は、第２特別図柄表示装置４Ｂによる第２特図を用いた特図ゲームの保留記憶数である。例えば、ステップＳ２３１の処理では、ＲＡＭ１０２の所定領域に記憶されている第２保留記憶数カウント値を読み出し、その読出値が「０」であるか否かを判定すればよい。
【０１１１】
ステップＳ２３１にて第２特図保留記憶数が「０」以外であるときには（ステップＳ２３１；ＮＯ）、例えば第２特図保留記憶部の先頭領域といった、ＲＡＭ１０２の所定領域に記憶されている保留データとして、特図表示結果決定用の乱数値ＭＲ１、大当り種別決定用の乱数値ＭＲ２、変動パターン決定用の乱数値ＭＲ３を示す数値データをそれぞれ読み出す（ステップＳ２３２）。このとき読み出された数値データは、例えば変動用乱数バッファ等に格納されて、一時記憶されればよい。
【０１１２】
ステップＳ２３２の処理に続いて、例えば第２保留記憶数カウント値を１減算して更新すること等により、第２特図保留記憶数を１減算させるように更新すると共に、第２特図保留記憶部における記憶内容をシフトさせる（ステップＳ２３３）。例えば、第２特図保留記憶部にて保留番号「１」より下位のエントリに記憶された乱数値ＭＲ１〜ＭＲ３を示す保留データを、１エントリずつ上位にシフトする。また、ステップＳ２３３の処理では、ＲＡＭ１０２の所定領域にて合計保留記憶数カウンタが記憶する合計保留記憶数カウント値を１減算するように更新してもよい。このときには、変動特図指定バッファの格納値である変動特図指定バッファ値を「２」に更新する（ステップＳ２３４）。
【０１１３】
ステップＳ２３１にて第２特図保留記憶数が「０」であるときには（ステップＳ２３１；ＹＥＳ）、第１特図保留記憶数が「０」であるか否かを判定する（ステップＳ２３５）。第１特図保留記憶数は、第１特別図柄表示装置４Ａによる第１特図を用いた特図ゲームの保留記憶数である。例えば、ステップＳ２３５の処理では、ＲＡＭ１０２の所定領域に記憶されている第１保留記憶数カウント値を読み出し、その読出値が「０」であるか否かを判定すればよい。このように、ステップＳ２３５の処理は、ステップＳ２３１にて第２特図保留記憶数が「０」であると判定されたときに実行されて、第１特図保留記憶数が「０」であるか否かを判定する。これにより、第２特図を用いた特図ゲームは、第１特図を用いた特図ゲームよりも優先して実行が開始されることになる。
【０１１４】
ステップＳ２３５にて第１特図保留記憶数が「０」以外であるときには（ステップＳ２３５；ＮＯ）、例えば第１特図保留記憶部の先頭領域といった、ＲＡＭ１０２の所定領域に記憶されている保留データとして、特図表示結果決定用の乱数値ＭＲ１、大当り種別決定用の乱数値ＭＲ２、変動パターン決定用の乱数値ＭＲ３を示す数値データをそれぞれ読み出す（ステップＳ２３６）。このとき読み出された数値データは、例えば変動用乱数バッファ等に格納されて、一時記憶されればよい。
【０１１５】
ステップＳ２３６の処理に続いて、例えば第１保留記憶数カウント値を１減算して更新すること等により、第１特図保留記憶数を１減算させるように更新すると共に、第１特図保留記憶部における記憶内容をシフトさせる（ステップＳ２３７）。例えば、第１特図保留記憶部にて保留番号「１」より下位のエントリに記憶された乱数値ＭＲ１〜ＭＲ３を示す保留データを、１エントリずつ上位にシフトする。また、ステップＳ２３７の処理では、合計保留記憶数カウント値を１減算するように更新してもよい。このときには、変動特図指定バッファ値を「１」に更新する（ステップＳ２３８）。
【０１１６】
ステップＳ２３４、Ｓ２３８の処理のいずれかを実行した後には、特別図柄の可変表示結果である特図表示結果を「大当り」と「ハズレ」のいずれとするかを決定する（ステップＳ２３９）。一例として、ステップＳ２３９の処理では、予めＲＯＭ１０１の所定領域に記憶する等して用意された特図表示結果決定テーブルを選択し、特図表示結果を決定するための使用テーブルに設定する。特図表示結果決定テーブルでは、確変制御が行われる確変状態であるか否か等に応じて、特図表示結果決定用の乱数値ＭＲ１と比較される数値が、特図表示結果を「大当り」と「ハズレ」とのいずれとするかの決定結果に、割り当てられていればよい。ＣＰＵ１０３は、変動用乱数バッファから読み出した特図表示結果決定用の乱数値ＭＲ１を示す数値データに基づいて、特図表示結果決定テーブルを参照することにより、特図表示結果を決定すればよい。
【０１１７】
図７（Ａ）は、ステップＳ２３９の処理による特図表示結果の決定例を示している。この決定例では、確変状態における確変制御の有無に応じて、特図表示結果を「大当り」とするか否かの決定割合を異ならせている。より具体的に、確変状態にて確変制御が行われているときには、通常状態や時短状態にて確変制御が行われていないときよりも高い割合で、特図表示結果が「大当り」に決定される。したがって、確変制御が行われる確変状態であるときには、通常状態や時短状態にて確変制御が行われていないときよりも、特図表示結果が「大当り」になり易く、大当り遊技状態になり易い。
【０１１８】
その後、ステップＳ２３９にて決定された特図表示結果が「大当り」であるか否かを判定する（ステップＳ２４０）。特図表示結果が「大当り」に決定された場合には（ステップＳ２４０；ＹＥＳ）、ＲＡＭ１０２の所定領域に設けられた大当りフラグをオン状態にセットする（ステップＳ２４１）。また、大当り種別を複数種類のいずれかに決定する（ステップＳ２４２）。一例として、ステップＳ２４２の処理では、予めＲＯＭ１０１の所定領域に記憶する等して用意された大当り種別決定テーブルを選択し、大当り種別を決定するための使用テーブルに設定する。大当り種別決定テーブルでは、変動特図指定バッファ値等に応じて、大当り種別決定用の乱数値ＭＲ２と比較される数値が、大当り種別を複数種類のいずれとするかの決定結果に、割り当てられていればよい。ＣＰＵ１０３は、変動用乱数バッファから読み出した大当り種別決定用の乱数値ＭＲ２を示す数値データに基づいて、大当り種別決定テーブルを参照することにより、大当り種別を決定すればよい。
【０１１９】
図７（Ｂ）は、ステップＳ２４２の処理による大当り種別の決定例を示している。この決定例では、開始条件が成立した特図ゲームにて可変表示される特別図柄が、第１特図であるか第２特図であるかに応じて、大当り種別の決定割合を異ならせている。ここで、変動特図指定バッファ値が「１」であるときには、第１特別図柄表示装置４Ａによる特図ゲームの開始条件が成立しており、変動特図が第１特図となる。一方、変動特図指定バッファ値が「２」であるときには、第２特別図柄表示装置４Ｂによる特図ゲームの開始条件が成立しており、変動特図が第２特図となる。図７（Ｂ）に示す決定例では、変動特図が第２特図であるときに、変動特図が第１特図であるときよりも高い割合で、大当り種別が「大当りＡ」に決定される。このように、特図ゲームにて可変表示される特別図柄に応じて異なる割合で、所定の大当り種別に決定されてもよい。
【０１２０】
なお、特図ゲームにて可変表示される特別図柄に応じて、異なる大当り種別に決定されてもよい。一例として、変動特図が第１特図であるときには、大当り種別が「大当りＡ」と「大当りＢ」のいずれかに決定される一方、変動特図が第２特図であるときには、大当り種別が「大当りＡ」にのみ決定されてもよい。
【０１２１】
この実施の形態では、大当り種別が「大当りＡ」の場合に、大当り遊技状態におけるラウンド遊技の実行回数が「６」である第６ラウンドにて、大当り種別が「大当りＢ」の場合よりも下大入賞口を開放状態とする上限時間が長くなり、大当り遊技状態の終了後に確変状態となるための確変制御条件が成立し易い。図７（Ｂ）に示すような決定割合で大当り種別が決定されることにより、変動特図が第２特図であるときには、第１特図であるときよりも高い割合で、大当り遊技状態の終了後に確変状態となるための確変制御条件が成立し易い。即ち、第２始動入賞口を遊技球が通過したことに基づく第２特図を用いた特図ゲームで特図表示結果が「大当り」となる場合には、第１始動入賞口を遊技球が通過したことに基づく第１特図を用いた特図ゲームで特図表示結果が「大当り」となる場合よりも確変制御条件が成立し易い。
【０１２２】
ステップＳ２４２の処理を実行した後には、大当り種別を記憶させる（ステップＳ２４３）。ステップＳ２４３の処理では、例えばＲＡＭ１０２の所定領域に設けられた大当り種別バッファに、大当り種別の決定結果を示すデータを格納することで、大当り種別を記憶させればよい。
【０１２３】
ステップＳ２４０にて特図表示結果が「大当り」ではなく「ハズレ」である場合や（ステップＳ２４０；ＮＯ）、ステップＳ２４３の処理を実行した後には、特図ゲームにおける特別図柄の可変表示家かとなる確定特別図柄を設定する（ステップＳ２４４）。一例として、ステップＳ２４０にて特図表示結果が「大当り」ではないと判定された場合には、ハズレ図柄として予め定められた特別図柄を確定特別図柄に決定する。一方、ステップＳ２４０にて特図表示結果が「大当り」であると判定された場合には、ステップＳ２４２における大当り種別の決定結果に応じて、複数種類の大当り図柄として予め定められた特別図柄のいずれかを確定特別図柄に決定すればよい。
【０１２４】
ステップＳ２４４の処理を実行した後には、特図プロセスフラグの値を“１”に更新してから（ステップＳ２４５）、特別図柄通常処理を終了する。ステップＳ２４５にて特図プロセスフラグの値が“１”に更新されることにより、次回のタイマ割込みが発生したときには、図５に示すステップＳ１１１の変動パターン設定処理が実行される。
【０１２５】
ステップＳ２３５にて第１特図を用いた特図ゲームの保留記憶数が「０」である場合には（ステップＳ２３５；ＹＥＳ）、所定のデモ表示設定を行ってから（ステップＳ２４６）、特別図柄通常処理を終了する。このデモ表示設定では、例えば画像表示装置５において所定の演出画像を表示すること等によるデモンストレーション表示を指定する演出制御コマンドが、主基板１１から演出制御基板１２に対して送信済みであるか否かを判定する。このとき、送信済みであれば、そのままデモ表示設定を終了する。これに対して、未送信であれば、客待ちデモ指定コマンドを送信するための設定を行ってから、デモ表示設定を終了する。
【０１２６】
図８は、特別図柄停止処理として、図５のステップＳ１１３にて実行される処理の一例を示すフローチャートである。図８に示す特別図柄停止処理において、ＣＰＵ１０３は、まず、ＲＡＭ１０２の所定領域に設けられた特図確定表示中フラグがオンであるか否かを判定する（ステップＳ２６１）。特図確定表示中フラグは、特図ゲームにおける可変表示結果となる確定特別図柄が導出表示されたことに対応して、後述するステップＳ２６５の処理によりオン状態にセットされる。
【０１２７】
ステップＳ２６１にて特図確定表示中フラグがオフであるときには（ステップＳ２６１；ＮＯ）、確定特別図柄を導出表示するための設定を行う（ステップＳ２６２）。また、図柄確定時におけるコマンドの送信設定が行われる（ステップＳ２６３）。例えば、図柄確定コマンドとして予め用意された演出制御コマンドは、演出制御基板１２に対して送信するための設定が行われる。更には、特図確定表示時間として予め定められた一定時間をセットする（ステップＳ２６４）。そして、特図確定表示中フラグをオン状態にセットしてから（ステップＳ２６５）、特別図柄停止処理を終了する。このときには、特図プロセスフラグの更新が行われないことから、次回のタイマ割込みが発生したときに特別図柄停止処理が再び実行される。
【０１２８】
ステップＳ２６１にて特図確定表示中フラグがオンであるときには（ステップＳ２６１；ＹＥＳ）、特図確定表示時間が経過したか否かを判定する（ステップＳ２６６）。このとき、特図確定表示時間が経過していなければ（ステップＳ２６６；ＮＯ）、特別図柄停止処理を終了する。ここでは、特図プロセスフラグの更新が行われないことから、次回のタイマ割込みが発生したときに特別図柄停止処理が再び実行され、特図確定表示時間が経過するまで待機する。
【０１２９】
ステップＳ２６６にて特図確定表示時間が経過した場合には（ステップＳ２６６；ＹＥＳ）、特図確定表示中フラグをクリアしてオフ状態とした後に（ステップＳ２６７）、大当りフラグがオンであるか否かを判定する（ステップＳ２６８）。そして、大当りフラグがオンである場合には（ステップＳ２６８；ＹＥＳ）、大当り開始時演出待ち時間として予め定められた一定時間を設定する（ステップＳ２６９）。このときには、大当り開始時におけるコマンドの送信設定が行われる（ステップＳ２７０）。例えば、大当り開始指定コマンドとして予め用意された演出制御コマンドを、演出制御基板１２に対して送信するための設定が行われる。
【０１３０】
ステップＳ２７０の処理を実行した後には、ＲＡＭ１０２の所定領域に設けられた大当り開始フラグをオン状態にセットする（ステップＳ２７１）。続いて、時短制御や確変制御を終了するための設定を行う（ステップＳ２７２）。例えば、ステップＳ２７２の処理として、ＲＡＭ１０２の所定領域に設けられた確変フラグや時短フラグをクリアしてオフ状態とする処理や、時短制御や高開放制御が行われる特図ゲームの残り回数をカウントするための時短回数カウンタをクリアする処理、確変制御が行われる特図ゲームの残り回数をカウントするための確変回数カウンタをクリアする処理等が、実行されればよい。
【０１３１】
時短回数カウンタは、例えば遊技制御カウンタ設定部といったＲＡＭ１０２の所定領域に設けられ、大当り遊技状態の終了後に確変状態や時短状態となる場合に、時短制御や高開放制御が行われる特図ゲームの上限回数等に対応するカウント初期値が設定されればよい。確変回数カウンタは、例えば遊技制御カウンタ設定部といったＲＡＭ１０２の所定領域に設けられ、大当り遊技状態の終了後に確変状態となる場合に、確変制御が行われる特図ゲームの上限回数等に対応するカウント初期値が設定されればよい。
【０１３２】
ステップＳ２７２の処理を実行した後には、特図プロセスフラグの値を“４”に更新してから（ステップＳ２７３）、特別図柄停止処理を終了する。特図プロセスフラグの値が“４”に更新されることにより、次回のタイマ割込みが発生したときには、図５に示すステップＳ１１４の大当り開放前処理が実行される。
【０１３３】
ステップＳ２６８にて大当りフラグがオフである場合には（ステップＳ２６８；ＮＯ）、時短制御や確変制御を終了させるか否かの判定を行う（ステップＳ２７４）。一例として、ステップＳ２７４の処理では、時短回数カウンタの格納値である時短回数カウント値が「０」以外であるときに、そのカウント値を１減算する等して更新する。そして、更新後の時短回数カウント値が所定の時短終了判定値と合致するか否かの判定を行う。このとき、時短終了判定値と合致すれば、所定の時短フラグをクリアしてオフ状態とすること等により、時短制御や高開放制御を終了すればよい。一方、時短終了判定値と合致しなければ、時短フラグの状態を維持する等して、ステップＳ２７４の処理を終了すればよい。
【０１３４】
また、ステップＳ２７４の処理では、確変回数カウンタの格納値である確変回数カウント値が「０」以外であるときに、そのカウント値を１減算する等して更新する。そして、更新後の確変回数カウント値が所定の確変終了判定値と合致するか否かの判定を行う。このとき、確変終了判定値と合致すれば、所定の確変フラグをクリアすること等により、確変制御を終了すればよい。一方、確変終了判定値と合致しなければ、確変フラグの状態を維持する等して、ステップＳ２７４の処理を終了すればよい。
【０１３５】
その後、遊技状態指定コマンドを主基板１１から演出制御基板１２に対して送信するための設定を行う（ステップＳ２７５）。遊技状態指定コマンドは、パチンコ遊技機１における現在の遊技状態を指定するコマンドである。
【０１３６】
ステップＳ２７５の処理を実行した後には、特図プロセスフラグの値を“０”に更新してから（ステップＳ２７５）、特別図柄停止処理を終了する。特図プロセスフラグの値が“０”に更新されることにより、次回のタイマ割込みが発生したときには、図５に示すステップＳ１１０の特別図柄通常処理が実行される。
【０１３７】
図９は、大当り開放前処理として、図５のステップＳ１１４にて実行される処理の一例を示すフローチャートである。図９に示す大当り開放前処理において、ＣＰＵ１０３は、まず、大当り開始フラグがオンであるか否かを判定する（ステップＳ２９１）。大当り開始フラグは、大当り遊技状態の開始に対応して、図８に示すステップＳ２７１の処理によりオン状態にセットされる。
【０１３８】
ステップＳ２９１にて大当り開始フラグがオンであるときには（ステップＳ２９１；ＹＥＳ）、大当り開始時演出待ち時間が経過したか否かを判定する（ステップＳ２９２）。このとき、大当り開始時演出待ち時間が経過していなければ（ステップＳ２９２；ＮＯ）、大当り開放前処理を終了する。ここでは、特図プロセスフラグの更新が行われないことから、次回のタイマ割込みが発生したときに大当り開放前処理が再び実行され、大当り開始時演出待ち時間が経過するまで待機する。
【０１３９】
ステップＳ２９２にて大当り開始時演出待ち時間が経過した場合には（ステップＳ２９２；ＹＥＳ）、大当り開始フラグをクリアしてオフ状態とした後に（ステップＳ２９３）、ＲＡＭ１０２の所定領域に設けられたラウンドカウンタに、ラウンド遊技の実行回数に対応するカウント初期値として「１」を設定する（ステップＳ２９４）。
【０１４０】
ステップＳ２９１にて大当り開始フラグがオフであるときや（ステップＳ２９１；ＮＯ）、ステップＳ２９４の処理を実行した後には、ラウンド遊技にて開放状態とする大入賞口を、特別可変入賞球装置７Ａに形成された上大入賞口、又は特別可変入賞球装置７Ｂに形成された下大入賞口のいずれかに決定する（ステップＳ２９５）。図１０（Ａ）は、ステップＳ２９５の処理における決定例を示している。この実施の形態では、ラウンドカウント値が「１」〜「５」、「７」〜「１５」のいずれかであるときに、上大入賞口を開放状態とするラウンド遊技を実行することに決定される。これにより、ラウンド遊技の実行回数が特定回数以外の「１」〜「５」、「７」〜「１５」であるときには、上大入賞口を開放状態とするラウンド遊技が実行され、特別可変入賞球装置７Ａが遊技者にとって有利な第１状態となる。一方、ラウンドカウント値が「６」であるときには、下大入賞口を開放状態とするラウンド遊技を実行することに決定される。したがって、ラウンド遊技の実行回数が特定回数としての「６」となったときに、下大入賞口を開放状態とするラウンド遊技が実行され、特別可変入賞球装置７Ｂが遊技者にとって有利な第１状態となる。
【０１４１】
ステップＳ２９５の処理により開放する大入賞口を決定することにあわせて、遊技球を有効に検出するための検出有効スイッチを設定してもよい。例えば、ラウンドカウント値が「１」〜「５」、「７」〜「１５」のいずれかであるときには、上大入賞口が開放状態となることにあわせて、上大入賞口スイッチ２３Ａによる遊技球の検出を有効にする。一方、ラウンドカウント値が「６」であるときには、下大入賞口が開放状態となることにあわせて、下大入賞口スイッチ２３Ｂが有効化されると共に、特定領域スイッチ２４による遊技球の検出も有効にすればよい。
【０１４２】
ステップＳ２９５の処理に続いて、例えば大当り種別バッファ等から大当り種別の記憶データを読み出す（ステップＳ２９６）。そして、大入賞口開放上限時間を決定する（ステップＳ２９７）。大入賞口開放上限時間は、大当り遊技状態にて実行される各回のラウンド遊技において、上大入賞口又は下大入賞口を開放状態とする上限時間である。図１０（Ｂ）は、ステップＳ２９７の処理における決定例を示している。この実施の形態では、大当り種別が「大当りＡ」であるときに、ラウンドカウント値が「１」〜「１５」のいずれであるかにかかわらず、一定の大入賞口開放上限時間として２９．５秒が設定される。一方、大当り種別が「大当りＢ」であるときには、ラウンドカウント値が「１」〜「５」、「７」〜「１５」のいずれかである場合と「６」である場合とで、大入賞口開放上限時間を異ならせている。特に、ラウンドカウント値が「６」である場合には、大入賞口開放上限時間が比較的に短い時間に設定され、下大入賞口を遊技球が通過し難い。したがって、大当り種別が「大当りＡ」である場合には、下大入賞口を遊技球が通過する可能性が高く、大当り遊技状態の終了後に確変状態となるための確変制御条件が成立し易い。
【０１４３】
ステップＳ２９７の処理を実行した後には、大入賞口を閉鎖状態から開放状態とするための開放開始制御が行われる（ステップＳ２９８）。このときには、ステップＳ２９５の処理により決定された開放する大入賞口に応じて、ソレノイド８２Ａ、８２Ｂのいずれかに駆動信号を送信するための設定が行われる。一例として、上大入賞口を開放状態とする場合には、上大入賞口扉用のソレノイド８２Ａに駆動信号を送信するための設定を行う。一方、下大入賞口を開放状態とする場合には、下大入賞口扉用のソレノイド８２Ｂに駆動信号を送信するための設定を行う。
【０１４４】
その後、特図プロセスフラグの値を“５”に更新してから（ステップＳ２９９）、大当り開放前処理を終了する。ステップＳ２９９にて特図プロセスフラグの値が“５”に更新されることにより、次回のタイマ割込みが発生したときには、図５に示すステップＳ１１５の大当り開放中処理が実行される。
【０１４５】
図１１は、大当り開放中処理として、図５のステップＳ１１５にて実行される処理の一例を示すフローチャートである。図１１に示す大当り開放中処理において、ＣＰＵ１０３は、まず、大入賞口開放上限時間が経過したか否かを判定する（ステップＳ３１１）。このとき、大入賞口開放上限時間が経過していなければ（ステップＳ３１１；ＮＯ）、上大入賞口スイッチ２３Ａと下大入賞口スイッチ２３Ｂのうちで、遊技球の検出が有効な大入賞口スイッチから伝送された検出信号オン状態となったか否かを判定する（ステップＳ３１２）。例えば、ラウンドカウント値が「１」〜「５」、「７」〜「１５」のいずれかであるときには、上大入賞口スイッチ２３Ａによる遊技球の検出が有効となることから、ステップＳ３１２の処理では、上大入賞口スイッチ２３Ａから伝送された検出信号がオン状態となったか否かを判定する。一方、ラウンドカウント値が「６」であるときには、下大入賞口スイッチ２３Ｂによる遊技球の検出が有効となることから、ステップＳ３１２の処理では、下大入賞口スイッチ２３Ｂから伝送された検出信号がオン状態となったか否かを判定する。
【０１４６】
ステップＳ３１２にて大入賞口スイッチがオンである場合には（ステップＳ３１２；ＹＥＳ）、入賞個数カウント値を１加算するように更新する（ステップＳ３１３）。入賞個数カウント値は、ＲＡＭ１０２の所定領域に設けられた入賞個数カウンタの格納値であり、１回のラウンド遊技が実行される間に大入賞口スイッチにより検出された遊技球の個数を示すものであればよい。その後、大入賞口スイッチにより遊技球が検出されたことに基づいて、賞球となる遊技球を払い出すための設定を行う（ステップＳ３１４）。なお、賞球を直接に払い出すことに代えて、賞球の個数に対応した得点を付与するようにしてもよい。
【０１４７】
その後、大入賞口入賞通知コマンドを主基板１１から演出制御基板１２に対して送信するための設定を行う（ステップＳ３１５）。大入賞口入賞通知コマンドは、特別可変入賞球装置７Ａが形成する上大入賞口を通過した遊技球が上大入賞口スイッチ２３Ａにより検出されたこと、又は特別可変入賞球装置７Ｂが形成する下大入賞口を通過した遊技球が下大入賞口スイッチ２３Ｂにより検出されたことを通知するコマンドである。
【０１４８】
ステップＳ３１２にて大入賞口スイッチがオフである場合や（ステップＳ３１２；ＮＯ）、ステップＳ３１５の処理を実行した後には、ＲＡＭ１０２の所定領域に設けられた確変確定フラグがオンであるか否かを判定する（ステップＳ３１６）。このとき、確変確定フラグがオフであれば（ステップＳ３１６；ＮＯ）、特定領域スイッチ２４から伝送された検出信号がオン状態であるか否かを判定する（ステップＳ３１７）。そして、特定領域スイッチ２４がオンであるときには（ステップＳ３１７；ＹＥＳ）、確変確定フラグをオン状態にセットする（ステップＳ３１８）。
【０１４９】
その後、確変確定通知コマンドを主基板１１から演出制御基板１２に対して送信するための設定を行う（ステップＳ３１９）。確変確定通知コマンドは、大当り遊技状態の終了後に確変状態となるための確変制御条件が成立したことを通知するコマンドである。
【０１５０】
ステップＳ３１６にて確変確定フラグがオンであるときや（ステップＳ３１６；ＹＥＳ）、ステップＳ３１７にて特定領域スイッチ２４がオフであるとき（ステップＳ３１７；ＮＯ）、あるいはステップＳ３１９の処理を実行した後には、入賞個数カウント値が予め定められた入賞上限判定値に達したか否かを判定する（ステップＳ３２０）。このとき、入賞上限判定値に達していなければ（ステップＳ３２０；ＮＯ）、大当り開放中処理を終了する。ここでは、特図プロセス処理の値が更新されないことから、次回のタイマ割込みが発生したときに大当り開放中処理が再び実行される。
【０１５１】
一方、ステップＳ３１１にて大入賞口開放上限時間が経過した場合や（ステップＳ３１１；ＹＥＳ）、ステップＳ３２０にて入賞上限判定値に達したと判定された場合には（ステップＳ３２０；ＹＥＳ）、今回のラウンド遊技を終了すると判断して、開放状態となっている大入賞口を閉鎖状態に戻すための開放終了制御が行われる（ステップＳ３２１）。このときには、開放した大入賞口に応じて、ソレノイド８２Ａ、８２Ｂのいずれかに対する駆動信号の送信を停止するための設定が行われればよい。
【０１５２】
ステップＳ３２１の処理に続いて、入賞個数カウンタをクリアすることで、そのカウント値を「０」に初期化する（ステップＳ３２２）。そして、特図プロセスフラグの値を“６”に更新してから（ステップＳ３２３）、大当り開放中処理を終了する。特図プロセスフラグの値が“６”に更新されることにより、次回のタイマ割込みが発生したときには、図５に示すステップＳ１１６の大当り開放後処理が実行される。
【０１５３】
この実施の形態では、大当り種別が「大当りＡ」であるか「大当りＢ」であるかにかかわらず、大当り遊技状態におけるラウンド遊技の実行回数が「１」〜「５」、「７」〜「１５」のいずれかである場合には、特別可変入賞球装置７Ａに形成された上大入賞口を開放状態とするラウンド遊技が実行され、ラウンド遊技の実行回数が「６」である場合には、特別可変入賞球装置７Ｂに形成された下大入賞口を開放状態とするラウンド遊技が実行される。一方、大当り種別が「大当りＡ」であるか「大当りＢ」であるかに応じて、ラウンド遊技の実行回数が「６」となる第６ラウンドにて下大入賞口を開放状態とする上限時間を、異ならせるように設定する。より具体的には、大当り種別が「大当りＡ」の場合には、第６ラウンドでも第１ラウンド〜第５ラウンド、第７ラウンド〜第１５ラウンドの場合と同様に、大入賞口開放上限時間が２９．５秒に設定される。これに対して、大当り種別が「大当りＢ」の場合には、第６ラウンドにおける大入賞口開放上限時間として、第１ラウンド〜第５ラウンド、第７ラウンド〜第１５ラウンドよりも短い０．２秒が設定される。なお、大当り種別が「大当りＢ」の場合の第６ラウンドにおける大入賞口開放上限時間（０．２秒）に遊技球が大入賞口に入賞し特定領域を通過したとしても無効とし、確変状態に制御しないようにしてもよい。
【０１５４】
図１２は、大当り遊技状態におけるラウンド遊技の実行例を示す説明図である。図１２（Ａ１）及び（Ａ２）は、大当り種別が「大当りＡ」に決定されたことに基づくラウンド遊技の実行例を示している。図１２（Ｂ１）及び（Ｂ２）は、大当り種別が「大当りＢ」に決定されたことに基づくラウンド遊技の実行例を示している。図１２（Ａ１）及び（Ｂ１）に示すように、ラウンド遊技の実行回数が「１」〜「５」、「７」〜「１５」である第１ラウンド〜第５ラウンド、第７ラウンド〜第１５ラウンドでは、特別可変入賞球装置７Ａに形成された上大入賞口を開放状態とするラウンド遊技が実行される。一方、図１２（Ａ２）及び（Ｂ２）に示すように、ラウンド遊技の実行回数が「６」である第６ラウンドでは、特別可変入賞球装置７Ｂに形成された下大入賞口を開放状態とするラウンド遊技が実行される。この第６ラウンドにて下大入賞口を開放状態とする上限時間は、図９に示すステップＳ２９７の処理で図１０（Ｂ）に示すような決定が行われることにより、大当り種別が「大当りＢ」である場合に、大当り種別が「大当りＡ」である場合よりも短い時間となる。したがって、大当り種別が「大当りＢ」である場合には、下大入賞口に遊技球を進入させることが困難であり、確変制御条件が成立し難い。こうして、ラウンド遊技の実行回数が特定回数である「６」となったときに、下大入賞口の変化態様に応じて確変制御条件の成立し易さを異ならせて、特定回数のラウンド遊技に対する遊技者の興趣を高めることができる。
【０１５５】
大当り種別は、図６に示すステップＳ２４２の処理により、図７（Ｂ）に示すような変動特図に応じて異なる割合で決定される。第１特図を用いた特図ゲームは、第１始動入賞口を遊技球が通過したことに基づいて実行される。一方、第２特図を用いた特図ゲームは、第２始動入賞口を遊技球が通過したことに基づいて実行される。第２始動入賞口は、普通可変入賞球装置６Ｂの可動翼片が開放状態又は拡大開放状態になることで遊技球が通過し易くなり、閉鎖状態又は通常開放状態になることで遊技球が通過不可能あるいは通過困難になる。普通可変入賞球装置６Ｂは、普図ゲームにおける可変表示結果が「普図当り」となったときに、開放状態又は拡大開放状態になる。確変状態や時短状態にて高開放制御を伴う時短制御が行われるときには、時短制御が行われない通常状態等よりも第２始動入賞口を遊技球が通過し易い有利変化態様で、普通可変入賞球装置６Ｂを開放状態又は拡大開放状態に変化させる。
【０１５６】
時短制御が行われていない通常状態であるときには、第１始動入賞口を遊技球が通過したことに基づく第１特図を用いた特図ゲームにて特図表示結果が「大当り」となる場合が多い。この場合、大当り種別が所定割合で「大当りＢ」に決定されることで、確変制御条件が成立し難くなる。一方、時短状態や確変状態にて時短制御に伴う高開放制御が行われているときには、第２始動入賞口を遊技球が通過したことに基づく第２特図を用いた特図ゲームにて特図表示結果が「大当り」となる場合が多い。この場合、大当り種別が第１特図を用いた特図ゲームよりも高い所定割合で「大当りＡ」に決定されることで、確変制御条件が成立し易くなる。したがって、通常状態にて特図表示結果が「大当り」となる場合には、大当り遊技状態の終了後に確変状態となる可能性が抑制される。但し、大当り種別が「大当りＢ」の場合でも、第１ラウンド〜第５ラウンド、第７ラウンド〜第１５ラウンドのラウンド遊技では、上大入賞口を開放状態とする上限時間が十分に長い時間に設定される。これにより、遊技者は多くの賞球を得る機会が与えられ、可変表示結果が「大当り」となる遊技興趣が高められる。
【０１５７】
通常状態にて特図表示結果が「大当り」となる場合に連チャン率を抑制するものとして、大当り遊技状態におけるラウンド遊技の実行回数を少なくすることや、各回のラウンド遊技にて大入賞口を開放状態とする上限時間を短くすることにより、遊技球が大入賞口に進入し難い大当り遊技状態を設け、その大当り遊技状態の終了後には確変制御を行う一方で、高開放制御を伴う時短制御が行われないようにすることがある。この場合、遊技球が大入賞口に進入し難い大当り遊技状態が頻発することで、可変表示結果が「大当り」となる遊技興趣が低下する虞がある。この発明の実施の形態によれば、通常状態にて特図表示結果が「大当り」となる場合に連チャン率を抑制しつつ、上大入賞口は遊技球が進入し易い開放状態となるラウンド遊技が実行されることから、可変表示結果が「大当り」となる遊技興趣の低下を防止することができる。
【０１５８】
図１３（Ａ）は、大当り開放後処理として、図５のステップＳ１１６にて実行される処理の一例を示すフローチャートである。図１３（Ａ）に示す大当り開放後処理において、ＣＰＵ１０３は、まず、ＲＡＭ１０２の所定領域に設けられた次ラウンド待ちフラグがオンであるか否かを判定する（ステップＳ３３１）。次ラウンド待ちフラグは、大当り遊技状態における次回のラウンド遊技が開始されるまで待機することに対応して、後述するステップＳ３３４の処理によりオン状態にセットされる。
【０１５９】
ステップＳ３３１にて次ラウンド待ちフラグがオフであるときには（ステップＳ３３１；ＮＯ）、ラウンドカウント値が予め定められたラウンド上限判定値に達したか否かを判定する（ステップＳ３３２）。このとき、ラウンド上限判定値に達していなければ（ステップＳ３３２；ＮＯ）、次ラウンド待ち時間として予め定められた一定時間を設定する（ステップＳ３３３）。そして、次ラウンド待ちフラグをオン状態にセットしてから（ステップＳ３３４）、大当り開放後処理を終了する。ここでは、特図プロセスフラグの値が更新されないことから、次回のタイマ割込みが発生したときに大当り開放後処理が再び実行される。
【０１６０】
ステップＳ３３２にてラウンド上限判定値に達したと判定された場合には（ステップＳ３３２；ＹＥＳ）、大当り終了時演出待ち時間の設定を行う（ステップＳ３３５）。図１３（Ｂ）は、ステップＳ３３５の処理による大当り終了時演出待ち時間の設定例を示している。この実施の形態では、大当り種別が「大当りＡ」と「大当りＢ」のいずれであるかや、第６ラウンドにて開放状態となった下大入賞口に遊技球が進入したか否かに対応する確変制御条件の成否に応じて、大当り遊技状態の終了時における演出の実行時間を、異ならせるように設定する。
【０１６１】
具体的な一例として、大当り種別が「大当りＡ」に決定されたことに基づく大当り遊技状態において、第６ラウンドで開放状態となった下大入賞口に遊技球が進入したことで図１１に示すステップＳ３１８の処理により確変確定フラグがオン状態にセットされた場合には、大当り終了時演出待ち時間が７秒に設定される。一方、大当り種別が「大当りＡ」であり確変確定フラグがオフである場合には、大当り終了時演出待ち時間が比較的に長い１０秒に設定される。また、大当り種別が「大当りＢ」であり確変確定フラグがオフである場合には、大当り終了時演出待ち時間が比較的に短い５秒に設定される。
【０１６２】
ステップＳ３３５の処理を実行した後には、ラウンドカウンタをクリアして、そのカウント値を「０」に初期化する（ステップＳ３３６）。また、大当りフラグをクリアしてオフ状態にする（ステップＳ３３７）。続いて、大当り終了時におけるコマンドの送信設定が行われる（ステップＳ３３８）。例えば、ステップＳ３３８の処理では、大当り遊技状態の終了を示す大当り終了指定コマンドを送信するために予め用意されたコマンド送信テーブルがセットされればよい。大当り終了指定コマンドは、例えばＥＸＴデータの設定等により、演出制御基板１２の側にて大当り終了時演出待ち時間を特定することができればよい。また、大当り終了指定コマンドは、例えばＥＸＴデータの設定等により、確変確定フラグの状態に応じて大当り遊技状態の終了後に確変制御が行われる確変状態となるか否かを特定することができればよい。
【０１６３】
ステップＳ３３８の処理を実行した後には、特図プロセスフラグの値を“７”に更新してから（ステップＳ３３９）、大当り開放後処理を終了する。特図プロセスフラグの値が“７”に更新されることにより、次回のタイマ割込みが発生したときには、図５に示すステップＳ１１７の大当り終了処理が実行される。
【０１６４】
ステップＳ３３１にて次ラウンド待ちフラグがオンである場合には（ステップＳ３３１；ＹＥＳ）、次ラウンド待ち時間が経過したか否かを判定する（ステップＳ３４０）。そして、次ラウンド待ち時間が経過していなければ（ステップ３４０；ＮＯ）、大当り開放後処理を終了する。このときには、特図プロセスフラグの更新が行われないことから、次回のタイマ割込みが発生したときに大当り開放後処理が再び実行され、次ラウンド待ち時間が経過するまで待機する。
【０１６５】
ステップＳ３４０にて次ラウンド待ち時間が経過したときには（ステップＳ３４０；ＹＥＳ）、次ラウンド待ち時フラグをクリアしてオフ状態にする（ステップＳ３４１）。また、ラウンドカウント値を１加算するように更新する（ステップＳ３４２）。そして、特図プロセスフラグの値を“４”に更新してから（ステップＳ３４３）、大当り開放後処理を終了する。特図プロセスフラグの値が“４”に更新されることにより、次回のタイマ割込みが発生したときには、図５に示すステップＳ１１４の大当り開放前処理が実行され、新たなラウンド遊技を開始させることができる。
【０１６６】
図１４は、図５のステップＳ１１７にて実行される大当り終了処理の一例を示すフローチャートである。図１４に示す大当り終了処理において、ＣＰＵ１０３は、まず、大当り終了時演出待ち時間が経過したか否かを判定する（ステップＳ３６１）。このとき、大当り終了時演出待ち時間が経過していなければ（ステップＳ３６１；ＮＯ）、大当り終了処理の実行を終了させて待機する。
【０１６７】
ステップＳ３６１にて大当り終了時演出待ち時間が経過した場合には（ステップＳ３６１；ＹＥＳ）、時短制御を開始してパチンコ遊技機１における遊技状態を時短状態とするための設定を行う（ステップＳ３６２）。一例として、ステップＳ３６２の処理では、時短フラグをオン状態にセットすることに加え、時短状態にて実行可能な特図ゲームの上限回数（時短回数）等に対応するカウント初期値を、時短回数カウンタに設定する。なお、確変制御を行うか否か（確変確定フラグがオンであるかオフであるか）に応じて上記上限回数を異ならせてもよい。その後、確変確定フラグがオンであるか否かを判定する（ステップＳ３６３）。
【０１６８】
ステップＳ３６３にて確変確定フラグがオンであるときには（ステップＳ３６３；ＹＥＳ）、確変制御を開始してパチンコ遊技機１における遊技状態を確変状態とするための設定を行う（ステップＳ３６４）。一例として、ステップＳ３６４の処理では、確変フラグをオン状態にセットすることに加え、確変状態にて実行可能な特図ゲームの上限回数（ＳＴ回数）等に対応するカウント初期値を、確変回数カウンタに設定する。その後、確変確定フラグをクリアしてオフ状態にする（ステップＳ３６５）。
【０１６９】
ステップＳ３６３にて確変確定フラグがオフであるときや（ステップＳ３６３；ＮＯ）、ステップＳ３６５の処理を実行した後には、特図プロセスフラグをクリアして、その値を“０”に初期化してから（ステップＳ３６６）、大当り終了処理を終了する。特図プロセスフラグが“０”に初期化されることにより、次回のタイマ割込みが発生したときには、図５に示すステップＳ１１０の特別図柄通常処理が実行される。
【０１７０】
次に、演出制御基板１２における動作を説明する。
【０１７１】
演出制御基板１２では、電源基板等から電源電圧の供給を受けると、演出制御用ＣＰＵ１２０が起動して、図１５のフローチャートに示すような演出制御メイン処理を実行する。図１５に示す演出制御メイン処理を開始すると、演出制御用ＣＰＵ１２０は、まず、所定の初期化処理を実行して（ステップＳ７１）、ＲＡＭ１２２のクリアや各種初期値の設定、また演出制御基板１２に搭載されたＣＴＣのレジスタ設定等を行う。その後、タイマ割込みフラグがオンとなっているか否かの判定を行う（ステップＳ７２）。タイマ割込みフラグは、例えばＣＴＣのレジスタ設定に基づき、所定期間が経過する毎にオン状態にセットされる。このとき、タイマ割込みフラグがオフであれば（ステップＳ７２；ＮＯ）、ステップＳ７２の処理を繰り返し実行して待機する。
【０１７２】
また、演出制御基板１２の側では、所定期間が経過する毎に発生するタイマ割込みとは別に、主基板１１から演出制御コマンドを受信するための割込みが発生する。この割込みは、例えば主基板１１からの演出制御ＩＮＴ信号がオン状態となることにより発生する割込みである。演出制御ＩＮＴ信号がオン状態となることによる割込みが発生すると、演出制御用ＣＰＵ１２０は、自動的に割込み禁止に設定するが、自動的に禁止状態にならないＣＰＵを用いている場合には、割込み禁止命令を発行することが望ましい。演出制御用ＣＰＵ１２０は、演出制御ＩＮＴ信号がオン状態となることによる割込みに対応して、例えば所定のコマンド受信割込み処理を実行する。このコマンド受信割込み処理では、Ｉ／Ｏ１２５に含まれる入力ポートのうちで、中継基板１５を介して主基板１１から送信された制御信号を受信する所定の入力ポートより、演出制御コマンドとなる制御信号を取り込む。このとき取り込まれた演出制御コマンドは、例えば演出制御バッファ設定部といったＲＡＭ１２２の所定領域に設けられた演出制御コマンド受信用バッファに格納する。一例として、演出制御コマンドが２バイト構成である場合には、１バイト目と２バイト目を順次に受信して演出制御コマンド受信用バッファに格納する。その後、演出制御用ＣＰＵ１２０は、割込み許可に設定してから、コマンド受信割込み処理を終了する。
【０１７３】
ステップＳ７２にてタイマ割込みフラグがオンである場合には（ステップＳ７２；ＹＥＳ）、タイマ割込みフラグをクリアしてオフ状態にすると共に（ステップＳ７３）、コマンド解析処理を実行する（ステップＳ７４）。ステップＳ７４にて実行されるコマンド解析処理では、例えば主基板１１の遊技制御用マイクロコンピュータ１００から送信されて演出制御コマンド受信用バッファに格納されている各種の演出制御コマンドを読み出した後に、その読み出された演出制御コマンドに対応した設定や制御等が行われる。
【０１７４】
ステップＳ７４にてコマンド解析処理を実行した後には、エラー報知処理を実行する（ステップＳ７５）。ステップＳ７５のエラー報知処理では、例えば磁石を用いて不正に遊技球を入賞口に誘導させるような行為について、主基板１１から送信された磁気異常報知指定コマンドに対応したエラー報知等が行われる。
【０１７５】
ステップＳ７５にてエラー報知処理を実行した後には、演出制御プロセス処理を実行する（ステップＳ７６）。ステップＳ７６の演出制御プロセス処理では、例えば画像表示装置５の表示領域における演出画像の表示動作、スピーカ８Ｌ、８Ｒからの音声出力動作、遊技効果ランプ９及び装飾用ＬＥＤといった装飾発光体における点灯動作、演出用模型における駆動動作といった、各種の演出装置を用いた演出動作の制御内容について、主基板１１から送信された演出制御コマンド等に応じた判定や決定、設定等が行われる。
【０１７６】
ステップＳ７６の演出制御プロセスに続いて、演出用乱数更新処理が実行され（ステップＳ７７）、演出制御に用いる各種の乱数値として、演出制御カウンタ設定部といったＲＡＭ１２２の所定領域に設けられたランダムカウンタによってカウントされる演出用乱数を示す数値データを、ソフトウェアにより更新する。その後、ステップＳ７２の処理に戻る。
【０１７７】
図１６は、コマンド解析処理として、図１５のステップＳ７４にて実行される処理の一例を示すフローチャートである。図１６に示すコマンド解析処理において、演出制御用ＣＰＵ１２０は、まず、演出制御コマンド受信用バッファの記憶内容を確認すること等により、中継基板１５を介して伝送された主基板１１からの受信コマンドがあるか否かを判定する（ステップＳ５０１）。このとき、受信コマンドがなければ（ステップＳ５０１；ＮＯ）、コマンド解析処理を終了する。
【０１７８】
ステップＳ５０１にて受信コマンドがある場合には（ステップＳ５０１；ＹＥＳ）、例えば受信コマンドのＭＯＤＥデータを確認すること等により、その受信コマンドが大当り開始指定コマンドであるか否かを判定する（ステップＳ５０２）。そして、大当り開始指定コマンドであるときには（ステップ５０２；ＹＥＳ）、連チャン回数カウント値を１加算するように更新してから（ステップＳ５０３）、ステップＳ５０１の処理に戻る。連チャン回数カウント値は、ＲＡＭ１２２の所定領域に設けられた連チャン回数カウンタの格納値であり、連チャン回数を示すものであればよい。ここで、連チャンとは、確変状態又は時短状態であるときに可変表示結果が「大当り」となって大当り遊技状態の終了後にも確変状態又は時短状態に制御されることが所定回実行されることをいう。また、連チャン回数とは、確変状態又は時短状態であるときに可変表示結果が「大当り」となって大当り遊技状態の終了後にも確変状態又は時短状態に制御されることが連続して発生した回数をいう。
【０１７９】
ステップＳ５０２にて受信コマンドが大当り開始指定コマンドではない場合には（ステップＳ５０２；ＮＯ）、その受信コマンドは大入賞口入賞指定コマンドであるか否かを判定する（ステップＳ５０４）。そして、大入賞口入賞指定コマンドであるときには（ステップＳ５０４；ＹＥＳ）、賞球数カウント値を１５加算するように更新する（ステップＳ５０５）。賞球数カウント値は、ＲＡＭ１２２の所定領域に設けられた賞球数カウンタの格納値であり、賞球数を示すものであればよい。ここで、賞球数とは、現在の大当り中に賞球として払い出された遊技球の個数をいう。
【０１８０】
ステップＳ５０５の処理を実行した後には、累積賞球数カウント値を１５加算するように更新してから（ステップＳ５０６）、ステップＳ５０１の処理に戻る。累積賞球数カウント値は、ＲＡＭ１２２の所定領域に設けられた累積賞球数カウンタの格納値であり、累積賞球数を示すものであればよい。ここで、累積賞球数とは、連チャン中における大当り中に賞球として払い出された遊技球の個数をいう。
【０１８１】
ステップＳ５０４にて受信コマンドが大入賞口入賞指定コマンドではない場合には（ステップＳ５０４；ＮＯ）、その受信コマンドは大当り終了指定コマンドであるか否かを判定する（ステップＳ５０７）。そして、大当り終了指定コマンドであるときには（ステップＳ５０７；ＹＥＳ）、賞球数カウンタをクリアすることで、そのカウント値を「０」に初期化して（ステップＳ５０８）、ステップＳ５０１の処理に戻る。
【０１８２】
このように、この実施の形態では、上大入賞口に遊技球が進入したときには、上大入賞口スイッチ２３Ａにより入賞球が検出され、下大入賞口に遊技球が進入したときには、下大入賞口スイッチ２３Ｂにより入賞球が検出されて、その検出毎に１５個の遊技球が賞球として払い出されることに対応して、賞球数カウント値が１５加算されると共に、現在の大当り遊技状態が終了することに対応して、そのカウント値が「０」に初期化されることにより、大当り遊技状態に制御される度に、その大当り中に賞球として払い出された遊技球の個数がカウントされる。
【０１８３】
ステップＳ５０７にて受信コマンドが大当り終了指定コマンドではない場合には（ステップＳ５０７；ＮＯ）、その受信コマンドは遊技状態指定コマンドであるか否かを判定する（ステップＳ５０９）。そして、遊技状態指定コマンドであるときには（ステップＳ５０９；ＹＥＳ）、受信した遊技状態指定コマンドに基づいて時短制御が終了するか否かを判定する（ステップＳ５１０）。そして、時短制御が終了するときには（ステップＳ５１０；ＹＥＳ）、累積賞球数カウンタをクリアすることで、そのカウント値を「０」に初期化する（ステップＳ５１１）。
【０１８４】
このように、この実施の形態では、連チャン中において、上大入賞口に遊技球が進入したときには、上大入賞口スイッチ２３Ａにより入賞球が検出され、下大入賞口に遊技球が進入したときには、下大入賞口スイッチ２３Ｂにより入賞球が検出されて、その検出毎に１５個の遊技球が賞球として払い出されることに対応して、累積賞球数カウント値が１５加算されると共に、連チャンが終了することに対応して、そのカウント値が「０」に初期化されることにより、連チャン中における大当り中に賞球として払い出された遊技球の個数がカウントされる。
【０１８５】
ステップＳ５１１の処理を実行した後には、連チャン回数カウンタをクリアすることで、そのカウント値を「０」に初期化して（ステップＳ５１２）、ステップＳ５０１の処理に戻る。
【０１８６】
このように、この実施の形態では、大当り遊技状態に制御される度に、連チャン回数カウント値が１加算されると共に、時短制御が終了することに対応して、そのカウント値が「０」に初期化されることにより、連チャン回数がカウントされる。
【０１８７】
ステップＳ５０９にて受信コマンドが遊技状態指定コマンドではない場合には（ステップＳ５０７；ＮＯ）、その他の受信コマンドに応じた設定を行ってから（ステップＳ５１３）、ステップＳ５０１の処理に戻る。
【０１８８】
図１７は、エラー報知処理として、図１５のステップＳ７５にて実行される処理の一例を示すフローチャートである。このエラー報知処理において、演出制御用ＣＰＵ１２０は、まず、エラー報知の報知期間であるか否かを、例えば、報知制御パターンに基づいて判定する（ステップＳ１４１）。
【０１８９】
ステップＳ１４１にてエラー報知の報知期間でない場合には（ステップＳ１４１；ＮＯ）、磁気異常報知指定コマンドの受信があったか否かを判定する（ステップＳ５０２）。このとき、磁気異常報知指定コマンドの受信がない場合には（ステップＳ１４２；ＮＯ）、エラー報知処理を終了する。
【０１９０】
ステップＳ１４２にて磁気異常報知指定コマンドの受信があった場合（ステップＳ１４２；ＹＥＳ）、最上位のレイヤーでエラー報知を実行するための動作制御を行った後（ステップＳ１４３）、エラー報知処理を終了する。また、ステップＳ１４１にてエラー報知の報知期間である場合にも（ステップＳ１４１；ＹＥＳ）、最上位のレイヤーでエラー報知を実行するための動作制御を行った後（ステップＳ１４３）、エラー報知処理を終了する。例えば、ステップＳ１４３の処理では、エラー報知を実行するために予め用意された報知制御パターン等から読み出した報知制御実行データに応じて、所定の報知態様によるエラー報知を実行するために、各種指令を作成して表示制御部１２３や音声制御基板１３、ランプ制御基板１４等に対して伝送させればよい。これにより、例えば図２５（Ａ）に示すようなエラー報知画像を、最上位のレイヤーに表示させるといった、エラー報知が実行される。
【０１９１】
図２５（Ａ）に示すエラー報知画像は、磁石を用いて不正に遊技球を入賞口に誘導させるような行為を検出したことに対応して、「エラー発生！係員をお呼びください。」というメッセージを報知する文字画像ＭＭ１や、エラーが発生したことを報知するピクトグラムを示すピクトグラム画像ＡＲ１を、含んでいる。ピクトグラム画像ＡＲ１は、エラー報知に対応して予め定められた表示態様で表示されればよい。なお、エラー報知画像の表示時間（エラー報知の報知期間）は、例えば、３０秒であってもよい。エラーの種類に応じて、エラー報知画像の表示時間を異ならせてもよい。
【０１９２】
本実施の形態では、エラー報知画像と、下大入賞口に入賞した遊技球が特定領域を通過したことを報知する第３報知としての確変確定報知演出用の確変確定報知演出画像と、特定期間としての大当り中に賞球として払い出された賞球数を報知する第１報知としての賞球数報知演出用の賞球数報知演出画像と、連チャン回数を報知する第４報知としての連チャン回数報知用の連チャン回数報知画像や大当り中に再生されている楽曲名を報知する第５報知としての大当り中楽曲名報知用の大当り中楽曲名報知画像といったその他の演出用の画像とがそれぞれ異なるレイヤーに配置される。具体的には、図２６（Ａ）に示すように、エラー報知画像と確変確定報知演出画像と賞球数報知演出画像とその他の演出用の画像には、各画像データにおいて、画像を重畳して描画する際に用いるＺ値が設定されるようになっており、演出制御用ＣＰＵ１２０のワークエリアを提供するＲＡＭ１２２には、エラー報知画像と確変確定報知演出画像と賞球数報知演出画像とその他の演出用の画像の画像データのＺ値を設定するＺ値設定テーブルが記憶されている。このＺ値設定テーブルは、各画像データの項目に対応付けて、画像を描画するときに用いるＺ値が登録されている。
【０１９３】
図２６（Ｂ）に示すように、小さいＺ値を有する画像が手前側、大きいＺ値を有する画像が奥側に描画される。つまり、Ｚ値が大きい値である画像上に、Ｚ値が小さい値である画像が重なるように描画され、Ｚ値が小さい値である画像が優先的に表示される。つまりＺ値が小さい値である画像が遊技者にとって手前側にあるように視認できる。
【０１９４】
また、本実施の形態では、図２６（Ａ）に示すように、エラー報知画像のＺ値が「０」に設定され、確変確定報知演出画像のＺ値が「１」に設定され、賞球数報知演出画像のＺ値が「２」に設定され、連チャン回数報知画像や大当り中楽曲名報知画像といったその他の演出用の画像のＺ値が「３」に設定されて登録されている。つまり、後述する大当り中演出処理を実行するときに、演出制御用ＣＰＵ１２０は、連チャン回数報知画像や大当り中楽曲名報知画像よりも賞球数報知演出画像を優先的に表示し、賞球数報知演出画像よりも確変確定報知演出画像を優先的に表示し、確変確定報知演出画像よりもエラー報知画像を優先的に表示する制御を行う。
【０１９５】
なお、Ｚ値に「２」が設定されているのは、賞球数報知演出画像のみならず、特別期間としての連チャン中における大当り中に賞球として払い出された累積賞球数を報知する第２報知としての累積賞球数報知演出用の累積賞球数報知演出画像もＺ値に「２」が設定されている。更に、エラー報知画像や確変確定報知演出画像や賞球数報知演出画像や累積賞球数報知演出画像や連チャン回数報知画像や大当り中楽曲名報知画像のみならず、背景となる背景画像等にもＺ値が設定されており、これら背景画像等には、連チャン回数報知画像や大当り中楽曲名報知画像よりも大きなＺ値が設定されている。
【０１９６】
また、確変確定報知演出画像の優先度を細分化してもよい。例えば、初当りである場合（即ち、初当りに対して確変確定報知演出画像を表示する場合）と、連チャンである場合（即ち、２連チャン目以降に対して確変確定報知演出画像を表示する場合）とで確変確定報知演出画像のＺ値を異ならせてもよい。また、何連チャン目であるかに応じて、確変確定報知演出画像のＺ値を異ならせてもよい。なお、初当りか、連チャンか（更には何連チャン目か）で、確変確定報知演出画像の表示態様（デザイン、文言等）を異ならせてもよい。後出する４つの変形例においても同様である。
【０１９７】
また、賞球数報知演出画像の優先度を細分化してもよい。例えば、賞球数が「２０００個」である場合と、賞球数が「２４００個」である場合とで賞球数報知演出画像のＺ値を異ならせてもよい。なお、賞球数が「２０００個」か「２４００個」かで、賞球数報知演出画像の表示態様（色、文言、デザイン等）を異ならせてもよい。後出する４つの変形例においても同様である。
【０１９８】
また、累積賞球数報知演出画像の優先度を細分化してもよい。例えば、累積賞球数が「５０００個」である場合と、賞球数が「１００００個」である場合とで累積賞球数報知演出画像のＺ値を異ならせてもよい。なお、賞球数が「５０００個」か「１００００個」かで、累積賞球数報知演出画像の表示態様（色、文言、デザイン等）を異ならせてもよい。後出する４つの変形例においても同様である。
【０１９９】
また、連チャン回数報知画像の優先度を細分化してもよい。例えば、何連チャン目の連チャン回数報知画像であるかに応じて、連チャン回数報知画像のＺ値を異ならせてもよい。なお、何連チャン目かに応じて、連チャン回数報知画像の表示態様（色、文言、デザイン等）を異ならせてもよい。後出する４つの変形例においても同様である。
【０２００】
また、大当り中楽曲名報知画像の優先度を細分化してもよい。例えば、楽曲（当該楽曲の種類、当該楽曲の本日の再生回数等）に応じて、大当り中楽曲名報知画像のＺ値を異ならせてもよい。なお、楽曲に応じて、大当り中楽曲名報知画像の表示態様（色、文言、デザイン等）を異ならせてもよい。後出する４つの変形例においても同様である。
【０２０１】
図１８は、演出制御プロセス処理の一例を示すフローチャートである。図１８に示す演出制御プロセス処理において、演出制御用ＣＰＵ１２０は、ＲＡＭ１２２の所定領域に設けられた演出プロセスフラグの値に応じて、以下のようなステップＳ１７０〜Ｓ１７６の処理のいずれかを選択して実行する。
【０２０２】
ステップＳ１７０の可変表示開始待ち処理は、演出プロセスフラグの値が“０”のときに実行される処理である。この可変表示開始待ち処理は、主基板１１から伝送される第１変動開始コマンドあるいは第２変動開始コマンド等を受信したか否かに基づき、画像表示装置５の画面上における飾り図柄の可変表示を開始するか否かを判定する処理等を含んでいる。第１変動開始コマンドは、第１特別図柄表示装置４Ａによる第１特図を用いた特図ゲームが開始されることを通知する演出制御コマンドである。第２変動開始コマンドは、第２特別図柄表示装置４Ｂによる第２特図を用いた特図ゲームが開始されることを通知する演出制御コマンドである。このような第１変動開始コマンド又は第２変動開始コマンドのいずれかを受信したときには、演出プロセスフラグの値が“１”に更新される。
【０２０３】
ステップＳ１７１の可変表示開始設定処理は、演出プロセスフラグの値が“１”のときに実行される処理である。この可変表示開始設定処理は、第１特別図柄表示装置４Ａや第２特別図柄表示装置４Ｂによる特図ゲームにおいて特別図柄の可変表示が開始されることに対応して、画像表示装置５の画面上における飾り図柄の可変表示や、その他の各種演出動作を行うために、特別図柄の変動パターンや表示結果の種類等に応じた確定飾り図柄や各種の演出制御パターンを決定する処理等を含んでいる。可変表示開始設定処理が実行されたときには、演出プロセスフラグの値が“２”に更新される。
【０２０４】
ステップＳ１７２の可変表示中演出処理は、演出プロセスフラグの値が“２”のときに実行される処理である。この可変表示中演出処理において、演出制御用ＣＰＵ１２０は、ＲＡＭ１２２の所定領域に設けられた演出制御プロセスタイマにおけるタイマ値に対応して、演出制御パターンから各種の制御データを読み出し、飾り図柄の可変表示中における各種の演出制御を行うための処理が含まれている。また、可変表示中演出処理には、主基板１１から伝送される図柄確定コマンドを受信したこと等に対応して、飾り図柄の可変表示結果となる最終停止図柄としての確定飾り図柄を完全停止表示させる処理が含まれている。なお、所定の演出制御パターンから終了コードが読み出されたことに対応して、確定飾り図柄を完全停止表示させるようにしてもよい。この場合には、変動パターン指定コマンドにより指定された変動パターンに対応する可変表示時間が経過したときに、主基板１１からの演出制御コマンドによらなくても、演出制御基板１２の側で自律的に確定飾り図柄を導出表示して可変表示結果を確定させることができる。こうした演出制御等を行った後に、演出プロセスフラグの値が“３”に更新される。
【０２０５】
ステップＳ１７３の可変表示停止処理は、演出プロセスフラグの値が“３”のときに実行される処理である。可変表示停止処理は、可変表示結果通知コマンドにより通知された可変表示結果や、主基板１１から伝送された大当り開始指定コマンドを受信したか否かの判定結果に基づいて、大当り遊技状態が開始されるか否かを判定する処理を含んでいる。そして、可変表示結果が「大当り」に対応して大当り遊技状態が開始される場合には、演出プロセスフラグの値が“４”に更新される一方で、特図表示結果が「ハズレ」に対応して大当り遊技状態が開始されない場合には、演出プロセスフラグがクリアされて、その値が“０”に初期化される。
【０２０６】
ステップＳ１７４の大当り表示処理は、演出プロセスフラグの値が“４”のときに実行される処理である。この大当り表示処理は、主基板１１から伝送された大当り開始指定コマンドを受信したこと等に基づいて、大当り遊技状態の開始を報知する大当り報知演出を実行するための処理を含んでいる。そして、大当り報知演出の実行が終了するときには、演出プロセスフラグの値が“５”に更新される。
【０２０７】
ステップＳ１７５の大当り中演出処理は、演出プロセスフラグの値が“５”のときに実行される処理である。この大当り中演出処理において、演出制御用ＣＰＵ１２０は、大当り遊技状態における演出内容に対応した演出制御パターン等を設定し、その設定内容に基づく演出画像を画像表示装置５の画面上に表示させることや、音声制御基板１３に対する指令の出力によりスピーカ８Ｌ、８Ｒから音声や効果音を出力させること、ランプ制御基板１４に対する指令の出力により遊技効果ランプ９や装飾用ＬＥＤを点灯／消灯／点滅させることといった、大当り遊技状態における各種の演出制御を実行する。また、大当り中演出処理では、例えば主基板１１から伝送される大当り終了指定コマンドを受信したこと等に対応して、演出プロセスフラグの値が“６”に更新される。
【０２０８】
ステップＳ１７６の大当り終了演出処理は、演出プロセスフラグの値が“６”のときに実行される処理である。この大当り終了演出処理において、演出制御用ＣＰＵ１２０は、例えば大当り遊技状態の終了等に対応した演出制御パターンを設定し、その設定内容に基づく演出画像を画像表示装置５の画面上に表示させることや、音声制御基板１３に対する指令の出力によりスピーカ８Ｌ、８Ｒから音声や効果音を出力させること、ランプ制御基板１４に対する指令の出力により遊技効果ランプ９や装飾用ＬＥＤを点灯／消灯／点滅させることといった、大当り遊技状態の終了時における各種の演出制御を実行する。その後、演出プロセスフラグをクリアして、その値を“０”に初期化する。
【０２０９】
図１９（Ａ）は、図１８のステップＳ１７５にて実行される大当り中演出処理の一例を示すフローチャートである。図１９（Ａ）に示す大当り中演出処理において、演出制御用ＣＰＵ１２０は、まず、大当り終了指定コマンドの受信があったか否かを判定する（ステップＳ１８１）。このとき、大当り終了指定コマンドの受信がない場合には（ステップＳ１８１；ＮＯ）、大当り遊技状態におけるラウンド遊技の実行回数が「１」〜「４」となる第１ラウンド〜第４ラウンドの実行中であるか否かを判定する（ステップＳ１８２）。
【０２１０】
ステップＳ１８２にて第１ラウンド〜第４ラウンドの実行中であると判定された場合には（ステップＳ１８２；ＹＥＳ）、大当り中昇格演出となる演出動作の制御を行う（ステップＳ１８３）。このように、この実施の形態では、大当り遊技状態における第１ラウンド〜第４ラウンドの実行中にて、確変状態に制御するか否かの報知演出となる第６報知としての大当り中昇格演出が実行される。
【０２１１】
大当り中昇格演出には、確定飾り図柄が非確変大当り組み合わせであるにもかかわらず遊技状態が確変状態となる昇格がある旨を報知する大当り中昇格成功演出と、確変状態となる昇格がない旨を報知する大当り中昇格失敗演出とがある。例えば、大当り中昇格演出では、画像表示装置５の表示領域にて飾り図柄を可変表示させて非確変図柄と確変図柄のいずれかを演出表示結果として停止表示させること、あるいは飾り図柄の可変表示とは異なる演出画像の表示を行うこと等により、確変状態となる昇格の有無を、遊技者が認識できるように報知すればよい。
【０２１２】
ステップＳ１８２にて第１ラウンド〜第４ラウンドの実行中ではないと判定された場合や（ステップＳ１８２；ＮＯ）、ステップＳ１８３の処理を実行した後には、下大入賞口に入賞した遊技球が特定領域を通過したことを報知するための確変確定報知演出を実行するための演出動作制御を行う（ステップＳ１８４）。
【０２１３】
図２０は、確変確定報知演出動作制御処理として、図１９（Ａ）のステップＳ１８４にて実行される処理の一例を示すフローチャートである。この確変確定報知演出動作制御処理において、演出制御用ＣＰＵ１２０は、まず、確変確定報知演出期間であるか否かを、例えば、演出制御パターンに基づいて判定する（ステップＳ１６１）。
【０２１４】
ステップＳ１６１にて確変確定報知演出期間でない場合には（ステップＳ１６１；ＮＯ）、確変確定通知コマンドの受信があったか否かを判定する（ステップＳ１６２）。このとき、確変確定通知コマンドの受信がない場合には（ステップＳ１６２；ＮＯ）、確変確定報知演出動作制御処理を終了する。
【０２１５】
ステップＳ１６２にて確変確定通知コマンドの受信があった場合や（ステップＳ１６２；ＹＥＳ）、ステップＳ１６１にて確変確定報知演出期間である場合には（ステップＳ１６１；ＹＥＳ）、エラー報知の実行中であるか否かを判定する（ステップＳ１６３）。このとき、エラー報知の実行中ではない場合には（ステップＳ１６３；ＮＯ）、最上位のレイヤーで確変確定報知演出を実行するための動作制御を行った後（ステップＳ１６４）、確変確定報知演出動作制御処理を終了する。例えば、ステップＳ１６４の処理では、確変確定報知演出を実行するために予め用意された演出制御パターン等から読み出した演出制御実行データに応じて、所定の演出態様による確変確定報知演出を実行するために、各種指令を作成して表示制御部１２３や音声制御基板１３、ランプ制御基板１４等に対して伝送させればよい。これにより、例えば図２５（Ｂ）に示すような確変確定報知演出画像を、最上位のレイヤーに表示させるといった、確変確定報知演出が実行される。
【０２１６】
図２５（Ｂ）に示す確変確定報知演出画像は、下大入賞口に入賞した遊技球が特定領域を通過したことに対応して、「確変！」というメッセージを報知する文字画像ＭＭ２を、含んでいる。なお、確変確定報知演出画像の表示時間（確変確定報知演出の実行期間）は、例えば、２０秒であってもよい。
【０２１７】
ステップＳ１６３にてエラー報知の実行中である場合には（ステップＳ１６３；ＹＥＳ）、エラー報知が実行されているレイヤーよりも下位のレイヤーで確変確定報知演出を実行するための動作制御を行った後（ステップＳ１６５）、確変確定報知演出動作制御処理を終了する。例えば、ステップＳ１６５の処理では、ステップＳ１６４の処理と同様に、各種指令を作成して表示制御部１２３や音声制御基板１３、ランプ制御基板１４等に対して伝送させればよい。また、本実施の形態では、上述したように、エラー報知画像のＺ値が「０」に設定され、確変確定報知演出画像のＺ値が「１」に設定されて登録されている。これにより、演出制御用ＣＰＵ１２０は、確変確定報知演出画像をエラー報知画像が表示されているレイヤーよりも下位のレイヤーに表示させるといった、確変確定報知演出よりもエラー報知を優先的に実行する制御を行う。
【０２１８】
図１９（Ａ）のステップＳ１８４にて、このような確変確定報知演出動作制御処理を実行した後には、大当り中に賞球として払い出された賞球数を報知する賞球数報知演出を実行するための演出動作制御を行う（ステップＳ１８５）。
【０２１９】
図２１は、賞球数報知演出動作制御処理として、図１９（Ａ）のステップＳ１８５にて実行される処理の一例を示すフローチャートである。この賞球数報知演出動作制御処理において、演出制御用ＣＰＵ１２０は、まず、賞球数報知演出期間であるか否かを、例えば、演出制御パターンに基づいて判定する（ステップＳ２１１）。
【０２２０】
ステップＳ２１１にて賞球数報知演出期間でない場合には（ステップＳ２１１；ＮＯ）、大当り中に賞球として払い出された賞球数が「２０００個」に到達したことを報知する賞球数報知演出を実行済みか否かを判定する（ステップＳ２１２）。ステップＳ２１２の処理では、例えば大当り中に賞球として払い出された賞球数が「２０００個」に到達したことを報知したときにオン状態にセットされる２０００個到達フラグを設けておき、その２０００個到達フラグがオン状態であるか否かに基づいて判定すればよい。
【０２２１】
ステップＳ２１２にて大当り中に賞球として払い出された賞球数が「２０００個」に到達したことを報知する賞球数報知演出を実行済みではない場合には（ステップＳ２１３；ＮＯ）、ＲＡＭ１２２の所定領域に記憶されている賞球数カウント値を読み出し、その読出値が「２０００」以上であるか否かを判定する（ステップＳ２１３）。このとき、賞球数カウント値が「２０００」以上ではない場合には（ステップＳ２１３；ＮＯ）、賞球数報知演出動作制御処理を終了する。
【０２２２】
ステップＳ２１２にて大当り中に賞球として払い出された賞球数が「２０００個」に到達したことを報知する賞球数報知演出を実行済みである場合には（ステップＳ２１２；ＹＥＳ）、大当り中に賞球として払い出された賞球数が「２４００個」に到達したことを報知する賞球数報知演出を実行済みか否かを判定する（ステップＳ２１４）。ステップＳ２１４の処理では、例えば大当り中に賞球として払い出された賞球数が「２４００個」に到達したことを報知したときにオン状態にセットされる２４００個到達フラグを設けておき、その２４００個到達フラグがオン状態であるか否かに基づいて判定すればよい。
【０２２３】
ステップＳ２１４にて大当り中に賞球として払い出された賞球数が「２４００個」に到達したことを報知する賞球数報知演出を実行済みである場合には（ステップＳ２１４；ＹＥＳ）、賞球数報知演出動作制御処理を終了する。
【０２２４】
ステップＳ２１４にて大当り中に賞球として払い出された賞球数が「２４００個」に到達したことを報知する賞球数報知演出を実行済みではない場合には（ステップＳ２１４；ＮＯ）、ＲＡＭ１２２の所定領域に記憶されている賞球数カウント値を読み出し、その読出値が「２４００」以上であるか否かを判定する（ステップＳ２１５）。このとき、賞球数カウント値が「２４００」以上ではない場合には（ステップＳ２１５；ＮＯ）、賞球数報知演出動作制御処理を終了する。
【０２２５】
ステップＳ２１３にて賞球数カウント値が「２０００」以上である場合や（ステップＳ２１３；ＹＥＳ）、ステップＳ２１５にて賞球数カウント値が「２４００」以上である場合や（ステップＳ２１５；ＹＥＳ）、ステップＳ２１１にて賞球数報知演出期間である場合には（ステップＳ２１１；ＹＥＳ）、確変確定報知演出の実行中であるか否かを判定する（ステップＳ２１６）。
【０２２６】
ステップＳ２１６にて確変確定報知演出の実行中ではない場合には（ステップＳ２１６；ＮＯ）、エラー報知の実行中であるか否かを判定する（ステップＳ２１７）。このとき、エラー報知の実行中ではない場合には（ステップＳ２１７；ＮＯ）、最上位のレイヤーで賞球数報知演出を実行するための動作制御を行った後（ステップＳ２１８）、賞球数報知演出動作制御処理を終了する。例えば、ステップＳ２１８の処理では、大当り中に賞球として払い出された賞球数が「２０００個」に到達したことを報知する賞球数報知演出、あるいは「２４００個」に到達したことを報知する賞球数報知演出を実行するために予め用意された演出制御パターン等から読み出した演出制御実行データに応じて、所定の演出態様による賞球数報知演出を実行するために、各種指令を作成して表示制御部１２３や音声制御基板１３、ランプ制御基板１４等に対して伝送させればよい。これにより、例えば図２５（Ｃ）に示すような賞球数報知演出画像を、最上位のレイヤーに表示させるといった、賞球数報知演出が実行される。
【０２２７】
図２５（Ｃ）に示す賞球数報知演出画像は、大当り中に賞球として払い出された賞球数が「２０００個」に到達したことに対応して、「２０００ＧＥＴ」というメッセージを報知する文字画像ＭＭ３や、その「２０００ＧＥＴ」というメッセージを台詞として発している態様のキャラクタ画像ＣＡ１を、含んでいる。なお、賞球数報知演出画像の表示時間（累積賞球数報知演出の実行期間）は、例えば、１０秒であってもよい。
【０２２８】
ステップＳ２１７にてエラー報知の実行中である場合には（ステップＳ２１７；ＹＥＳ）、エラー報知が実行されているレイヤーよりも下位のレイヤーで賞球数報知演出を実行するための動作制御を行った後（ステップＳ２１９）、賞球数報知演出動作制御処理を終了する。ステップＳ２１９の処理では、ステップＳ２１８の処理と同様に、各種指令を作成して表示制御部１２３や音声制御基板１３、ランプ制御基板１４等に対して伝送させればよい。また、本実施の形態では、上述したように、エラー報知画像のＺ値が「０」に設定され、賞球数報知演出画像のＺ値が「２」に設定されて登録されている。これにより、演出制御用ＣＰＵ１２０は、賞球数報知演出画像をエラー報知画像が表示されているレイヤーよりも下位のレイヤーに表示させるといった、賞球数報知演出よりもエラー報知を優先的に実行する制御を行う。
【０２２９】
ステップＳ２１６にて確変確定報知演出の実行中である場合には（ステップＳ２１６；ＹＥＳ）、確変確定報知演出が実行されているレイヤーよりも下位のレイヤーで賞球数報知演出を実行するための動作制御を行った後（ステップＳ２２０）、賞球数報知演出動作制御処理を終了する。ステップＳ２２０の処理では、ステップＳ２１８、Ｓ２１９の処理と同様に、各種指令を作成して表示制御部１２３や音声制御基板１３、ランプ制御基板１４等に対して伝送させればよい。また、本実施の形態では、上述したように、確変確定報知演出画像のＺ値が「１」に設定され、賞球数報知演出画像のＺ値が「２」に設定されて登録されている。これにより、演出制御用ＣＰＵ１２０は、賞球数報知演出画像を確変確定報知演出画像が表示されているレイヤーよりも下位のレイヤーに表示させるといった、賞球数報知演出よりも確変確定報知演出を優先的に実行する制御を行う。
【０２３０】
なお、図２１では、ステップＳ２２０の処理を行った場合には賞球数報知演出動作制御処理を終了しているが、ステップＳ２２０の処理に続いてステップＳ２１７の処理を実行してもよい。即ち、賞球数報知演出動作制御処理（ステップＳ１８５）の１回の実行において、纏めて複数のレイヤーにおける動作制御を行うようにしてもよい。他の同様の動作制御処理（例えば、図２２の累積賞球数報知演出動作制御処理（ステップＳ１８６）等）においても同様である。
【０２３１】
図１９（Ａ）のステップＳ１８５にて、このような賞球数報知演出動作制御処理を実行した後には、連チャン中における大当り中に賞球として払い出された累積賞球数を報知する累積賞球数報知演出を実行するための演出動作制御を行う（ステップＳ１８６）。
【０２３２】
図２２は、累積賞球数報知演出動作制御処理として、図１９（Ａ）のステップＳ１８６にて実行される処理の一例を示すフローチャートである。この累積賞球数報知演出動作制御処理において、演出制御用ＣＰＵ１２０は、まず、大当り中昇格演出が終了したか否かを判定する（ステップＳ３９１）。ステップＳ３９１の処理では、例えば大当り中昇格演出の実行中にオン状態となる大当り中昇格演出フラグを設けておき、その大当り中昇格演出フラグがオン状態であるか否かに基づいて判定すればよい。
【０２３３】
ステップＳ３９１にて大当り中昇格演出が終了していなければ（ステップＳ３９１；ＮＯ）、累積賞球数報知演出動作制御処理を終了する。このように、この実施の形態では、大当り中昇格演出が終了するまでは、累積賞球数報知演出は実行されない。これは、この実施の形態では第１ラウンド〜第４ラウンドにて実行される大当り中昇格演出が、遊技状態が確変状態となる昇格があるか否かという、遊技者が注視すべき重要な演出であるところ、その大当り中昇格演出が終了するまでの間に、連チャンが継続することを前提として演出効果が向上する累積賞球数報知演出が実行されることにより、連チャンが継続するか否かを報知することにもなる大当り中昇格演出への注目度を低下させないようにするためである。
【０２３４】
ステップＳ３９１にて大当り中昇格演出が終了している場合には（ステップＳ３９１；ＹＥＳ）、累積賞球数報知演出期間であるか否かを、例えば、演出制御パターンに基づいて判定する（ステップＳ３９２）。
【０２３５】
ステップＳ３９２にて累積賞球数報知演出期間でない場合には（ステップＳ３９２；ＮＯ）、連チャン中における大当り中に賞球として払い出された累積賞球数が「５０００個」に到達したことを報知する累積賞球数報知演出を実行済みか否かを判定する（ステップＳ３９３）。ステップＳ３９３の処理では、例えば連チャン中における大当り中に賞球として払い出された累積賞球数が「５０００個」に到達したことを報知したときにオン状態にセットされる５０００個到達フラグを設けておき、その５０００個到達フラグがオン状態であるか否かに基づいて判定すればよい。
【０２３６】
ステップＳ３９３にて連チャン中における大当り中に賞球として払い出された累積賞球数が「５０００個」に到達したことを報知する累積賞球数報知演出を実行済みではない場合には（ステップＳ３９３；ＮＯ）、ＲＡＭ１２２の所定領域に記憶されている累積賞球数カウント値を読み出し、その読出値が「５０００」以上であるか否かを判定する（ステップＳ３９４）。このとき、累積賞球数カウント値が「５０００」以上ではない場合には（ステップＳ３９４；ＮＯ）、累積賞球数報知演出動作制御処理を終了する。
【０２３７】
ステップＳ３９３にて連チャン中における大当り中に賞球として払い出された累積賞球数が「５０００個」に到達したことを報知する累積賞球数報知演出を実行済みである場合には（ステップＳ３９３；ＹＥＳ）、連チャン中における大当り中に賞球として払い出された累積賞球数が「１００００個」に到達したことを報知する累積賞球数報知演出を実行済みか否かを判定する（ステップＳ３９５）。ステップＳ３９５の処理では、例えば連チャン中における大当り中に賞球として払い出された累積賞球数が「１００００個」に到達したことを報知したときにオン状態にセットされる１００００個到達フラグを設けておき、その１００００個到達フラグがオン状態であるか否かに基づいて判定すればよい。
【０２３８】
ステップＳ３９５にて連チャン中における大当り中に賞球として払い出された累積賞球数が「１００００個」に到達したことを報知する累積賞球数報知演出を実行済みである場合には（ステップＳ３９５；ＹＥＳ）、累積賞球数報知演出動作制御処理を終了する。
【０２３９】
ステップＳ３９５にて連チャン中における大当り中に賞球として払い出された累積賞球数が「１００００個」に到達したことを報知する累積賞球数報知演出を実行済みではない場合には（ステップＳ３９５；ＮＯ）、ＲＡＭ１２２の所定領域に記憶されている累積賞球数カウント値を読み出し、その読出値が「１００００」以上であるか否かを判定する（ステップＳ３９６）。このとき、累積賞球数カウント値が「１００００」以上ではない場合には（ステップＳ３９６；ＮＯ）、累積賞球数報知演出動作制御処理を終了する。
【０２４０】
ステップＳ３９４にて累積賞球数カウント値が「５０００」以上である場合や（ステップＳ３９４；ＹＥＳ）、ステップＳ３９６にて累積賞球数カウント値が「１００００」以上である場合や（ステップＳ３９６；ＹＥＳ）、ステップＳ３９２にて累積賞球数報知演出期間である場合には（ステップＳ３９２；ＹＥＳ）、賞球数報知演出の実行中であるか否かを判定する（ステップＳ３９７）。
【０２４１】
ステップＳ３９７にて賞球数報知演出の実行中である場合には（ステップＳ３９７；ＹＥＳ）、累積賞球数報知演出動作制御処理を終了する。このように、この実施の形態では、賞球数報知演出が実行中である場合には、累積賞球数報知演出は実行されない。これは、賞球数報知演出と累積賞球数報知演出とが互いに類似する演出であり、同時に実行されることにより、いずれの演出への注目度も低下させてしまう虞があるからである。そこで、この実施の形態では、累積賞球数報知演出よりも賞球数報知演出を優先的に実行するようにしている。
【０２４２】
ステップＳ３９７にて賞球数報知演出の実行中ではない場合には（ステップＳ３９７；ＮＯ）、確変確定報知演出の実行中であるか否かを判定する（ステップＳ３９８）。このとき、確変確定報知演出の実行中ではない場合には（ステップＳ３９８；ＮＯ）、エラー報知の実行中であるか否かを判定する（ステップＳ３９９）。
【０２４３】
ステップＳ３９９にてエラー報知の実行中ではない場合には（ステップＳ３９９；ＮＯ）、最上位のレイヤーで累積賞球数報知演出を実行するための動作制御を行った後（ステップＳ４００）、累積賞球数報知演出動作制御処理を終了する。例えば、ステップＳ４００の処理では、連チャン中における大当り中に賞球として払い出された累積賞球数が「５０００個」に到達したことを報知する累積賞球数報知演出、あるいは「１００００個」に到達したことを報知する累積賞球数報知演出を実行するために予め用意された演出制御パターン等から読み出した演出制御実行データに応じて、所定の演出態様による累積賞球数報知演出を実行するために、各種指令を作成して表示制御部１２３や音声制御基板１３、ランプ制御基板１４等に対して伝送させればよい。これにより、例えば図２５（Ｄ）に示すような累積賞球数報知演出画像を、最上位のレイヤーに表示させるといった、累積賞球数報知演出が実行される。
【０２４４】
図２５（Ｄ）に示す累積賞球数報知演出画像は、連チャン中における大当り中に賞球として払い出された累積賞球数が「５０００個」に到達したことに対応して、「５０００ＯＶＥＲ！」というメッセージを報知する文字画像ＭＭ４や、その「５０００ＯＶＥＲ！」というメッセージを台詞として発している態様のキャラクタ画像ＣＡ２を、含んでいる。なお、累積賞球数報知演出画像の表示時間（累積賞球数報知演出の実行期間）は、例えば、１０秒であってもよい。
【０２４５】
ステップＳ３９９にてエラー報知の実行中である場合には（ステップＳ３９９；ＹＥＳ）、エラー報知が実行されているレイヤーよりも下位のレイヤーで累積賞球数報知演出を実行するための動作制御を行った後（ステップＳ４０１）、累積賞球数報知演出動作制御処理を終了する。ステップＳ４０１の処理では、ステップＳ４００の処理と同様に、各種指令を作成して表示制御部１２３や音声制御基板１３、ランプ制御基板１４等に対して伝送させればよい。また、本実施の形態では、上述したように、エラー報知画像のＺ値が「０」に設定され、累積賞球数報知演出画像のＺ値が「２」に設定されて登録されている。これにより、演出制御用ＣＰＵ１２０は、累積賞球数報知演出画像をエラー報知画像が表示されているレイヤーよりも下位のレイヤーに表示させるといった、累積賞球数報知演出よりもエラー報知を優先的に実行する制御を行う。
【０２４６】
ステップＳ３９８にて確変確定報知演出の実行中である場合には（ステップＳ３９８；ＹＥＳ）、確変確定報知演出が実行されているレイヤーよりも下位のレイヤーで累積賞球数報知演出を実行するための動作制御を行った後（ステップＳ４０２）、累積賞球数報知演出動作制御処理を終了する。ステップＳ４０２の処理では、ステップＳ４００、Ｓ４０１の処理と同様に、各種指令を作成して表示制御部１２３や音声制御基板１３、ランプ制御基板１４等に対して伝送させればよい。また、本実施の形態では、上述したように、確変確定報知演出画像のＺ値が「１」に設定され、累積賞球数報知演出画像のＺ値が「２」に設定されて登録されている。これにより、演出制御用ＣＰＵ１２０は、累積賞球数報知演出画像を確変確定報知演出画像が表示されているレイヤーよりも下位のレイヤーに表示させるといった、累積賞球数報知演出よりも確変確定報知演出を優先的に実行する制御を行う。
【０２４７】
図１９（Ａ）のステップＳ１８６にて、このような累積賞球数報知演出動作制御処理を実行した後には、連チャン回数を報知する連チャン回数報知を実行するための動作制御を行う（ステップＳ１８７）。
【０２４８】
図２３は、連チャン回数報知動作制御処理として、図１９（Ａ）のステップＳ１８７にて実行される処理の一例を示すフローチャートである。この連チャン回数報知動作制御処理において、演出制御用ＣＰＵ１２０は、まず、累積賞球数報知演出の実行中であるか否かを判定する（ステップＳ４６１）。このとき、累積賞球数報知演出の実行中ではない場合には（ステップＳ４６１；ＮＯ）、賞球数報知演出の実行中であるか否かを判定する（ステップＳ４６２）。
【０２４９】
ステップＳ４６２にて賞球数報知演出の実行中ではない場合には（ステップＳ４６２；ＮＯ）、確変確定報知演出の実行中であるか否かを判定する（ステップＳ４６３）。このとき、確変確定報知演出の実行中ではない場合には（ステップＳ４６３；ＮＯ）、エラー報知の実行中であるか否かを判定する（ステップＳ４６４）。
【０２５０】
ステップＳ４６４にてエラー報知の実行中ではない場合には（ステップＳ４６４；ＮＯ）、最上位のレイヤーで連チャン回数報知を実行するための動作制御を行った後（ステップＳ４６５）、連チャン回数報知動作制御処理を終了する。例えば、ステップＳ４６５の処理では、連チャン回数を報知する連チャン回数報知を実行するために予め用意された報知制御パターン等から読み出した報知制御実行データに応じて、所定の報知態様による連チャン回数報知を実行するために、各種指令を作成して表示制御部１２３や音声制御基板１３、ランプ制御基板１４等に対して伝送させればよい。これにより、例えば図２５（Ｅ）に示すような連チャン回数報知画像を、最上位のレイヤーに表示させるといった、連チャン回数報知が実行される。
【０２５１】
図２５（Ｅ）に示す連チャン回数報知は、連チャン回数に対応して、「大当り×Ｎ（Ｎは連チャン回数）」というメッセージを報知する文字画像ＭＭ５を、含んでいる。なお、連チャン回数の報知（表示）時間は、例えば、５秒であってもよい。
【０２５２】
ステップＳ４６４にてエラー報知の実行中である場合には（ステップＳ４６４；ＹＥＳ）、エラー報知が実行されているレイヤーよりも下位のレイヤーで連チャン回数報知を実行するための動作制御を行った後（ステップＳ４６６）、連チャン回数報知動作制御処理を終了する。ステップＳ４６６の処理では、ステップＳ４６５の処理と同様に、各種指令を作成して表示制御部１２３や音声制御基板１３、ランプ制御基板１４等に対して伝送させればよい。また、本実施の形態では、上述したように、エラー報知画像のＺ値が「０」に設定され、連チャン回数報知画像のＺ値が「３」に設定されて登録されている。これにより、演出制御用ＣＰＵ１２０は、連チャン回数報知画像をエラー報知画像が表示されているレイヤーよりも下位のレイヤーに表示させるといった、連チャン回数報知よりもエラー報知を優先的に実行する制御を行う。
【０２５３】
ステップＳ４６３にて確変確定報知演出の実行中である場合には（ステップＳ４６３；ＹＥＳ）、確変確定報知演出が実行されているレイヤーよりも下位のレイヤーで連チャン回数報知を実行するための動作制御を行った後（ステップＳ４６７）、連チャン回数報知動作制御処理を終了する。ステップＳ４６７の処理では、ステップＳ４６５、Ｓ４６６の処理と同様に、各種指令を作成して表示制御部１２３や音声制御基板１３、ランプ制御基板１４等に対して伝送させればよい。また、本実施の形態では、上述したように、確変確定報知演出画像のＺ値が「１」に設定され、連チャン回数報知画像のＺ値が「３」に設定されて登録されている。これにより、演出制御用ＣＰＵ１２０は、連チャン回数報知画像を確変確定報知演出画像が表示されているレイヤーよりも下位のレイヤーに表示させるといった、連チャン回数報知よりも確変確定報知演出を優先的に実行する制御を行う。
【０２５４】
ステップＳ４６２にて賞球数報知演出の実行中である場合には（ステップＳ４６２；ＹＥＳ）、賞球数報知演出が実行されているレイヤーよりも下位のレイヤーで連チャン回数報知を実行するための動作制御を行った後（ステップＳ４６８）、連チャン回数報知動作制御処理を終了する。ステップＳ４６８の処理では、ステップＳ４６５、Ｓ４６６、Ｓ４６７の処理と同様に、各種指令を作成して表示制御部１２３や音声制御基板１３、ランプ制御基板１４等に対して伝送させればよい。また、本実施の形態では、上述したように、賞球数報知演出画像のＺ値が「２」に設定され、連チャン回数報知画像のＺ値が「３」に設定されて登録されている。これにより、演出制御用ＣＰＵ１２０は、連チャン回数報知画像を賞球数報知演出画像が表示されているレイヤーよりも下位のレイヤーに表示させるといった、連チャン回数報知よりも賞球数報知演出を優先的に実行する制御を行う。
【０２５５】
ステップＳ４６１にて累積賞球数報知演出の実行中である場合には（ステップＳ４６１；ＹＥＳ）、累積賞球数報知演出が実行されているレイヤーよりも下位のレイヤーで連チャン回数報知を実行するための動作制御を行った後（ステップＳ４６９）、連チャン回数報知動作制御処理を終了する。ステップＳ４６９の処理では、ステップＳ４６５、Ｓ４６６、Ｓ４６７、Ｓ４６８の処理と同様に、各種指令を作成して表示制御部１２３や音声制御基板１３、ランプ制御基板１４等に対して伝送させればよい。また、本実施の形態では、上述したように、累積賞球数報知演出画像のＺ値が「２」に設定され、連チャン回数報知画像のＺ値が「３」に設定されて登録されている。これにより、演出制御用ＣＰＵ１２０は、連チャン回数報知画像を累積賞球数報知演出画像が表示されているレイヤーよりも下位のレイヤーに表示させるといった、連チャン回数報知よりも累積賞球数報知演出を優先的に実行する制御を行う。
【０２５６】
図１９（Ａ）のステップＳ１８７にて、このような連チャン回数報知動作制御処理を実行した後には、大当り中に再生されている楽曲名を報知する大当り中楽曲名報知を実行するための動作制御を行い（ステップＳ１８８）、大当り中演出処理を終了する。
【０２５７】
図２４は、大当り中楽曲名報知動作制御処理として、図１９（Ａ）のステップＳ１８８にて実行される処理の一例を示すフローチャートである。この大当り中楽曲名報知動作制御処理において、演出制御用ＣＰＵ１２０は、まず、累積賞球数報知演出の実行中であるか否かを判定する（ステップＳ４７１）。このとき、累積賞球数報知演出の実行中ではない場合には（ステップＳ４７１；ＮＯ）、賞球数報知演出の実行中であるか否かを判定する（ステップＳ４７２）。
【０２５８】
ステップＳ４７２にて賞球数報知演出の実行中ではない場合には（ステップＳ４７２；ＮＯ）、確変確定報知演出の実行中であるか否かを判定する（ステップＳ４７３）。このとき、確変確定報知演出の実行中ではない場合には（ステップＳ４７３；ＮＯ）、エラー報知の実行中であるか否かを判定する（ステップＳ４７４）。
【０２５９】
ステップＳ４７４にてエラー報知の実行中ではない場合には（ステップＳ４７４；ＮＯ）、最上位のレイヤーで大当り中楽曲名報知を実行するための動作制御を行った後（ステップＳ４７５）、大当り中楽曲名報知動作制御処理を終了する。例えば、ステップＳ４７５の処理では、大当り中に再生されている楽曲名を報知する大当り中楽曲名報知を実行するために予め用意された報知制御パターン等から読み出した報知制御実行データに応じて、所定の報知態様による大当り中楽曲名報知を実行するために、各種指令を作成して表示制御部１２３や音声制御基板１３、ランプ制御基板１４等に対して伝送させればよい。これにより、例えば図２５（Ｆ）に示すような大当り中楽曲名報知画像を、最上位のレイヤーに表示させるといった、大当り中楽曲名報知が実行される。
【０２６０】
図２５（Ｆ）に示す大当り中楽曲名報知は、大当り中に再生されている楽曲名に対応して、「ＭＵＳＩＣ：ｘｘｘｘｘｘｘ（ｘｘｘｘｘｘｘは楽曲名）」というメッセージを報知する文字画像ＭＭ６を、含んでいる。なお、楽曲名の報知（表示）時間（大当り中楽曲名報知の実行時間）は、例えば、３０秒であってもよい。
【０２６１】
ステップＳ４７４にてエラー報知の実行中である場合には（ステップＳ４７４；ＹＥＳ）、エラー報知が実行されているレイヤーよりも下位のレイヤーで大当り中楽曲名報知を実行するための動作制御を行った後（ステップＳ４７６）、大当り中楽曲名報知動作制御処理を終了する。ステップＳ４７６の処理では、ステップＳ４７５の処理と同様に、各種指令を作成して表示制御部１２３や音声制御基板１３、ランプ制御基板１４等に対して伝送させればよい。また、本実施の形態では、上述したように、エラー報知画像のＺ値が「０」に設定され、大当り中楽曲名報知画像のＺ値が「３」に設定されて登録されている。これにより、演出制御用ＣＰＵ１２０は、大当り中楽曲名報知画像をエラー報知画像が表示されているレイヤーよりも下位のレイヤーに表示させるといった、大当り中楽曲名報知よりもエラー報知を優先的に実行する制御を行う。
【０２６２】
ステップＳ４７３にて確変確定報知演出の実行中である場合には（ステップＳ４７３；ＹＥＳ）、確変確定報知演出が実行されているレイヤーよりも下位のレイヤーで大当り中楽曲名報知を実行するための動作制御を行った後（ステップＳ４７７）、大当り中楽曲名報知動作制御処理を終了する。ステップＳ４７７の処理では、ステップＳ４７５、Ｓ４７６の処理と同様に、各種指令を作成して表示制御部１２３や音声制御基板１３、ランプ制御基板１４等に対して伝送させればよい。また、本実施の形態では、上述したように、確変確定報知演出画像のＺ値が「１」に設定され、大当り中楽曲名報知画像のＺ値が「３」に設定されて登録されている。これにより、演出制御用ＣＰＵ１２０は、大当り中楽曲名報知画像を確変確定報知演出画像が表示されているレイヤーよりも下位のレイヤーに表示させるといった、大当り中楽曲名報知よりも確変確定報知演出を優先的に実行する制御を行う。
【０２６３】
ステップＳ４７２にて賞球数報知演出の実行中である場合には（ステップＳ４７２；ＹＥＳ）、賞球数報知演出が実行されているレイヤーよりも下位のレイヤーで大当り中楽曲名報知を実行するための動作制御を行った後（ステップＳ４７８）、大当り中楽曲名報知動作制御処理を終了する。ステップＳ４７８の処理では、ステップＳ４７５、Ｓ４７６、Ｓ４７７の処理と同様に、各種指令を作成して表示制御部１２３や音声制御基板１３、ランプ制御基板１４等に対して伝送させればよい。また、本実施の形態では、上述したように、賞球数報知演出画像のＺ値が「２」に設定され、大当り中楽曲名報知画像のＺ値が「３」に設定されて登録されている。これにより、演出制御用ＣＰＵ１２０は、大当り中楽曲名報知画像を賞球数報知演出画像が表示されているレイヤーよりも下位のレイヤーに表示させるといった、大当り中楽曲名報知よりも賞球数報知演出を優先的に実行する制御を行う。
【０２６４】
ステップＳ４７１にて累積賞球数報知演出の実行中である場合には（ステップＳ４７１；ＹＥＳ）、累積賞球数報知演出が実行されているレイヤーよりも下位のレイヤーで大当り中楽曲名報知を実行するための動作制御を行った後（ステップＳ４７９）、大当り中楽曲名報知動作制御処理を終了する。ステップＳ４７９の処理では、ステップＳ４７５、Ｓ４７６、Ｓ４７７、Ｓ４７８の処理と同様に、各種指令を作成して表示制御部１２３や音声制御基板１３、ランプ制御基板１４等に対して伝送させればよい。また、本実施の形態では、上述したように、累積賞球数報知演出画像のＺ値が「２」に設定され、大当り中楽曲名報知画像のＺ値が「３」に設定されて登録されている。これにより、演出制御用ＣＰＵ１２０は、大当り中楽曲名報知画像を累積賞球数報知演出画像が表示されているレイヤーよりも下位のレイヤーに表示させるといった、大当り中楽曲名報知よりも累積賞球数報知演出を優先的に実行する制御を行う。
【０２６５】
図１９（Ａ）に示すステップＳ１８１にて大当り終了指定コマンドの受信があった場合には（Ｓ１８１；ＹＥＳ）、大当り終了報知演出時間を設定する（ステップＳ１８９）。ステップＳ１８９の処理では、例えば主基板１１から伝送された大当り終了指定コマンドにより特定される大当り終了時演出待ち時間に対応して、複数種類の大当り終了報知演出時間のうちいずれかを選択して設定すればよい。より具体的には、大当り終了指定コマンドにより指定された大当り終了時演出待ち時間と同一の時間を、大当り終了報知演出時間として設定すればよい。これにより、例えば図１３（Ｂ）に示した大当り終了時演出待ち時間と同様に、大当り種別や確変確定フラグの状態に応じた大当り終了報知演出時間が設定される。
【０２６６】
ステップＳ１８９の処理に続いて、大当り終了報知演出制御パターンを設定する（ステップＳ１９０）。ステップＳ１９０の処理では、例えば主基板１１から伝送された大当り終了指定コマンドにより特定される確変状態となるか否かの制御内容や、ステップＳ１８９の処理にて設定した大当り終了報知演出時間等に対応して、予め用意された複数種類の大当り終了報知演出制御パターンのうちから、使用パターンとなるものを選択して設定すればよい。
【０２６７】
図１９（Ｂ）は、ステップＳ１９０の処理による大当り終了報知演出制御パターンの設定例を示している。この実施の形態では、複数種類の大当り終了報知演出制御パターンＤＰＡ１、ＤＰＡ２、ＤＰＢ１、ＤＰＢ２が、予め用意されている。そして、主基板１１から伝送された大当り終了指定コマンドによる指定内容等に基づいて、いずれかの大当り終了報知演出制御パターンを選択して、使用パターンに設定する。これにより、大当り種別が「大当りＡ」と「大当りＢ」のいずれであるかや、確変制御条件の成否に応じた確変制御の有無に応じて、異なる大当り終了報知演出制御パターンを設定することができる。
【０２６８】
具体的な一例として、大当り種別が「大当りＡ」に決定されたことに基づく大当り遊技状態において、第６ラウンドで開放状態となった下大入賞口に遊技球が進入せずに確変制御が行われない場合には、大当り終了報知演出制御パターンＤＰＡ１が選択される。一方、大当り種別が「大当りＡ」であり確変制御が行われる場合には、大当り終了報知演出制御パターンＤＰＡ２が選択される。また、大当り種別が「大当りＢ」であり確変制御が行われない場合には、大当り終了報知演出制御パターンＤＰＢ１が選択される。
【０２６９】
ステップＳ１９０の処理を実行した後には、演出プロセスフラグの値を“６”に更新してから（ステップＳ１９１）、大当り中演出処理を終了する。演出プロセスフラグの値が“６”に更新されることにより、次回のタイマ割込みが発生したときには、図１８に示すステップＳ１７６の大当り終了演出処理が実行される。
【０２７０】
図２７は、賞球数報知演出、累積賞球数報知演出、連チャン回数報知、大当り中楽曲名報知の実行期間が重なった場合に、画像表示装置５の表示領域に報知画像を表示させる動作例を示している。例えば、大当り中に賞球として払い出された賞球数が「２０００個」に到達したときには、連チャン回数報知や大当り中楽曲名報知、累積賞球数報知演出の実行期間であるか否かにかかわらず、図２１の賞球数報知演出動作制御処理におけるステップＳ２１８の処理にて、図２７（Ａ）に示すように、最上位のレイヤーで賞球数報知演出を実行するための動作制御が行われる。
【０２７１】
一方、連チャン中における大当り中に賞球として払い出された累積賞球数が「５０００個」に到達したときには、図２２の累積賞球数報知演出動作制御処理におけるステップＳ３９７以降の処理が実行される。この例の場合には、賞球数報知演出を実行するための動作制御が行われることから、図２２に示すステップＳ３９７にて、賞球数報知演出の実行中であることを理由として、図２７（Ａ）に示すように、累積賞球数報知演出は実行されない。
【０２７２】
また、この例の場合には、賞球数報知演出を実行するための動作制御が行われることから、図２３の連チャン回数報知動作制御処理におけるステップＳ４６８の処理にて、図２７（Ａ）に示すように、賞球数報知演出が実行されているレイヤーよりも下位のレイヤーで連チャン回数報知を実行するための動作制御が行われる。
【０２７３】
更に、この例の場合には、賞球数報知演出を実行するための動作制御が行われることから、図２４の大当り中楽曲名報知動作制御処理におけるステップＳ４７８の処理にて、図２７（Ａ）に示すように、賞球数報知演出が実行されているレイヤーよりも下位のレイヤーで大当り中楽曲名報知を実行するための動作制御が行われる。
【０２７４】
このように、賞球数報知演出、累積賞球数報知演出、連チャン回数報知、大当り中楽曲名報知の実行期間が重なった場合には、図２７（Ｂ）に示すように、最上位のレイヤーで賞球数報知演出が実行されると共に、それよりも下位のレイヤーで連チャン回数報知、大当り中楽曲名報知が実行される一方で、累積賞球数報知演出は実行されない。
【０２７５】
図２８は、確変確定報知演出、賞球数報知演出、連チャン回数報知、大当り中楽曲名報知の実行期間が重なった場合に、画像表示装置５の表示領域に報知画像を表示させる動作例を示している。例えば、下大入賞口に入賞した遊技球が特定領域を通過したときには、賞球数報知演出、連チャン回数報知、大当り中楽曲名報知の実行期間であるか否かにかかわらず、図２０の確変確定報知演出動作制御処理におけるステップＳ１６４の処理にて、図２８（Ａ）に示すように、最上位のレイヤーで確変確定報知演出を実行するための動作制御が行われる。
【０２７６】
一方、大当り中に賞球として払い出された賞球数が「２０００個」に到達したときには、図２１の賞球数報知演出動作制御処理におけるステップＳ２１６以降の処理が実行される。この例の場合には、確変確定報知演出を実行するための動作制御が行われることから、ステップＳ２２０の処理にて、図２８（Ａ）に示すように、確変確定報知演出が実行されているレイヤーよりも下位のレイヤーで賞球数報知演出を実行するための動作制御が行われる。
【０２７７】
また、この例の場合には、賞球数報知演出を実行するための動作制御が行われることから、図２３の連チャン回数報知動作制御処理におけるステップＳ４６８の処理にて、図２８（Ａ）に示すように、賞球数報知演出が実行されているレイヤーよりも下位のレイヤーで連チャン回数報知を実行するための動作制御が行われる。
【０２７８】
更に、この例の場合には、賞球数報知演出を実行するための動作制御が行われることから、図２４の大当り中楽曲名報知動作制御処理におけるステップＳ４７８の処理にて、図２８（Ａ）に示すように、賞球数報知演出が実行されているレイヤーよりも下位のレイヤーで大当り中楽曲名報知を実行するための動作制御が行われる。
【０２７９】
このように、確変確定報知演出、賞球数報知演出、連チャン回数報知、大当り中楽曲名報知の実行期間が重なった場合には、図２８（Ｂ）に示すように、最上位のレイヤーで確変確定報知演出が実行されると共に、それよりも下位のレイヤーで賞球数報知演出が実行され、それよりも更に下位のレイヤーで連チャン回数報知、大当り中楽曲名報知が実行される。
【０２８０】
図２９は、エラー報知、賞球数報知演出、連チャン回数報知、大当り中楽曲名報知の実行期間が重なった場合に、画像表示装置５の表示領域に報知画像を表示させる動作例を示している。例えば、磁石を用いて不正に遊技球を入賞口に誘導させるような行為を検出したときには、賞球数報知演出、連チャン回数報知、大当り中楽曲名報知の実行期間であるか否かにかかわらず、図１７のステップＳ１４３の処理にて、図２９（Ａ）に示すように、最上位のレイヤーでエラー報知を実行するための動作制御が行われる。
【０２８１】
一方、大当り中に賞球として払い出された賞球数が「２０００個」に到達したときには、図２１の賞球数報知演出動作制御処理におけるステップＳ２１６以降の処理が実行される。この例の場合には、エラー報知を実行するための動作制御が行われることから、ステップＳ２１９の処理にて、図２９（Ａ）に示すように、エラー報知が実行されているレイヤーよりも下位のレイヤーで賞球数報知演出を実行するための動作制御が行われる。
【０２８２】
また、この例の場合には、賞球数報知演出を実行するための動作制御が行われることから、図２３の連チャン回数報知動作制御処理におけるステップＳ４６８の処理にて、図２９（Ａ）に示すように、賞球数報知演出が実行されているレイヤーよりも下位のレイヤーで連チャン回数報知を実行するための動作制御が行われる。
【０２８３】
更に、この例の場合には、賞球数報知演出を実行するための動作制御が行われることから、図２４の大当り中楽曲名報知動作制御処理におけるステップＳ４７８の処理にて、図２９（Ａ）に示すように、賞球数報知演出が実行されているレイヤーよりも下位のレイヤーで大当り中楽曲名報知を実行するための動作制御が行われる。
【０２８４】
このように、エラー報知、賞球数報知演出、連チャン回数報知、大当り中楽曲名報知の実行期間が重なった場合には、図２９（Ｂ）に示すように、最上位のレイヤーでエラー報知が実行されると共に、それよりも下位のレイヤーで賞球数報知演出が実行され、それよりも更に下位のレイヤーで連チャン回数報知、大当り中楽曲名報知が実行される。
【０２８５】
図３０は、エラー報知、確変確定報知演出、連チャン回数報知、大当り中楽曲名報知の実行期間が重なった場合に、画像表示装置５の表示領域に報知画像を表示させる動作例を示している。例えば、磁石を用いて不正に遊技球を入賞口に誘導させるような行為を検出したときには、確変確定報知演出、連チャン回数報知、大当り中楽曲名報知の実行期間であるか否かにかかわらず、図１７のステップＳ１４３の処理にて、図２９（Ａ）に示すように、最上位のレイヤーでエラー報知を実行するための動作制御が行われる。
【０２８６】
一方、下大入賞口に入賞した遊技球が特定領域を通過したときには、図２０の確変確定報知演出動作制御処理におけるステップＳ１６３以降の処理が実行される。この例の場合には、エラー報知を実行するための動作制御が行われることから、ステップＳ１６５の処理にて、図３０（Ａ）に示すように、エラー報知が実行されているレイヤーよりも下位のレイヤーで確変確定報知演出を実行するための動作制御が行われる。
【０２８７】
また、この例の場合には、確変確定報知演出を実行するための動作制御が行われることから、図２３の連チャン回数報知動作制御処理におけるステップＳ４６７の処理にて、図３０（Ａ）に示すように、確変確定報知演出が実行されているレイヤーよりも下位のレイヤーで連チャン回数報知を実行するための動作制御が行われる。
【０２８８】
更に、この例の場合には、確変確定報知演出を実行するための動作制御が行われることから、図２４の大当り中楽曲名報知動作制御処理におけるステップＳ４７７の処理にて、図３０（Ａ）に示すように、確変確定報知演出が実行されているレイヤーよりも下位のレイヤーで大当り中楽曲名報知を実行するための動作制御が行われる。
【０２８９】
このように、エラー報知、確変確定報知演出、連チャン回数報知、大当り中楽曲名報知の実行期間が重なった場合には、図３０（Ｂ）に示すように、最上位のレイヤーでエラー報知が実行されると共に、それよりも下位のレイヤーで確変確定報知演出が実行され、それよりも更に下位のレイヤーで連チャン回数報知、大当り中楽曲名報知が実行される。
【０２９０】
次に、各種報知の優先度合いが異なる４つの変形例を図３１から図３４を参照して如何に説明する。
【０２９１】
図３１に示すように、第１変形例におけるエラー報知画像と確変確定報知演出画像と賞球数報知演出画像とその他の演出用の画像とを描画するときに用いるＺ値は、確変確定報知演出画像のＺ値が「０」に設定され、賞球数報知演出画像のＺ値が「１」に設定され、エラー報知画像のＺ値が「２」に設定され、その他の演出用の画像のＺ値が「３」に設定されて登録されている。つまり、その他の演出用画像よりもエラー報知画像が優先的に表示され、エラー報知画像よりも賞球数報知演出画像が優先的に表示され、賞球数報知演出画像よりも確変確定報知演出画像が優先的に表示される。このように、エラー報知が実行されている場合であっても、確変確定報知演出や賞球数報知演出がエラー報知に隠れずに視認可能になっている。なお、Ｚ値に「１」が設定されているのは、賞球数報知演出画像のみならず、累積賞球数報知演出画像にもＺ値に「１」が設定されている。
【０２９２】
図３２に示すように、第２変形例におけるエラー報知画像と確変確定報知演出画像と賞球数報知演出画像とその他の演出用の画像とを描画するときに用いるＺ値は、賞球数報知演出画像のＺ値が「０」に設定され、確変確定報知演出画像のＺ値が「１」に設定され、エラー報知画像のＺ値が「２」に設定され、その他の演出用の画像のＺ値が「３」に設定されて登録されている。つまり、その他の演出用画像よりもエラー報知画像が優先的に表示され、エラー報知画像よりも確変確定報知演出画像が優先的に表示され、確変確定報知演出画像よりも賞球数報知演出画像が優先的に表示される。このように、エラー報知が実行されている場合であっても、確変確定報知演出や賞球数報知演出がエラー報知に隠れずに視認可能になっている。また、確変確定報知演出が実行されている場合であっても、賞球数報知演出が確変確定報知演出に隠れずに視認可能になっている。なお、Ｚ値に「０」が設定されているのは、賞球数報知演出画像のみならず、累積賞球数報知演出画像にもＺ値に「０」が設定されている。
【０２９３】
図３３に示すように、第３変形例におけるエラー報知画像と確変確定報知演出画像と賞球数報知演出画像とその他の演出用の画像とを描画するときに用いるＺ値は、確変確定報知演出画像のＺ値が「０」に設定され、エラー報知画像のＺ値が「１」に設定され、賞球数報知演出画像のＺ値が「２」に設定され、その他の演出用の画像のＺ値が「３」に設定されて登録されている。つまり、その他の演出用画像よりも賞球数報知演出画像が優先的に表示され、賞球数報知演出画像よりもエラー報知画像が優先的に表示され、エラー報知画像よりも確変確定報知演出画像が優先的に表示される。このように、エラー報知が実行されている場合であっても、確変確定報知演出がエラー報知に隠れずに視認可能になっている。なお、Ｚ値に「２」が設定されているのは、賞球数報知演出画像のみならず、累積賞球数報知演出画像にもＺ値に「２」が設定されている。
【０２９４】
図３４に示すように、第４変形例におけるエラー報知画像と確変確定報知演出画像と賞球数報知演出画像とその他の演出用の画像とを描画するときに用いるＺ値は、賞球数報知演出画像のＺ値が「０」に設定され、エラー報知画像のＺ値が「１」に設定され、確変確定報知演出画像のＺ値が「２」に設定され、その他の演出用の画像のＺ値が「３」に設定されて登録されている。つまり、その他の演出用画像よりも確変確定報知演出画像が優先的に表示され、確変確定報知演出画像よりもエラー報知画像が優先的に表示され、エラー報知画像よりも賞球数報知演出画像が優先的に表示される。このように、確変確定報知演出やエラー報知が実行されている場合であっても、賞球数報知演出が確変確定報知演出やエラー報知に隠れずに視認可能になっている。なお、Ｚ値に「０」が設定されているのは、賞球数報知演出画像のみならず、累積賞球数報知演出画像にもＺ値に「０」が設定されている。
【０２９５】
この発明は、上記実施の形態に限定されず、様々な変形及び応用が可能である。例えばパチンコ遊技機１は、上記実施の形態で示した全ての技術的特徴を備えるものでなくてもよく、従来技術における少なくとも１つの課題を解決できるように、上記実施の形態で説明した一部の構成を備えたものであってもよい。
【０２９６】
一例として、上記実施の形態では、例えば磁石を用いて不正に遊技球を入賞口に誘導させるような行為について、主基板１１から送信された磁気異常報知指定コマンドに対応したエラー報知等が行われるものとして説明した。これに対して、異常としては、上述した電波異常の他、振動異常、電波異常、前面ドアの開放異常、払出機構の異常、大入賞口の不正入賞異常、下皿が満タンになっている異常等があり、異常検出用センサ群等を用いて検出されるものであってもよい。そして、これらの異常についても、上記実施の形態におけるエラー報知と同様に、他の報知に対して、それぞれ優先度合いが設定されていればよい。その場合、異常には、その種類毎に優先順位が設定されており、例えば大入賞口の不正入賞エラーについては賞球数報知演出や累積賞球数報知演出、確変確定報知演出よりも優先度合いが高くなるように実行され、下皿が満タンになっているエラーについては賞球数報知演出や累積賞球数報知演出、確変確定報知演出よりも優先度合いが低くなるように実行される等、異常の報知では、優先順位の高い異常が優先して報知されるようになっていてもよい。こうした構成により、異常報知を実行するにあたり、他の報知が実行されていても、異常の種類に応じて好適に報知を実行することができる。
【０２９７】
即ち、遊技機１は、報知演出を実行する報知演出実行手段（例えば賞球数報知演出、累積賞球数報知演出、確変確定報知演出、連チャン回数報知、大当り中楽曲名報知、エラー報知、大当り中昇格演出を実行する演出制御用ＣＰＵ１２０等）を備え、前記報知演出実行手段は、前記報知演出として、特定期間において獲得した価値の大きさを報知する価値報知（例えば大当り中に賞球として払い出された賞球数を報知する賞球数報知演出や、連チャン中における大当り中に賞球として払い出された賞球数を報知する賞球数報知演出等等）と、エラー（磁気異常、電波異常、振動異常、電波異常、前面ドアの開放異常、払出機構の異常、大入賞口の不正入賞異常、下皿が満タンになっている異常等）が発生したことを報知するエラー報知とを実行可能であり、前記価値報知よりも前記エラー報知の優先度合いを高いものであってもよい（又は、前記エラー報知よりも前記価値報知の優先度合いが高いものであってもよい）。
【０２９８】
また、遊技機１は、報知演出を実行する報知演出実行手段（例えば賞球数報知演出、累積賞球数報知演出、確変確定報知演出、連チャン回数報知、大当り中楽曲名報知、エラー報知、大当り中昇格演出を実行する演出制御用ＣＰＵ１２０等）を備え、前記報知演出実行手段は、前記報知演出として、遊技状態に関する報知を行う遊技状態報知（例えば下大入賞口に入賞した遊技球が特定領域を通過したことを報知する確変確定報知演出等）と、エラー（磁気異常、電波異常、振動異常、電波異常、前面ドアの開放異常、払出機構の異常、大入賞口の不正入賞異常、下皿が満タンになっている異常等）が発生したことを報知するエラー報知とを実行可能であり、前記遊技状態報知よりも前記エラー報知の優先度合いが高いものであってもよい（又は、前記エラー報知よりも前記遊技状態報知の優先度合いが高いものであってもよい。
【０２９９】
また、上記実施の形態では、賞球数報知演出を、特定期間としての大当り中に賞球として払い出された賞球数を報知するものとして説明した。これに対して、特定期間は、例えば１ラウンド中や１分間等、大当り中以外の期間であってもよい。こうした構成により、例えば大入賞口を遊技球が通過することにより払い出される賞球数の違い等に応じて、好適なタイミングで賞球数報知演出を実行することができる。
【０３００】
また、上記実施の形態では、累積賞球報知演出を、特別期間としての連チャン中における大当り中に賞球として払い出された累積賞球数を報知するものとして説明した。これに対して、特別期間は、例えば１日間や、１週間等、連チャン中以外の期間であってもよい。こうした構成により、例えば大入賞口を遊技球が通過することにより払い出される賞球数の違いや、連チャン率の違い等に応じて、好適なタイミングで累積賞球数報知演出を実行することができる。
【０３０１】
また、上記実施の形態では、状態に関する報知として、遊技球が特定領域を通過した旨を報知する確変確定報知を説明したが、状態に関する報知は、確変確定報知に限定されない。例えば、遊技者に対し特定領域に遊技球を通過させる旨の報知（例えば、右打ちの報知等）、遊技球が所定領域を通過したことにより大当りが確定する態様において、遊技者に対し特定領域に遊技球を通過させる旨の報知、遊技球が上記所定領域を通過した旨の報知、確変昇格演出による報知、ラウンド数昇格演出による報知、ＳＴ回数又は時短回数に関する昇格（当初報知回数よりも増加する旨）の報知、保留内連チャンに関する報知（保留内連チャンの確定報知、保留内連チャンの期待度の報知）、ＳＴ回数又は時短回数の残数に関する報知などであってもよい。
【０３０２】
また、上記実施の形態では、各報知画像に対してＺ値が設定されることにより、優先順位が決定されるものとして説明した。これに対して、各報知の優先順位は、例えば確変確定報知演出よりもエラー報知を優先的に実行し、賞球数報知演出よりもエラー報知を優先的に実行する一方で、エラー報知と確変確定報知演出と賞球数報知演出とが同時に実行されるときには、エラー報知よりも確変確定報知演出を優先的に実行するといった、同時に実行される報知の組み合わせに応じて、各報知の優先順位が変化するようにしてもよい。こうした構成により、同時に実行される報知の組み合わせに応じて好適に報知を実行することができる。
【０３０３】
また、上記実施の形態では、例えば最終ラウンドの最終カウント目の入賞によって、累積賞球数が「５０００個」や「１００００個」に到達した場合には、累積賞球数報知演出はエンディング演出中に実行されることになる。しかしながら、エンディング演出の終了後に確変制御が行われるときは、当該エンディング演出中に累積賞球数報知演出を実行せずに、次回の大当りが発生したときのファンファーレ演出中に累積賞球数報知演出を実行するようにしてもよい（即ち、次回大当りの発生後であって大入賞口を開放状態とする前に累積賞球数報知演出を行うようにしてもよい）。また、上記に代えて、次回大当りの１ラウンド目の開始時に（大入賞口への入賞がなくても）、累積賞球数報知演出を行うようにしてもよいし、次回大当りの１ラウンド目において最初の入賞があったときに、累積賞球数報知演出を行うようにしてもよい。こうした構成により、エンディング演出の時間が短くても、累積賞球数報知演出を好適に実行することができる。
【０３０４】
なお、エンディング演出の終了後に確変制御が行われないとき（例えば、高開放制御のみが行われるとき）も同様に、当該エンディング演出中に累積賞球数報知演出を実行せずに、次回の大当りが発生したときのファンファーレ演出中に累積賞球数報知演出を実行するようにしてもよいし、次回大当りの１ラウンド目の開始時や、次回大当りの１ラウンド目において最初の入賞があったときに、累積賞球数報知演出を行うようにしてもよい。なお、次回大当りが発生せずに、確変制御が終了した場合（例えば、ＳＴ回数が終了した場合）や、高開放制御が終了した場合には、確変制御や高開放制御が終了したときに、累積賞球数報知演出を実行するようにしてもよい。なお、エンディング演出の終了後に確変制御が行われないとき（例えば、確変制御も高開放制御も行われないとき）には、エンディング演出の終了後の最初の可変表示が行われるときに（保留がないときにはエンディング演出の終了したときに）、累積賞球数報知演出を実行するようにしてもよい。
【０３０５】
また、上記実施の形態において、最終ラウンドにおいて所謂オーバー入賞が発生した場合には、エンディング演出中にオーバー入賞に係る報知演出を実行してもよいし、エンディング演出の終了後の最初の可変表示が行われるときに（保留がないときにはエンディング演出の終了したときに）、オーバー入賞に係る報知演出を実行してもよい。
【０３０６】
また、上記実施の形態では、図１２に示すように、第６ラウンドにのみ下大入賞口が開放状態となることにより、下大入賞口に入賞した遊技球が特定領域を通過し得る。したがって、図１１の大当り開放中処理におけるステップＳ３１７にて特定領域スイッチ２４から伝送された検出信号がオン状態であるか否かを判定する処理は、第６ラウンドにのみ実行されるようにしてもよい。もしくは、第６ラウンド以外のラウンドにて特定領域スイッチ２４から伝送された検出信号がオン状態となっていても、その検出信号を無効として判定するようにしてもよい。こうした構成により、特定領域への不正通過といった行為が行われて、大当り遊技状態の終了後に確変状態となることを防止することができる。
【０３０７】
また、上記実施の形態において、連チャン中における大当り遊技状態及び時短状態にて獲得したトータル賞球数を報知するトータル賞球数報知演出を、大当り中に実行するようにしてもよい。そして、このような実施の形態においても、トータル賞球数報知演出について、他の報知に対する優先度合いが設定されていればよい。こうした構成により、トータル賞球数報知演出と他の報知とが同時に実行される場合にも、各報知を好適に実行することができる。
【０３０８】
また、上記実施の形態では、大当り中昇格演出が実行されるか否かにかかわらず、図２２の累積賞球数報知演出動作制御処理におけるステップＳ３９１の処理にて、大当り中昇格演出が終了したか否かを判定しているが、このような処理を実行する前に、大当り中昇格演出が実行されるか否かを判定し、大当り中昇格演出が実行される場合には、ステップＳ３９１の処理を実行する一方で、大当り中昇格演出が実行されない場合には、ステップＳ３９１の処理を実行せずに、ステップＳ３９２以降の処理を実行するようにしてもよい。こうした構成により、大当り中昇格演出が実行されない場合にも、累積賞球数報知演出を実行することができる。
【０３０９】
また、上記実施の形態では、連チャン中における大当り中に賞球として払い出された累積賞球数が「５０００個」、「１００００個」に到達したときに累積賞球数報知演出が実行されるものとして説明した。これに対して、累積賞球数報知演出は、例えば「５０００個」、「１００００個」、「２００００個」、「３００００個」、・・・といった、「１００００個」よりも多数の賞球数を獲得したときにも実行されるようにしてもよい。こうした構成により、累積賞球数報知演出に対する注目を継続させることができる。
【０３１０】
また、上記実施の形態では、賞球数報知演出の実行中である場合には、累積賞球数報知演出は実行されないものとして説明した。これに対し、賞球数報知演出が実行される場合であっても、例えば賞球数報知演出が実行される前後の期間にて累積賞球数報知演出を実行するといった、賞球数報知演出と累積賞球数報知演出の実行期間が重ならないようにしてもよい。こうした構成により、賞球数報知演出と累積賞球数報知演出のいずれの演出についても好適に実行することができる。
【０３１１】
また、上記実施の形態では、確変制御条件が成立しなかったときに、確変制御条件が成立したときとは異なる演出態様で大当り終了報知演出を実行すると共に、大当り種別や確変制御条件の成否に応じて大当りい終了報知演出の演出時間を異ならせるものとして説明した。これに対して、確変制御条件の成否に応じて大当り終了報知演出の演出態様を異ならせる設定と、大当り種別や確変制御条件の成否に応じて大当り終了報知演出の演出時間を異ならせる設定とのうち、いずれか一方のみが行われ、他方の設定が行われないものであってもよい。
【０３１２】
より具体的には、大当り終了報知演出として、大当り遊技状態が終了することを報知する一定態様の演出を、確変制御条件の成否にかかわらず実行するための演出動作制御が行われる場合に、大当り種別が「大当りＡ」に対応した大当り遊技状態にて確変制御条件が成立したときには、大当り種別が「大当りＡ」に対応した大当り遊技状態にて確変制御条件が成立しなかったときとは異なる時間にわたり大当り終了報知演出が実行されてもよい。
【０３１３】
上記実施の形態では、特別可変入賞球装置７Ａに形成された上大入賞口と特別可変入賞球装置７Ｂに形成された下大入賞口とを設け、開放状態となった下大入賞口に遊技球が進入することにより、大当り遊技状態の終了後に確変制御が行われる確変状態となるための確変制御条件が成立するものとして説明した。しかしながら、この発明はこれに限定されず、遊技領域２に設けられた１つの大入賞口に遊技球が進入したことに基づいて、確変制御条件が成立し得るものであってもよい。一例として、所定の特別可変入賞球装置に形成された大入賞口の内部に、第１特定領域と第２特定領域とを設ける。第１特定領域に進入した遊技球は、上記実施の形態における上大入賞口スイッチ２３Ａや下大入賞口スイッチ２３Ｂと同様のカウントスイッチによって検出される。一方、第２特定領域に進入した遊技球は、上記実施の形態における特定領域スイッチ２４と同様の特定入賞スイッチによって検出される。また、大入賞口の内部には、第２特定領域を閉鎖状態と開放状態とに変化させる蓋状の特定開閉板を設け、第２特定領域に進入できなかった遊技球を第１特定領域へと誘導する転動板を設ける。転動板の一例として、遊技球を渦状に旋回させて整流するクルーンを設けてもよい。他の一例として、転動板をシーソーのように回動させ、遊技球が転動面上を揺動するようにしてもよい。
【０３１４】
このような構成において、遊技状態が大当り遊技状態であるときには、ラウンド遊技の実行回数が「１」〜「５」、「７」〜「１５」のいずれかである場合に、特定開閉板により第２特定領域を閉鎖状態とすることで、第２特定領域に遊技球が進入不可能にする。したがって、第１ラウンド〜第５ラウンド、第７ラウンド〜第１５ラウンドにて開放状態となった大入賞口に進入した遊技球は、全て第１特定領域へと誘導されることで、確変制御条件は成立しない。これに対して、ラウンド遊技の実行回数が「６」の場合には、特定開閉板により第２特定領域を開放状態とすることで、第２特定領域にも遊技球が進入可能にする。なお、このときでも第１特定領域は開放状態としておき、大入賞口に進入した遊技球は、所定割合で第１領域と第２領域のいずれかへと誘導されればよい。あるいは、第６ラウンドでは第１特定領域を閉鎖状態として、大入賞口に進入した遊技球を全て第２特定領域へと誘導してもよい。こうして第２特定領域に進入した遊技球が検出されたときには、確変制御条件が成立して、大当り遊技状態が終了した後に確変状態となるようにすればよい。
【０３１５】
上記実施の形態では、遊技領域２に左遊技領域２Ａと右遊技領域２Ｂとがあり、画像表示装置５の端面や釘の配列ＰＬ等により、左遊技領域２Ａと右遊技領域２Ｂとが区分けされるものとして説明した。これに対して、遊技領域２が区分けされず、遊技領域２へと発射された遊技球が第１始動入賞口と第２始動入賞口のいずれにも誘導され得るようにしてもよい。例えば遊技領域２において、画像表示装置５の下方に普通入賞球装置６Ａと普通可変入賞球装置６Ｂとを設け、更に、これらの下方に特別可変入賞球装置７Ａと特別可変入賞球装置７Ｂとを設けてもよい。
【０３１６】
図１に示した遊技領域２の構成では、特別可変入賞球装置７Ａ、７Ｂの上方における右遊技領域２Ｂの狭い球流下経路に、普通可変入賞球装置７Ｂが設けられる。そのため、右遊技領域２Ｂへと誘導された遊技球の大部分が開放状態又は拡大開放状態となった第２始動入賞口に進入してしまい、開放状態となっている上大入賞口又は下大入賞口に進入させることが困難又は不可能になる場合がある。一方、普通入賞球装置６Ａや普通可変入賞球装置６Ｂの下方に特別可変入賞球装置７Ａや特別可変入賞球装置７Ｂを設けた構成では、特別可変入賞球装置７Ａ、７Ｂの上方に比較的広い球流下領域を確保することができ、開放状態又は拡大開放状態となった第２始動入賞口に進入する遊技球は一部にすぎない。これにより、上大入賞口又は下大入賞口が開放状態となるときに、普通可変入賞球装置６Ｂの可動翼片等が遊技球の進入を妨げることを防止して、図１に示した遊技領域２の構成よりも遊技者にとって好ましい態様で遊技球を誘導することができる。
【０３１７】
大当り遊技状態であるときに大入賞口を閉鎖状態から開放状態へと変化させる可変入賞装置の一例として、特別可変入賞球装置７Ａや特別可変入賞球装置７Ｂとは異なる役物可変入賞装置が設けられてもよい。役物可変入賞装置は、特別電動役物の１つであり、単に「役物」ということもある。例えば役物可変入賞装置の左右上部には、可動部材としての羽根部材が、摺動変化可能に設けられている。また、羽根部材の設置個所には、遊技球が役物可変入賞装置の内部へと進入可能に形成された役物進入口が設けられている。羽根部材は、例えば連係アームといった所定のリンク機構等を介して、羽根ソレノイドにおけるコイルに内装されたプランジャ等に連結されている。そして、羽根用ソレノイドがオフ状態であるときには、羽根部材が役物進入口を閉塞することにより、役物可変入賞装置の内部に遊技球が進入できない閉鎖状態とする。他方、羽根用ソレノイドがオン状態であるときには、羽根部材が役物進入口を開放することにより、役物可変入賞装置の内部に遊技球が進入できる開放状態とする。なお、羽根部材は、摺動変化可能に構成されたものに限定されず、例えば回動可能に構成されることにより、役物進入口を、役物可変入賞装置の内部に遊技球が進入可能な開放状態と進入不可能な閉鎖状態とに変化させることができるものであればよい。
【０３１８】
役物可変入賞装置の内部には、遊技球が流下や転動をして通過可能な球経路が設けられている。役物可変入賞装置の内部に進入した遊技球は、所定の球経路を通過した後に、例えば特定領域や通常領域等といった、複数の領域のいずれかを通過して、役物可変入賞装置の外部へと排出される。開放状態となった役物進入口から役物可変入賞装置の内部に進入した遊技球は、役物入賞スイッチによって検出される。特定領域を通過した遊技球は、所定のＶ入賞スイッチによって検出される。役物可変入賞装置の外部へと排出される遊技球は、排出球スイッチによって検出される。
【０３１９】
このような構成において、遊技状態が大当り遊技状態であるときに、ラウンド遊技の実行回数が「６」の場合には、役物進入口が閉鎖状態から開放状態へと変化する。開放状態となった役物進入口から役物可変入賞装置の内部へと進入した遊技球のうち、特定領域を通過した遊技球が検出されることにより、確変制御条件が成立して大当り遊技状態の終了後に確変状態となるように制御されてもよい。
【０３２０】
なお、例えば第６ラウンドといった特定回数のラウンド遊技にて役物進入口が閉鎖状態から開放状態へと変化するものに限定されない。例えば、特定回数以外のラウンド遊技でも、役物進入口が閉鎖状態から開放状態へと変化する一方で、このとき役物可変入賞装置の内部へと進入した遊技球は、特定領域を通過しないように誘導されて、役物可変入賞装置の外部へと排出されてもよい。
【０３２１】
大当り遊技状態にて開放状態となった下大入賞口に遊技球が進入すること等により付与される遊技価値は、大当り遊技状態の終了後における遊技状態が確変状態となることに限定されず、遊技者にとって有利な任意の遊技価値であればよい。例えばパチンコ遊技機１における遊技状態が時短状態であるときに実行可能な特図ゲームの上限回数が増加することによって遊技者に有利な遊技価値が付与されてもよい。あるいは、大当り遊技状態が終了した後に遊技状態が確変状態となる場合に、特図表示結果を「大当り」に決定する大当り確率が第１確変状態よりも高い第２確変状態となることによって遊技者に有利な遊技価値が付与されてもよい。あるいは、遊技状態が確変状態であるときに実行可能な特図ゲームの上限回数である確変中変動上限回数が増加することによって遊技者に有利な遊技価値が付与されてもよい。あるいは、有利開放制御が行われるときに普図ゲームの平均的な可変表示時間、普図当り確率、第２始動入賞口の開放回数や開放時間のうち一部又は全部といった開放制御態様が第１有利態様よりも有利な第２有利態様となることによって遊技者に有利な遊技価値が付与されてもよい。あるいは、大当り遊技状態の終了後に遊技状態が繰り返し確変状態になる上限回数である連チャン上限回数が増加することによって遊技者に有利な遊技価値が付与されてもよい。
【０３２２】
上記実施の形態では、上大入賞口スイッチ２３Ａや下大入賞口スイッチ２３Ｂとは別に特定領域スイッチ２４を設け、特定領域スイッチ２４の設置個所へと誘導された遊技球の検出により、大当り遊技状態の終了後に確変状態となるための確変制御条件が成立するものとして説明した。しかしながら、この発明はこれに限定されず、上大入賞口スイッチ２３Ａと下大入賞口スイッチ２３Ｂのいずれかにより遊技球が検出されたことに基づいて、確変制御条件を成立させるか否かが決定されてもよい。一例として、上大入賞口スイッチ２３Ａにより遊技球が検出されても確変制御条件は成立させない一方、下大入賞口スイッチ２３Ｂにより遊技球が検出されたときには、常に確変制御条件を成立させるようにしてもよい。
【０３２３】
上記実施の形態では、下大入賞口を開放状態とする特定回数のラウンド遊技は、大当り遊技状態における第６ラウンドであるものとして説明した。これに対して、下大入賞口を開放状態とする特定回数のラウンド遊技は、大当り遊技状態における第６ラウンドに限定されず、大当り遊技状態が開始されてから終了するまでにおける任意の実行回数となるラウンド遊技であればよい。
【０３２４】
最終のラウンド遊技よりも前のラウンド遊技にて下大入賞口を開放状態とする場合のように、最終のラウンド遊技が実行されるよりも前のラウンド遊技にて確変制御条件が成立可能にした場合には、そのラウンド遊技が終了した後に次回以降のラウンド遊技が実行されるときに、大当り中演出の演出態様を確変制御条件の成否に応じて異ならせたり、大当り種別や確変制御条件の成否に応じて所定演出の演出時間を異ならせたりしてもよい。
【０３２５】
上記実施の形態において、大当り遊技状態におけるラウンド遊技が実行される毎に、上大入賞口又は下大入賞口のいずれか一方が閉鎖状態から開放状態へと変化し、入賞個数が所定数に達したこと、又は大入賞口開放上限時間が経過したことにより、開放状態の大入賞口を閉鎖状態に戻して１回のラウンド遊技が終了するものとして説明した。しかしながら、この発明はこれに限定されず、１回のラウンド遊技にて大入賞口を短時間で閉鎖状態と開放状態とに繰り返し変化させ、その繰り返し回数が所定回数に達したこと、又は入賞個数が所定数に達したことにより、１回のラウンド遊技が終了するようにしてもよい。
【０３２６】
一例として、ラウンド遊技の実行回数が特定回数以外であるときには、上大入賞口を閉鎖状態と開放状態とに繰り返し変化させるラウンド遊技が実行され、入賞個数が所定数に達しない場合には、繰り返し回数が「１５」に達したことにより、１回のラウンド遊技が終了するものとする。一方、ラウンド遊技の実行回数が特定回数であるときには、下大入賞口を閉鎖状態と開放状態とに変化させるラウンド遊技が実行される。このとき、大当り種別が「大当りＡ」と「大当りＢ」のいずれであるかに応じて、下大入賞口を開放状態に変化させる回数を異ならせることで、確変制御条件の成立し易さを異ならせてもよい。例えば、大当り種別が「大当りＡ」である場合には、特定回数のラウンド遊技として、下大入賞口を開放状態に変化させる上限回数を「１５」とし、下大入賞口を１５回まで開放状態にできるラウンド遊技が実行される。一方、大当り種別が「大当りＢ」である場合には、特定回数のラウンド遊技として、下大入賞口を開放状態に変化させる回数を「１」とし、下大入賞口を１回だけ開放状態としてラウンド遊技の実行を終了させてもよい。こうした設定によっても、特定回数のラウンド遊技において下大入賞口に遊技球が進入して確変制御条件が成立する可能性を、大当り種別に応じて異ならせることができる。
【０３２７】
他の一例として、大当り種別が「大当りＢ」である場合の大当り遊技状態として、特定回数のラウンド遊技において下大入賞口を継続して開放状態とするものと、特定回数のラウンド遊技において下大入賞口を閉鎖状態と開放状態とに繰り返し変化させるものとを設けてもよい。例えば、「大当りＢ」の大当り種別には、「大当りＢ１」と「大当りＢ２」とが含まれ、図６に示すステップＳ２４２の処理では、「大当りＡ」の他に「大当りＢ１」と「大当りＢ２」のいずれかに所定割合で決定されてもよい。そして、大当り種別が「大当りＢ１」である場合には、第６ラウンドのラウンド遊技にて下大入賞口が０．２秒にわたり１回だけ開放状態とする。一方、大当り種別が「大当りＢ２」である場合には、第６ラウンドのラウンド遊技にて下大入賞口が０．１秒にわたり開放状態とした後に閉鎖状態とする動作が２回まで繰り返し実行される。こうした設定により、下大入賞口を開放状態とする合計時間は同一であっても、特定回数のラウンド遊技において下大入賞口に遊技球が進入して確変制御条件が成立する可能性を異ならせることができる。
【０３２８】
また、例えば第６ラウンドといった特定回数のラウンド遊技において、開放状態となった下大入賞口に遊技球が進入する等して確変制御条件が成立したことにより、ラウンド遊技の実行を終了する大当り種別を設けてもよい。あるいは、例えば第６ラウンドといった特定回数のラウンド遊技において、開放状態となった下大入賞口に遊技球が進入する等して確変制御条件が成立するまで、ラウンド遊技の実行を継続させる大当り種別を設けてもよい。あるいは、例えば上記実施の形態における第６ラウンドのように、下大入賞口が開放状態となる特定回数のラウンド遊技が実行されない大当り種別を設けてもよい。具体的な一例として、ラウンド遊技の実行回数が「６」である第６ラウンドにおいても上大入賞口が開放状態となる「大当りＣ」の大当り種別を設け、図６に示すステップＳ２４２の処理では、変動特図等に応じた所定割合で、「大当りＡ」〜「大当りＣ」のいずれかに決定されてもよい。
【０３２９】
上記実施の形態において、遊技領域２には上大入賞口を形成する特別可変入賞球装置７Ａと下大入賞口を形成する特別可変入賞球装置７Ｂとが設けられ、特定回数以外のラウンド遊技では上大入賞口が開放状態に変化する一方、特定回数のラウンド遊技では下大入賞口が開放状態に変化するものとして説明した。しかしながら、上大入賞口や下大入賞口といった複数の大入賞口と、ラウンド遊技の実行態様、特定領域通過割合や確変決定割合といった確変制御条件の成立可能性等との対応関係は、上記実施の形態とは異なる設定であってもよい。即ち、複数の大入賞口のうちいずれに遊技球が進入したかに応じて、確変状態となるための確変制御条件が成立する可能性を異ならせたものであれば、それぞれの大入賞口の配置や大当り遊技状態における動作態様等は、任意に変更及び修正が可能である。また、第１特図や第２特図といった複数種類の特別図柄を用いた特図ゲームが実行可能な構成において、いずれの特別図柄を用いた特図ゲームにて特図表示結果が「大当り」となったかに応じて、特定領域を遊技球が通過し易い大入賞口を開放状態に変化させる割合が異なるように設定されていればよい。
【０３３０】
上記実施の形態では、第１始動入賞口を通過した遊技球の検出に基づいて第１特図を用いた特図ゲームが実行され、第２始動入賞口を通過した遊技球の検出に基づいて第２特図を用いた特図ゲームが実行されるものとして説明した。しかしながら、この発明はこれに限定されず、第１始動入賞口と第２始動入賞口のいずれを遊技球が通過したかにかかわらず共通の特別図柄を用いた特図ゲームが実行されるものであってもよい。この場合、第１始動入賞口と第２始動入賞口のいずれを遊技球が通過したことに基づく特図ゲームにて特図表示結果が「大当り」となったかにかかわらず、所定割合で特定領域を遊技球が通過し易い大入賞口を開放状態に変化させるか否かが決定されてもよいし、いずれの始動入賞口を遊技球が通過したことに基づく特図ゲームであるかに応じて、特定領域を遊技球が通過し易い大入賞口を開放状態に変化させる割合が異なるように設定されてもよい。
【０３３１】
その他にも、パチンコ遊技機１の装置構成、データ構成、フローチャートで示した処理、画像表示装置５の表示領域における演出画像の表示動作を含めた各種の演出動作等は、本発明の趣旨を逸脱しない範囲で、任意に変更及び修正が可能である。本発明を実現するためのプログラム及びデータは、パチンコ遊技機１に含まれるコンピュータ装置等に対して、着脱自在の記録媒体により配布、提供される形態に限定されるものではなく、予めコンピュータ装置等の有する記憶装置にプリインストールしておくことで配布される形態を採っても構わない。更に、本発明を実現するためのプログラム及びデータは、通信処理部を設けておくことにより、通信回線等を介して接続されたネットワーク上の、他の機器からダウンロードすることによって配布する形態を採っても構わない。
【０３３２】
ゲームの実行形態も、着脱自在の記録媒体を装着することにより実行するものだけではなく、通信回線等を介してダウンロードしたプログラム及びデータを、内部メモリ等に一旦格納することにより実行可能とする形態、通信回線等を介して接続されたネットワーク上における、他の機器側のハードウェア資源を用いて直接実行する形態としてもよい。更には、他のコンピュータ装置等とネットワークを介してデータの交換を行うことによりゲームを実行するような形態とすることもできる。
【０３３３】
また、上記の実施の形態においては、変動時間、及びリーチ演出の種類や擬似連の有無等の変動態様を示す変動パターンを演出制御用マイクロコンピュータに通知するために、変動を開始するときに１つの変動パターン指定コマンドを送信する例を示したが、２つ乃至それ以上のコマンドにより変動パターンを演出制御用マイクロコンピュータに通知するようにしてもよい。具体的には、２つのコマンドにより通知する場合、遊技制御用マイクロコンピュータは、１つめのコマンドでは擬似連の有無、滑り演出の有無等、リーチとなる以前の変動時間や変動態様を示すコマンドを送信し、２つめのコマンドではリーチの種類や再抽選演出の有無等、リーチとなった以降の変動時間や変動態様を示すコマンドを送信するようにしてもよい。この場合、演出制御用マイクロコンピュータは２つのコマンドの組み合わせから導かれる変動時間に基づいて変動表示における演出制御を行うようにすればよい。なお、遊技制御用マイクロコンピュータの方では２つのコマンドのそれぞれにより変動時間を通知し、それぞれのタイミングで実行される具体的な変動態様については演出制御用マイクロコンピュータの方で選択を行うようにしてもよい。２つのコマンドを送る場合、同一のタイマ割込み内で２つのコマンドを送信するようにしてもよく、１つめのコマンドを送信した後、所定期間が経過してから２つめのコマンドを送信するようにしてもよい。なお、それぞれのコマンドで示される変動態様はこの例に限定されるわけではなく、送信する順序についても適宜変更可能である。このように２つ乃至それ以上のコマンドにより変動パターンを通知するようにすることで、変動パターンコマンドとして記憶しておかなければならないデータ量を削減することができる。
【０３３４】
また、上記の実施の形態において、「割合が異なる」とは、Ａ：Ｂ＝７０％：３０％やＡ：Ｂ＝３０％：７０％のような関係で割合が異なるものだけに限らず、Ａ：Ｂ＝１００％：０％のような関係で割合が異なるものも含む概念である。
【０３３５】
また、上記の実施の形態では、遊技機としてパチンコ遊技機を例にしたが、本発明を、メダルが投入されて所定の賭け数が設定され、遊技者による操作レバーの操作に応じて複数種類の図柄を回転させ、遊技者によるストップボタンの操作に応じて図柄を停止させたときに停止図柄の組み合わせが特定の図柄の組み合わせになると、所定数のメダルが遊技者に払い出されるスロット機に適用することも可能である。
【０３３６】
例えば、本発明に係る遊技機は、上述のようなスロット機であって、報知演出を実行する報知演出実行手段（例えば、１回のボーナス、１セットのＡＲＴ（又はＡＴ又はＲＴ））による獲得枚数を報知する獲得枚数報知演出、ボーナス又はＡＲＴの開始からボーナス又はＡＲＴの終了迄の一連の獲得枚数を報知する累積獲得枚数報知演出などを実行するＣＰＵ等）を備え、前記報知演出実行手段は、前記報知演出として、特定期間において獲得した価値の大きさを報知する第１報知と、特別期間において獲得した価値の大きさを報知する第２報知とを実行可能であり、前記第２報知よりも前記第１報知の優先度合いが高いスロット機であってもよい（例えば、獲得枚数報知演出が実行中である場合には、累積獲得枚数報知演出は実行されないこと等）。
【０３３７】
また、本発明に係る遊技機は、上述のようなスロット機であって、報知演出を実行する報知演出実行手段（例えば、１回のボーナス、１セットのＡＲＴ（又はＡＴ又はＲＴ））による獲得枚数を報知する獲得枚数報知演出、ボーナス又はＡＲＴの開始からボーナス又はＡＲＴの終了迄の一連の獲得枚数を報知する累積獲得枚数報知演出、ＡＲＴ等継続回数報知などのうち少なくとも１以上と、エラー報知演出等を実行するＣＰＵ等）を備え、前記報知演出実行手段は、前記報知演出として、特定期間において獲得した価値の大きさを報知する価値報知（獲得枚数等の報知）と、エラー（磁気異常、電波異常、振動異常、電波異常、ドアの開放異常、払出機構の異常、皿が満タンになっている異常、ホッパーが空になっている異常、ホッパーが満タンになっている異常、セレクタ（投入口）の異常、押し順ナビに反した押し順等）が発生したことを報知するエラー報知とを実行可能であり、前記価値報知よりも前記エラー報知の優先度合いを高いものであってもよい（又は、前記エラー報知よりも前記価値報知の優先度合いが高いものであってもよい）。
【０３３８】
また、本発明に係る遊技機は、上述のようなスロット機であって、報知演出を実行する報知演出実行手段（エラー報知演出、状態に関する報知を実行するＣＰＵ等）を備え、前記報知演出実行手段は、前記報知演出として、状態に関する報知を行う状態報知（例えば、ＣＺである旨の報知、ボーナス等に確定した旨の報知、準備中である旨の報知、ＡＲＴゲーム数（又はセット数）の上乗せ特化モードである旨の報知、次回セットの継続率がＵＰした旨の報知、次回セットの継続が確定した旨の報知等）と、エラー（磁気異常、電波異常、振動異常、電波異常、ドアの開放異常、払出機構の異常、皿が満タンになっている異常、ホッパーが空になっている異常、ホッパーが満タンになっている異常、セレクタ（投入口）の異常、押し順ナビに反した押し順等）が発生したことを報知するエラー報知とを実行可能であり、前記状態報知よりも前記エラー報知の優先度合いが高いものであってもよい（又は、前記エラー報知よりも前記状態報知の優先度合いが高いものであってもよい。
【０３３９】
また、上記の実施の形態では、例えば「１」〜「９」の複数種類の特別図柄や飾り図柄を可変表示し表示結果を導出表示する場合を示したが、可変表示は、そのような態様に限られない。例えば、可変表示される図柄と導出表示される図柄とが必ずしも同じである必要はなく、可変表示された図柄とは異なる図柄が導出表示されるものであってもよい。また、必ずしも複数種類の図柄を可変表示する必要はなく、１種類の図柄のみを用いて可変表示を実行するものであってもよい。この場合、例えば、その１種類の図柄表示を交互に点灯及び点滅を繰り返すことによって、可変表示を実行するものであってもよい。そして、この場合であっても、その可変表示に用いられる１種類の図柄が最後に導出表示されるものであってもよいし、その１種類の図柄とは異なる図柄が最後に導出表示されるものであってもよい。
【０３４０】
また、各乱数の更新タイミングを異ならせたり、各乱数の更新範囲を異ならせたりすることによって、各乱数が同期しないようにしてもよい。
【０３４１】
また、上記の実施形態では、主基板１１に乱数値の判定用テーブルを記憶させておき、始動入賞時に主基板１１において抽出された乱数値に基づき、主基板１１が乱数値の判定用テーブルを参照し、乱数値の判定処理を実行し、演出制御基板１２は、主基板１１において判定された判定結果を受信して、受信した判定結果に基づき先読予告演出を実行する例を示したが、先読予告演出の実行態様はこれに限定されない。例えば、演出制御基板１２に上記乱数値の判定用テーブルを記憶させておき、演出制御基板１２は、主基板１１において抽出された乱数値そのものを主基板１１から受信し、受信した乱数値に基づき乱数値の判定用テーブルを参照して乱数値の判定処理を実行し、判定処理の判定結果に基づき先読予告演出を実行するようにしてもよい。即ち、乱数値の判定処理を演出制御基板１２において行ってもよい。また、乱数値の判定処理を主基板１１と演出制御基板１２の両方で行ってもよい。例えば、演出制御基板１２は、一部の乱数値を受信して乱数値の判定処理を実行するとともに、主基板１１において判定された判定結果を受信してもよい。具体的には、例えば、演出制御基板１２は、乱数値を受信して大当りとなるか否かの判定及び大当りである場合は大当りの種別の判定を実行すると共に、乱数値に基づき主基板１１で判定された変動カテゴリの判定結果を受信するようにしてもよい。即ち、演出制御基板１２は、自ら判定した判定結果と主基板１１で判定された判定結果に基づき先読予告演出を実行することができる。
【０３４２】
以上説明したように、パチンコ遊技機１では、報知演出を実行する報知演出実行手段（例えば賞球数報知演出、累積賞球数報知演出、確変確定報知演出、連チャン回数報知、大当り中楽曲名報知、エラー報知、大当り中昇格演出を実行する演出制御用ＣＰＵ１２０等）を備え、前記報知演出実行手段は、前記報知演出として、特定期間において獲得した価値の大きさを報知する価値報知（例えば大当り中に賞球として払い出された賞球数を報知する賞球数報知演出や、連チャン中における大当り中に賞球として払い出された賞球数を報知する賞球数報知演出等等）と、エラーが発生したことを報知するエラー報知（例えば磁石を用いて不正に遊技球を入賞口に誘導させるような行為を検出したことを報知するエラー報知等）とを実行可能であり、前記価値報知よりも前記エラー報知の優先度合いが高い（例えば図２１の賞球数報知演出動作制御処理におけるステップＳ２１７の処理にてエラー報知の実行中である場合には、ステップＳ２１９にてエラー報知が実行されているレイヤーよりも下位のレイヤーで賞球数報知演出を実行するための動作制御を行うことや、図２２の累積賞球数報知演出動作制御処理におけるステップＳ３９９の処理にてエラー報知の実行中である場合には、ステップＳ４０１にてエラー報知が実行されているレイヤーよりも下位のレイヤーで累積賞球数報知演出を実行するための動作制御を行うこと等）。
【０３４３】
これにより、複数の報知演出を好適に実行することができる。
【０３４４】
また、パチンコ遊技機１では、報知演出を実行する報知演出実行手段（例えば賞球数報知演出、累積賞球数報知演出、確変確定報知演出、連チャン回数報知、大当り中楽曲名報知、エラー報知、大当り中昇格演出を実行する演出制御用ＣＰＵ１２０等）を備え、前記報知演出実行手段は、前記報知演出として、特定期間において獲得した価値の大きさを報知する価値報知（例えば大当り中に賞球として払い出された賞球数を報知する賞球数報知演出や、連チャン中における大当り中に賞球として払い出された賞球数を報知する賞球数報知演出等等）と、エラーが発生したことを報知するエラー報知（例えば磁石を用いて不正に遊技球を入賞口に誘導させるような行為を検出したことを報知するエラー報知等）とを実行可能であり、前記エラー報知よりも前記価値報知の優先度合いが高い（例えば図３１、図３２、図３４に示すように、エラー報知画像よりも賞球数報知演出画像が優先的に表示されること等）。
【０３４５】
これにより、複数の報知演出を好適に実行することができる。
【０３４６】
また、前記報知演出実行手段は、前記価値報知として、特定期間において獲得した価値の大きさを報知する第１報知（例えば大当り中に賞球として払い出された賞球数を報知する賞球数報知演出等）と、特別期間において獲得した価値の大きさを報知する第２報知（例えば連チャン中における大当り中に賞球として払い出された賞球数を報知する賞球数報知演出等）とを実行可能であり、前記第２報知よりも前記第１報知の優先度合いが高い（例えば図２２の累積賞球数報知演出動作制御処理におけるステップＳ３９７の処理にて、賞球数報知演出が実行中である場合には、累積賞球数報知演出は実行されないこと等）。
【０３４７】
これにより、複数の報知演出を好適に実行することができる。
【０３４８】
また、遊技媒体（例えば遊技球等）が入賞容易な第１状態（例えば下大入賞口を開放状態とすること等）と、入賞困難な第２状態（例えば下大入賞口を閉鎖状態とすること等）とに変化可能な可変入賞手段（例えば特別可変入賞球装置７Ｂ等）を備え、前記報知演出実行手段は、前記報知演出として、前記可変入賞手段に入賞した遊技媒体が特定領域を通過したことを報知する第３報知（例えば下大入賞口に入賞した遊技球が特定領域を通過したことを報知する確変確定報知演出等）を実行可能であり、前記第１報知よりも前記第３報知の優先度合いが高い（例えば図２１に示す賞球数報知演出動作制御処理におけるステップＳ２１６にて確変確定報知演出の実行中である場合には、ステップＳ２２０にて確変確定報知演出が実行されているレイヤーよりも下位のレイヤーで賞球数報知演出を実行するための動作制御を行うこと等）。
【０３４９】
これにより、適切な報知を実行することができる。
【０３５０】
また、遊技者にとって有利な有利状態（例えば大当り遊技状態等）に制御可能であり、前記報知演出実行手段は、前記報知演出として、前記特別期間において前記有利状態に制御された回数を報知する第４報知（例えば連チャン回数を報知する連チャン回数報知等）を実行可能であり、前記第４報知よりも前記第１報知の優先度合いが高い（例えば図２３における連チャン回数報知動作制御処理におけるステップＳ４６２にて賞球数報知演出の実行中である場合には、ステップＳ４６８にて賞球数報知演出が実行されているレイヤーよりも下位のレイヤーで連チャン回数報知を実行するための動作制御を行うこと等）。
【０３５１】
これにより、適切な報知を実行することができる。
【０３５２】
また、前記報知演出実行手段は、前記報知演出として、前記特定期間において実行される他の演出に関する情報を報知する第５報知（例えば大当り中に再生されている楽曲名を報知する大当り中楽曲名報知等）を実行可能であり、前記第５報知よりも前記第１報知の優先度合いが高い（例えば図２４における大当り中楽曲名報知動作制御処理におけるステップＳ４７２にて賞球数報知演出の実行中である場合には、ステップＳ４７８にて賞球数報知演出が実行されているレイヤーよりも下位のレイヤーで大当り中楽曲名報知を実行するための動作制御を行うこと等）。
【０３５３】
これにより、適切な報知を実行することができる。
【０３５４】
また、前記報知演出実行手段は、前記報知演出として、前記特定期間において特別価値が付与されるか否かを報知する第６報知（例えば確変状態に制御するか否かの報知演出となる大当り中昇格演出等）を実行可能であり、前記第６報知を実行するまでは前記第２報知の実行を制限してもよい（例えば図２２に示す累積賞球数報知演出動作制御処理におけるステップＳ３９１にて大当り中昇格演出が終了していなければ、累積賞球数報知演出は実行されないこと等）。
【０３５５】
これにより、演出状況に合わせた報知を実行することができる。
【０３５６】
また、遊技者にとって有利な有利状態に制御可能であり、前記特定期間は、前記有利状態に制御される期間（例えば大当り中等）であってもよい。
【０３５７】
これにより、有利状態における演出効果を向上させることができる。
【０３５８】
また、遊技者にとって有利な有利状態（例えば大当り遊技状態等）に制御可能であると共に、前記有利状態に制御された後に、遊技者にとって有利な特別状態（例えば確変状態や時短状態等）に制御可能であり、前記有利状態に制御されてから通常状態に制御されるまでの期間（例えば連チャン中等）であってもよい。
【０３５９】
これにより、有利状態に制御されてから通常状態に制御されるまでの期間における演出効果を向上させることができる。
【符号の説明】
【０３６０】
１  パチンコ遊技機
２  遊技領域
２Ａ  左遊技領域
２Ｂ  右遊技領域
３  遊技機用枠
４Ａ  特別図柄表示装置
４Ｂ  特別図柄表示装置
５  画像表示装置
６Ａ  普通入賞球装置
６Ｂ  普通可変入賞球装置
７Ａ  特別可変入賞球装置
７Ｂ  特別可変入賞球装置
８Ｌ  スピーカ
８Ｒ  スピーカ
９  遊技効果ランプ
１１  主基板
１２  演出制御基板
１３  音声制御基板
１４  ランプ制御基板
１５  中継基板
２０  普通図柄表示器
２１  ゲートスイッチ
２２Ａ  第１始動口スイッチ
２２Ｂ  第２始動口スイッチ
２３Ａ  上大入賞口スイッチ
２３Ｂ  下大入賞口スイッチ
２４Ａ  確変領域スイッチ
２４Ｂ  第２排出スイッチ
２４Ｃ  第１排出スイッチ
８１  ソレノイド（普通電動役物用）
８２Ａ  ソレノイド（上大入賞口扉用）
８２Ｂ  ソレノイド（下大入賞口扉用）
８２Ｃ  ソレノイド（確変領域蓋用）
１００  遊技制御用マイクロコンピュータ
１０１  ＲＯＭ
１０２  ＲＡＭ
１０３  ＣＰＵ
１０４  乱数回路
１０５  Ｉ／Ｏ
１２０  演出制御用ＣＰＵ
１２１  ＲＯＭ
１２２  ＲＡＭ
１２３  表示制御部
１２４  乱数回路
１２５  Ｉ／Ｏ
【図１】
0006468548.tif 000002
【図２】
0006468548.tif 000003
【図３】
0006468548.tif 000004
【図４】
0006468548.tif 000005
【図５】
0006468548.tif 000006
【図６】
0006468548.tif 000007
【図７】
0006468548.tif 000008
【図８】
0006468548.tif 000009
【図９】
0006468548.tif 000010
【図１０】
0006468548.tif 000011
【図１１】
0006468548.tif 000012
【図１２】
0006468548.tif 000013
【図１３】
0006468548.tif 000014
【図１４】
0006468548.tif 000015
【図１５】
0006468548.tif 000016
【図１６】
0006468548.tif 000017
【図１７】
0006468548.tif 000018
【図１８】
0006468548.tif 000019
【図１９】
0006468548.tif 000020
【図２０】
0006468548.tif 000021
【図２１】
0006468548.tif 000022
【図２２】
0006468548.tif 000023
【図２３】
0006468548.tif 000024
【図２４】
0006468548.tif 000025
【図２５】
0006468548.tif 000026
【図２６】
0006468548.tif 000027
【図２７】
0006468548.tif 000028
【図２８】
0006468548.tif 000029
【図２９】
0006468548.tif 000030
【図３０】
0006468548.tif 000031
【図３１】
0006468548.tif 000032
【図３２】
0006468548.tif 000033
【図３３】
0006468548.tif 000034
【図３４】
0006468548.tif 000035